(57)【要約】【課題】  接触不良が生じやすい電極の摺擦を防止して、確実な電気的接続を長期にわたって確保することのできる、プロセスカートリッジ、感光体カートリッジおよび現像カートリッジ、ならびに、それらを備える画像形成装置を提供すること。【解決手段】  プロセスカートリッジ２０において、すべての電極（クリーニング電極１４８、グリッド電極１３２、ワイヤ電極１３１、アース電極１２７、転写電極１３７および現像ローラ電極７６）を、幅方向左側に配置し、さらに、すべての電極のうち最も後側に配置されるクリーニング電極１４８を、それ以外の電極に対して幅方向において最も内側に配置する。これによって、電極を集中配置して構成の簡略化を図り、また、プロセスカートリッジ２０の着脱時において、クリーニング電極１４８が、本体ケーシング２にそれ以外の電極に対応して設けられる接点と、摺擦して磨耗することを防止する。【選択図】    図１４
2006072285.tif 000002
【特許請求の範囲】
【請求項１】
筐体と、前記筐体に設けられ、画像形成プロセスのために用いられるプロセス部材とを備え、画像形成装置に対して着脱自在に装着されるプロセスカートリッジにおいて、
前記筐体は、所定間隔を隔てて対向配置される２つの側壁を備え、
一方の側壁には、前記プロセス部材に対して画像形成装置から電気的な接続をするための複数の電極が設けられており、
複数の前記電極のうち、プロセスカートリッジの装着方向の最も下流側の電極が、それ以外の電極に対して、２つの前記側壁の対向方向において最も内側に配置されていることを特徴とする、プロセスカートリッジ。
【請求項２】
前記プロセス部材は、前記対向方向において、記録媒体に対して画像を形成するための画像形成領域を有しており、
最も下流側の前記電極が、前記対向方向において、前記画像形成領域外に配置されていることを特徴とする、請求項１に記載のプロセスカートリッジ。
【請求項３】
前記プロセス部材は、感光体と、前記感光体をクリーニングするためのクリーニング手段とを含み、
最も下流側の前記電極が、前記クリーニング手段に接続されるクリーニング電極であることを特徴とする、請求項１または２に記載のプロセスカートリッジ。
【請求項４】
前記プロセス部材は、感光体と、前記感光体を帯電させるための帯電手段と、現像剤を担持し、前記感光体に対して現像剤を供給するための現像剤担持体と、前記現像剤担持体からの現像剤の供給により前記感光体に担持される現像剤像を記録媒体に転写するための転写手段と、前記感光体をクリーニングするためのクリーニング手段とを含み、
前記電極は、前記感光体に接続される感光体電極と、前記帯電手段に接続される帯電電極と、前記現像剤担持体に接続される現像電極と、前記転写手段に接続される転写電極と、前記クリーニング手段に接続されるクリーニング電極とを含むことを特徴とする、請求項１ないし３のいずれかに記載のプロセスカートリッジ。
【請求項５】
前記プロセス部材に対して機械的な駆動力を入力するための駆動入力手段を備え、
前記駆動入力手段が、一方の前記側壁に配置されていることを特徴とする、請求項１ないし４のいずれかに記載のプロセスカートリッジ。
【請求項６】
最も下流側の前記電極が、前記駆動入力手段に対して、前記対向方向において内側に配置されていることを特徴とする、請求項５に記載のプロセスカートリッジ。
【請求項７】
前記筐体には、現像剤を収容するための現像剤収容部が設けられており、
他方の前記側壁には、前記現像剤収容部に現像剤を供給するための現像剤供給口が設けられていることを特徴とする、請求項１ないし６のいずれかに記載のプロセスカートリッジ。
【請求項８】
一方の前記側壁には、少なくとも２つの電極間に、これら電極を前記対向方向において異なる位置に配置させるための段差が設けられていることを特徴とする、請求項１ないし７のいずれかに記載のプロセスカートリッジ。
【請求項９】
一方の前記側壁は、前記対向方向において、外側に配置される第１壁と、前記第１壁よりも内側に配置され、前記第１壁と平行して設けられる第２壁と、前記第１壁と前記第２壁とに連結され、前記第１壁および前記第２壁に対して直交方向に配置される第３壁とを備え、前記第２壁と前記第３壁とが連続して開口される開口部が形成されており、
少なくとも１つの電極は、前記筐体の内側から前記開口部に対して前記第３壁と直交する方向に沿って差し込まれ、前記開口部から前記第２壁と直交する方向に突出するように設けられていることを特徴とする、請求項１ないし８のいずれかに記載のプロセスカートリッジ。
【請求項１０】
前記電極は、前記開口部から突出する突出部と、前記筐体の内側に配置され、前記突出部の突出方向と直交する方向に延びる係止板とを一体的に備えており、
前記筐体の内側には、前記係止板を受ける受け部と、前記係止板の前記突出部を中心とする回転を規制するために、前記係止板を係止する爪部とを備えていることを特徴とする、請求項９に記載のプロセスカートリッジ。
【請求項１１】
前記プロセス部材は、前記電極と当接する端面を有する回転軸と、前記回転軸に設けられ、前記回転軸に駆動力を入力するためのギヤとを備えており、
一方の前記側壁と前記ギヤとは、前記回転軸の軸方向において所定間隔を隔てて配置され、かつ、一方の前記側壁と前記電極とは、前記回転軸の軸方向において所定間隔を隔てて配置されていることを特徴とする、請求項９または１０に記載のプロセスカートリッジ。
【請求項１２】
一方の前記側壁は、前記第２壁から前記電極の突出方向に突出し、前記開口部に対して前記プロセスカートリッジの装着方向下流側の端縁に沿って延びる接点進入防止リブを備えていることを特徴とする、請求項９ないし１１のいずれかに記載のプロセスカートリッジ。
【請求項１３】
前記プロセス部材は、現像剤を担持する現像ローラと、前記現像ローラに現像剤を供給するための供給ローラとを含み、
前記現像ローラの軸方向一端部および前記供給ローラの軸方向一端部の両方を、回転自在に支持し、絶縁材料からなる軸受けと、
前記現像ローラの軸方向他端部と前記供給ローラの軸方向他端部とに接続され、これらを電気的に接続するための、導電材料からなる導電部材とを備えていることを特徴とする、請求項１ないし１２に記載のプロセスカートリッジ。
【請求項１４】
画像形成プロセスのために用いられるプロセス部材を備え、画像形成装置に対して着脱自在に装着されるプロセスカートリッジにおいて、
前記プロセス部材に対して画像形成装置からの駆動力を伝達するための駆動力伝達部と、
前記プロセス部材に対して画像形成装置から電気的な接続をするための電極と、
前記駆動力伝達部および前記電極の両方を保持する保持部とを備えていることを特徴とする、プロセスカートリッジ。
【請求項１５】
所定間隔を隔てて対向配置される２つの側壁を有する筐体を備え、
前記駆動力伝達部、前記電極および前記保持部は、一方の前記側壁に配置されていることを特徴とする、請求項１４に記載のプロセスカートリッジ。
【請求項１６】
筐体と、前記筐体に設けられ、画像形成プロセスのために用いられるプロセス部材とを備え、画像形成装置に対して着脱自在に装着されるプロセスカートリッジにおいて、
前記プロセス部材に対して画像形成装置からの駆動力を伝達するための駆動力伝達部と、
前記プロセス部材に対して画像形成装置から電気的な接続をするための電極とを備え、
前記筐体は、所定間隔を隔てて対向配置される２つの側壁を備え、
前記駆動力伝達部および前記電極は、ともに一方の前記側壁に配置されており、
前記駆動力伝達部に対する画像形成装置からの駆動力の伝達による、前記側壁の移動を規制するための規制部材を備えていることを特徴とする、プロセスカートリッジ。
【請求項１７】
前記筐体は、前記駆動力伝達部と前記電極とが設けられる前記側壁を備える第１筐体と、前記第１筐体を着脱可能とし、前記規制部材が設けられる第２筐体とを備えていること
を特徴とする、請求項１６に記載のプロセスカートリッジ。
【請求項１８】
筐体と、前記筐体に設けられ、画像形成プロセスのために用いられるプロセス部材とを備え、画像形成装置に対して着脱自在に装着されるプロセスカートリッジにおいて、
前記プロセス部材に対して画像形成装置からの駆動力を伝達するための駆動力伝達部と、
前記プロセス部材に対して画像形成装置から電気的な接続をするための電極とを備え、
前記筐体は、所定間隔を隔てて対向配置される２つの側壁を備え、
前記駆動力伝達部および前記電極は、一方の前記側壁に配置され、プロセスカートリッジの装着方向の中心部より下流側に設けられていることを特徴とする、プロセスカートリッジ。
【請求項１９】
筐体と、前記筐体に設けられ、画像形成プロセスのために用いられるプロセス部材とを備え、画像形成装置に対して着脱自在に装着されるプロセスカートリッジにおいて、
前記プロセス部材に対して画像形成装置からの駆動力を伝達するための駆動力伝達部と、
前記プロセス部材に対して画像形成装置から電気的な接続をするための電極とを備え、
前記筐体は、所定間隔を隔てて対向配置される２つの側壁を備え、
前記駆動力伝達部および前記電極は、一方の前記側壁に配置され、プロセスカートリッジの装着方向において、前記電極が前記駆動力伝達部に対して下流側に設けられていることを特徴とする、プロセスカートリッジ。
【請求項２０】
筐体と、前記筐体に設けられ、画像形成プロセスのために用いられる、感光体を含むプロセス部材とを備え、画像形成装置に対して着脱自在に装着される感光体カートリッジにおいて、
前記筐体は、所定間隔を隔てて対向配置される２つの側壁を備え、
一方の側壁には、前記プロセス部材に対して画像形成装置から電気的な接続をするための複数の電極が設けられており、
複数の前記電極のうち、感光体カートリッジの装着方向の最も下流側の電極が、それ以外の電極に対して、２つの前記側壁の対向方向において最も内側に配置されていることを特徴とする、感光体カートリッジ。
【請求項２１】
前記プロセス部材は、前記対向方向において、記録媒体に対して画像を形成するための画像形成領域を有しており、
最も下流側の前記電極が、前記対向方向において、前記画像形成領域外に配置されていることを特徴とする、請求項２０に記載の感光体カートリッジ。
【請求項２２】
前記プロセス部材は、前記感光体をクリーニングするためのクリーニング手段とを含み、
最も下流側の前記電極が、前記クリーニング手段に接続されるクリーニング電極であることを特徴とする、請求項２０または２１に記載の感光体カートリッジ。
【請求項２３】
前記プロセス部材は、前記感光体を帯電させるための帯電手段と、前記感光体に担持される現像剤像を記録媒体に転写するための転写手段と、前記感光体をクリーニングするためのクリーニング手段とを含み、
前記電極は、前記感光体に接続される感光体電極と、前記帯電手段に接続される帯電電極と、前記転写手段に接続される転写電極と、前記クリーニング手段に接続されるクリーニング電極とを含むことを特徴とする、請求項２０ないし２２のいずれかに記載の感光体カートリッジ。
【請求項２４】
一方の前記側壁には、少なくとも２つの電極間に、これら電極を前記対向方向において異なる位置に配置させるための段差が設けられていることを特徴とする、請求項２０ないし２３のいずれかに記載の感光体カートリッジ。
【請求項２５】
一方の前記側壁は、前記対向方向において、外側に配置される第１壁と、前記第１壁よりも内側に配置され、前記第１壁と平行して設けられる第２壁と、前記第１壁と前記第２壁とに連結され、前記第１壁および前記第２壁に対して直交方向に配置される第３壁とを備え、前記第２壁と前記第３壁とが連続して開口される開口部が形成されており、
少なくとも１つの電極は、前記筐体の内側から前記開口部に対して前記第３壁と直交する方向に沿って差し込まれ、前記開口部から前記第２壁と直交する方向に突出するように設けられていることを特徴とする、請求項２０ないし２４のいずれかに記載の感光体カートリッジ。
【請求項２６】
前記電極は、前記開口部から突出する突出部と、前記筐体の内側に配置され、前記突出部の突出方向と直交する方向に延びる係止板とを一体的に備えており、
前記筐体の内側には、前記係止板を受ける受け部と、前記係止板の前記突出部を中心とする回転を規制するために、前記係止板を係止する爪部とを備えていることを特徴とする、請求項２５に記載の感光体カートリッジ。
【請求項２７】
前記プロセス部材は、前記電極と当接する端面を有する回転軸と、前記回転軸に設けられ、前記回転軸に駆動力を入力するためのギヤとを備えており、
一方の前記側壁と前記ギヤとは、前記回転軸の軸方向において所定間隔を隔てて配置され、かつ、一方の前記側壁と前記電極とは、前記回転軸の軸方向において所定間隔を隔てて配置されていることを特徴とする、請求項２５または２６に記載の感光体カートリッジ。
【請求項２８】
一方の前記側壁は、前記第２壁から前記電極の突出方向に突出し、前記開口部に対して前記感光体カートリッジの装着方向下流側の端縁に沿って延びる接点進入防止リブを備えていることを特徴とする、請求項２５ないし２７のいずれかに記載の感光体カートリッジ。
【請求項２９】
現像剤を担持する現像剤担持体を備え、画像形成装置に対して着脱自在に装着される現像カートリッジにおいて、
前記現像剤担持体に対して画像形成装置からの駆動力を伝達するための駆動力伝達部と、
前記現像剤担持体に対して画像形成装置から電気的な接続をするための電極と、
前記駆動力伝達部および前記電極の両方を保持する保持部とを備えていることを特徴とする、現像カートリッジ。
【請求項３０】
所定間隔を隔てて対向配置される２つの側壁を有する筐体を備え、
前記駆動力伝達部、前記電極および前記保持部は、一方の前記側壁に配置されていることを特徴とする、請求項２９に記載の現像カートリッジ。
【請求項３１】
筐体と、前記筐体に設けられ、現像剤を担持する現像剤担持体とを備え、画像形成装置に対して着脱自在に装着される現像カートリッジにおいて、
前記現像剤担持体に対して画像形成装置からの駆動力を伝達するための駆動力伝達部と、
前記現像剤担持体に対して画像形成装置から電気的な接続をするための電極とを備え、
前記筐体は、所定間隔を隔てて対向配置される２つの側壁を備え、
前記駆動力伝達部および前記電極は、一方の前記側壁に配置され、現像カートリッジの装着方向の中心部より下流側に設けられていることを特徴とする、現像カートリッジ。
【請求項３２】
筐体と、前記筐体に設けられ、現像剤を担持する現像剤担持体とを備え、画像形成装置に対して着脱自在に装着される現像カートリッジにおいて、
前記現像剤担持体に対して画像形成装置からの駆動力を伝達するための駆動力伝達部と、
前記現像剤担持体に対して画像形成装置から電気的な接続をするための電極とを備え、
前記筐体は、所定間隔を隔てて対向配置される２つの側壁を備え、
前記駆動力伝達部および前記電極は、一方の前記側壁に配置され、現像カートリッジの装着方向において、前記電極が前記駆動力伝達部に対して下流側に設けられていることを特徴とする、現像カートリッジ。
【請求項３３】
請求項１ないし１９のいずれかに記載のプロセスカートリッジ、請求項２０ないし２８のいずれかに記載の感光体カートリッジ、または、請求項２９ないし３２のいずれかに記載の現像カートリッジを備えていることを特徴とする画像形成装置。
【請求項３４】
筐体と、前記筐体に設けられ、画像形成プロセスのために用いられるプロセス部材とを備え、画像形成装置に対して着脱自在に装着されるプロセスカートリッジを備える画像形成装置において、
前記プロセスカートリッジは、前記プロセス部材に対して画像形成装置からの駆動力を伝達するための駆動力伝達部と、前記プロセス部材に対して画像形成装置から電気的な接続をするための電極とを備え、
前記筐体は、所定間隔を隔てて対向配置される２つの側壁を備え、前記駆動力伝達部および前記電極は、ともに一方の前記側壁に配置されており、
前記電極に接触して電気的に接続される接点と、
前記駆動力伝達部に対して進退自在に設けられ、前記駆動力伝達部に対して駆動力を入力するための駆動力入力手段とを備えていることを特徴とする、画像形成装置。
【請求項３５】
筐体と、前記筐体に設けられ、画像形成プロセスのために用いられるプロセス部材とを備え、画像形成装置に対して着脱自在に装着されるプロセスカートリッジを備える画像形成装置において、
前記プロセスカートリッジは、前記プロセス部材に対して画像形成装置からの駆動力を伝達するための駆動力伝達部と、前記プロセス部材に対して画像形成装置から電気的な接続をするための電極とを備え、
前記筐体は、所定間隔を隔てて対向配置される２つの側壁を備え、
前記駆動力伝達部および前記電極は、ともに一方の前記側壁に配置されており、
前記駆動力伝達部に対する画像形成装置からの駆動力の伝達による、前記側壁の移動を規制するための規制手段を備えていることを特徴とする、画像形成装置。
【発明の詳細な説明】
【技術分野】
【０００１】
本発明は、レーザプリンタなどの画像形成装置、ならびに、その画像形成装置に装着されるプロセスカートリッジ、感光体カートリッジおよび現像カートリッジに関する。
【背景技術】
【０００２】
電子写真方式の画像形成装置では、たとえば、光学系と、感光体ドラムと、その感光体ドラムの周囲に配置される帯電ローラ、現像ローラ、転写ローラおよびクリーニング手段とを備えるものが知られている（たとえば、特許文献１参照。）。
感光体ドラムの表面は、まず、帯電ローラによって一様に帯電され、次いで、光学系からの画像情報に応じたレーザビームが照射され、静電潜像が形成される。その後、現像ローラによって静電潜像が現像されることによりトナー像が形成され、そして、そのトナー像が転写ローラによって記録媒体に転写される。転写後に感光体ドラムに残留するトナーは、クリーニング手段によって除去される。
【０００３】
また、このような画像形成装置では、感光体ドラムと、その感光体ドラムの周囲に配置される帯電ローラ、現像ローラ、転写ローラおよびクリーニング手段とが、装置本体に着脱自在に装着されるプロセスカートリッジに設けられている。
プロセスカートリッジは、上記した各種部材を収容する筐体を備えており、その筐体の側壁には、装置本体に設けられる電源からプロセスカートリッジに収容される上記した各種部材に給電するため、または、接地するための複数の電極が設けられている。また、筐体の側壁には、上記した各種部材を駆動するための複数のギヤが設けられている。
【特許文献１】特許第３３５９１９４号公報
【発明の開示】
【発明が解決しようとする課題】
【０００４】
しかし、複数の電極のうち、プロセスカートリッジの装着方向の最も下流側の電極は、プロセスカートリッジの装置本体に対する着脱時において、装置本体においてそれ以外の電極に対応して設けられている複数の接点を横切るので、そのような接点と摺擦し、磨耗して接触不良を生じる場合がある。
また、近年、資源活用の観点から、プロセスカートリッジを再使用することが普及しつつあり、このような再使用においては、上記した接触不良が、より生じやすくなる。
【０００５】
本発明の目的は、接触不良が生じやすい電極の摺擦を防止して、確実な電気的接続を長期にわたって確保することのできる、プロセスカートリッジ、感光体カートリッジおよび現像カートリッジ、ならびに、それらプロセスカートリッジ、感光体カートリッジまたは現像カートリッジを備える画像形成装置を提供することにある。
【課題を解決するための手段】
【０００６】
上記目的を達成するため、請求項１に記載の発明は、筐体と、前記筐体に設けられ、画像形成プロセスのために用いられるプロセス部材とを備え、画像形成装置に対して着脱自在に装着されるプロセスカートリッジにおいて、前記筐体は、所定間隔を隔てて対向配置される２つの側壁を備え、一方の側壁には、前記プロセス部材に対して画像形成装置から電気的な接続をするための複数の電極が設けられており、複数の前記電極のうち、プロセスカートリッジの装着方向の最も下流側の電極が、それ以外の電極に対して、２つの前記側壁の対向方向において最も内側に配置されていることを特徴としている。
【０００７】
このような構成によると、最も下流側の電極が、それ以外の電極に対して２つの側壁の対向方向の最も内側に配置されている。そのため、プロセスカートリッジの着脱時には、その電極は、装置本体においてそれ以外の電極に対応して設けられている複数の接点を、所定間隔を隔てて横切るので、そのような接点と摺擦し、磨耗することを防止することができる。その結果、接触不良が生じやすい電極の接触不良を防止して、確実な電気的接続を、長期にわたって確保することができる。
【０００８】
また、請求項２に記載の発明は、請求項１に記載の発明において、前記プロセス部材は、前記対向方向において、記録媒体に対して画像を形成するための画像形成領域を有しており、最も下流側の前記電極が、前記対向方向において、前記画像形成領域外に配置されていることを特徴としている。
このような構成によると、最も下流側の電極が対向方向において画像形成領域外に配置されている。そのため、電極によって画像形成が阻害されることがなく、確実な画像形成を達成しつつ、電極の接触不良を防止することができる。
【０００９】
また、請求項３に記載の発明は、請求項１または２に記載の発明において、前記プロセス部材は、感光体と、前記感光体をクリーニングするためのクリーニング手段とを含み、最も下流側の前記電極が、前記クリーニング手段に接続されるクリーニング電極であることを特徴としている。
このような構成によると、最も下流側の電極が、クリーニング電極であるので、クリーニング手段の最適配置を確保することができる。
【００１０】
また、請求項４に記載の発明は、請求項１ないし３のいずれかに記載の発明において、前記プロセス部材は、感光体と、前記感光体を帯電させるための帯電手段と、現像剤を担持し、前記感光体に対して現像剤を供給するための現像剤担持体と、前記現像剤担持体からの現像剤の供給により前記感光体に担持される現像剤像を記録媒体に転写するための転写手段と、前記感光体をクリーニングするためのクリーニング手段とを含み、前記電極は、前記感光体に接続される感光体電極と、前記帯電手段に接続される帯電電極と、前記現像剤担持体に接続される現像電極と、前記転写手段に接続される転写電極と、前記クリーニング手段に接続されるクリーニング電極とを含むことを特徴としている。
【００１１】
このような構成によると、プロセスカートリッジにおいて、主要なプロセス部材に対応する電極が、すべて一方の側壁に配置されるので、複数の電極を集中して配置することによる構成の簡略化を図ることができる。
また、請求項５に記載の発明は、請求項１ないし４のいずれかに記載の発明において、前記プロセス部材に対して機械的な駆動力を入力するための駆動入力手段を備え、前記駆動入力手段が、一方の前記側壁に配置されていることを特徴としている。
【００１２】
このような構成によると、駆動入力手段が、複数の電極が配置されている一方の側壁に配置されているので、装置構成の簡略化を図ることができる。
また、請求項６に記載の発明は、請求項５に記載の発明において、最も下流側の前記電極が、前記駆動入力手段に対して、前記対向方向において内側に配置されていることを特徴としている。
【００１３】
このような構成によると、最も下流側の電極が駆動入力手段よりも対向方向内側に配置されているので、駆動入力手段の周囲に発生するグリス、埃または削れかすなどによって、その電極が汚染されることを防止することができる。
また、請求項７に記載の発明は、請求項１ないし６のいずれかに記載の発明において、前記筐体には、現像剤を収容するための現像剤収容部が設けられており、他方の前記側壁には、前記現像剤収容部に現像剤を供給するための現像剤供給口が設けられていることを特徴としている。
【００１４】
このような構成によると、現像剤供給口が、複数の電極が配置されている一方の側壁と反対側の他方の側壁に設けられているので、現像剤供給口に供給される現像剤の飛散によって、電極が汚染されることを防止することができる。
また、請求項８に記載の発明は、請求項１ないし７のいずれかに記載の発明において、一方の前記側壁には、少なくとも２つの電極間に、これら電極を前記対向方向において異なる位置に配置させるための段差が設けられていることを特徴としている。
【００１５】
このような構成によると、段差によって、リークが発生しやすい電極間に距離をとることができる。そのため、そのような電極間に生ずるリークを、装置を大型化させることなく、簡易な構成で低減することができる。
また、請求項９に記載の発明は、請求項１ないし８のいずれかに記載の発明において、一方の前記側壁は、前記対向方向において、外側に配置される第１壁と、前記第１壁よりも内側に配置され、前記第１壁と平行して設けられる第２壁と、前記第１壁と前記第２壁とに連結され、前記第１壁および前記第２壁に対して直交方向に配置される第３壁とを備え、前記第２壁と前記第３壁とが連続して開口される開口部が形成されており、少なくとも１つの電極は、前記筐体の内側から前記開口部に対して前記第３壁と直交する方向に沿って差し込まれ、前記開口部から前記第２壁と直交する方向に突出するように設けられていることを特徴としている。
【００１６】
このような構成によると、電極を、筐体の内側から、第３壁と直交する方向に沿って開口部に差し込めば、第２壁と直交する方向に突出するように設けることができる。そのため、電極の簡易な装着および確実な配置を達成することができる。
また、請求項１０に記載の発明は、請求項９に記載の発明において、前記電極は、前記開口部から突出する突出部と、前記筐体の内側に配置され、前記突出部の突出方向と直交する方向に延びる係止板とを一体的に備えており、前記筐体の内側には、前記係止板を受ける受け部と、前記係止板の前記突出部を中心とする回転を規制するために、前記係止板を係止する爪部とを備えていることを特徴としている。
【００１７】
このような構成によると、係止板を受け部で受けて、爪部でその係止板を係止すれば、電極を簡易に組み付けることができる。
また、請求項１１に記載の発明は、請求項９または１０に記載の発明において、前記プロセス部材は、前記電極と当接する端面を有する回転軸と、前記回転軸に設けられ、前記回転軸に駆動力を入力するためのギヤとを備えており、一方の前記側壁と前記ギヤとは、前記回転軸の軸方向において所定間隔を隔てて配置され、かつ、一方の前記側壁と前記電極とは、前記回転軸の軸方向において所定間隔を隔てて配置されていることを特徴としている。
【００１８】
このような構成によると、一方の側壁に対して、ギヤおよび電極が所定間隔を隔てて配置されるので、これらギヤおよび電極の側壁に対する接触による損傷を防止することができる。
また、請求項１２に記載の発明は、請求項９ないし１１のいずれかに記載の発明において、一方の前記側壁は、前記第２壁から前記電極の突出方向に突出し、前記開口部に対して前記プロセスカートリッジの装着方向下流側の端縁に沿って延びる接点進入防止リブを備えていることを特徴としている。
【００１９】
このような構成によると、開口部の端縁に沿って、接点進入防止リブが設けられているので、プロセスカートリッジが画像形成装置に装着されて、その画像形成装置に備えられる接点が電極に当接するときに、その接点を良好に案内することができ、接点が開口部と電極との間の隙間に入り込むことを防止することができる。そのため、接点と電極との確実な接続を達成することができる。
【００２０】
また、請求項１３に記載の発明は、請求項１ないし１２に記載の発明において、前記プロセス部材は、現像剤を担持する現像ローラと、前記現像ローラに現像剤を供給するための供給ローラとを含み、前記現像ローラの軸方向一端部および前記供給ローラの軸方向一端部の両方を、回転自在に支持し、絶縁材料からなる軸受けと、前記現像ローラの軸方向他端部と前記供給ローラの軸方向他端部とに接続され、これらを電気的に接続するための、導電材料からなる導電部材とを備えていることを特徴としている。
【００２１】
このような構成によると、現像ローラの軸方向一端部および供給ローラの軸方向一端部の両方を同時に支持する軸受けを、位置決め精度を高めるべく、大きく形成しても、その軸受けを、廉価な絶縁材料で形成することができる。そのため、位置決め精度の向上を図
りつつ、コストの低減化を図ることができる。一方、現像ローラおよび供給ローラは、それらの軸方向他端部において、導電材料からなる導電部材によって接続されているので、これらを同電位に保持することができる。
【００２２】
また、請求項１４に記載の発明は、画像形成プロセスのために用いられるプロセス部材を備え、画像形成装置に対して着脱自在に装着されるプロセスカートリッジにおいて、前記プロセス部材に対して画像形成装置からの駆動力を伝達するための駆動力伝達部と、前記プロセス部材に対して画像形成装置から電気的な接続をするための電極と、前記駆動力伝達部および前記電極の両方を保持する保持部とを備えていることを特徴としている。
【００２３】
このような構成によると、保持部が、電極および駆動力伝達部の両方を保持するので、両者の位置決め精度の向上を図ることができる。そのため、部品点数の低減化および装置構成の簡略化を図りつつ、プロセスカートリッジに対する電力および駆動力の安定した供給を達成することができる。
また、請求項１５に記載の発明は、請求項１４に記載の発明において、所定間隔を隔てて対向配置される２つの側壁を有する筐体を備え、前記駆動力伝達部、前記電極および前記保持部は、一方の前記側壁に配置されていることを特徴としている。
【００２４】
このような構成によると、一方の側壁に配置される駆動力伝達部および電極を、その一方の側壁において保持部により保持するので、装置構成の簡略化を図ることができる。
また、請求項１６に記載の発明は、筐体と、前記筐体に設けられ、画像形成プロセスのために用いられるプロセス部材とを備え、画像形成装置に対して着脱自在に装着されるプロセスカートリッジにおいて、前記プロセス部材に対して画像形成装置からの駆動力を伝達するための駆動力伝達部と、前記プロセス部材に対して画像形成装置から電気的な接続をするための電極とを備え、前記筐体は、所定間隔を隔てて対向配置される２つの側壁を備え、前記駆動力伝達部および前記電極は、ともに一方の前記側壁に配置されており、前記駆動力伝達部に対する画像形成装置からの駆動力の伝達による、前記側壁の移動を規制するための規制部材を備えていることを特徴としている。
【００２５】
このような構成によると、駆動力伝達部に画像形成装置からの駆動力が伝達されたときに、規制部材によって、その駆動力によって側壁が従動することを防止することができる。そのため、プロセスカートリッジに対する電力および駆動力の安定した供給を達成することができる。
また、請求項１７に記載の発明は、請求項１６に記載の発明において、前記筐体は、前記駆動力伝達部と前記電極とが設けられる前記側壁を備える第１筐体と、前記第１筐体を着脱可能とし、前記規制部材が設けられる第２筐体とを備えていることを特徴としている。
【００２６】
このような構成によると、駆動力伝達部に画像形成装置からの駆動力が伝達されたときには、第２筐体に設けられる規制部材によって、第１筐体に設けられる駆動力伝達部および電極が設けられている側壁が従動することを防止することができる。そのため、側壁の従動を確実に防止することができる。
また、請求項１８に記載の発明は、筐体と、前記筐体に設けられ、画像形成プロセスのために用いられるプロセス部材とを備え、画像形成装置に対して着脱自在に装着されるプロセスカートリッジにおいて、前記プロセス部材に対して画像形成装置からの駆動力を伝達するための駆動力伝達部と、前記プロセス部材に対して画像形成装置から電気的な接続をするための電極とを備え、前記筐体は、所定間隔を隔てて対向配置される２つの側壁を備え、前記駆動力伝達部および前記電極は、一方の前記側壁に配置され、プロセスカートリッジの装着方向の中心部より下流側に設けられていることを特徴としている。
【００２７】
このような構成によると、駆動力伝達部および電極が、一方の側壁において、プロセスカートリッジの装着方向の中心部より下流側に設けられているので、これらを集中して配置することによる、装置の簡略化および小型化を図ることができる。
また、請求項１９に記載の発明は、筐体と、前記筐体に設けられ、画像形成プロセスのために用いられるプロセス部材とを備え、画像形成装置に対して着脱自在に装着されるプロセスカートリッジにおいて、前記プロセス部材に対して画像形成装置からの駆動力を伝達するための駆動力伝達部と、前記プロセス部材に対して画像形成装置から電気的な接続をするための電極とを備え、前記筐体は、所定間隔を隔てて対向配置される２つの側壁を備え、前記駆動力伝達部および前記電極は、一方の前記側壁に配置され、プロセスカートリッジの装着方向において、前記電極が前記駆動力伝達部に対して下流側に設けられていることを特徴としている。
【００２８】
このような構成によると、一方の側壁において、電極が、駆動力伝達部に対してプロセスカートリッジの装着方向の下流側に設けられているので、電極の確実な位置決めと、プロセスカートリッジに対する電力および駆動力の安定した供給を達成することができる。
また、請求項２０に記載の発明は、筐体と、前記筐体に設けられ、画像形成プロセスのために用いられる、感光体を含むプロセス部材とを備え、画像形成装置に対して着脱自在に装着される感光体カートリッジにおいて、前記筐体は、所定間隔を隔てて対向配置される２つの側壁を備え、一方の側壁には、前記プロセス部材に対して画像形成装置から電気的な接続をするための複数の電極が設けられており、複数の前記電極のうち、感光体カートリッジの装着方向の最も下流側の電極が、それ以外の電極に対して、２つの前記側壁の対向方向において最も内側に配置されていることを特徴としている。
【００２９】
このような構成によると、最も下流側の電極が、それ以外の電極に対して２つの側壁の対向方向の最も内側に配置されている。そのため、感光体カートリッジの着脱時には、その電極は、装置本体においてそれ以外の電極に対応して設けられている複数の接点を、所定間隔を隔てて横切るので、そのような接点と摺擦し、磨耗することを防止することができる。その結果、接触不良が生じやすい電極の接触不良を防止して、確実な電気的接続を、長期にわたって確保することができる。
【００３０】
また、請求項２１に記載の発明は、請求項２０に記載の発明において、前記プロセス部材は、前記対向方向において、記録媒体に対して画像を形成するための画像形成領域を有しており、最も下流側の前記電極が、前記対向方向において、前記画像形成領域外に配置されていることを特徴としている。
このような構成によると、最も下流側の電極が対向方向において画像形成領域外に配置されている。そのため、電極によって画像形成が阻害されることがなく、確実な画像形成を達成しつつ、電極の接触不良を防止することができる。
【００３１】
また、請求項２２に記載の発明は、請求項２０または２１に記載の発明において、前記プロセス部材は、前記感光体をクリーニングするためのクリーニング手段とを含み、最も下流側の前記電極が、前記クリーニング手段に接続されるクリーニング電極であることを特徴としている。
このような構成によると、最も下流側の電極が、クリーニング電極であるので、クリーニング手段の最適配置を確保することができる。
【００３２】
また、請求項２３に記載の発明は、請求項２０ないし２２のいずれかに記載の発明において、前記プロセス部材は、前記感光体を帯電させるための帯電手段と、前記感光体に担持される現像剤像を記録媒体に転写するための転写手段と、前記感光体をクリーニングするためのクリーニング手段とを含み、前記電極は、前記感光体に接続される感光体電極と、前記帯電手段に接続される帯電電極と、前記転写手段に接続される転写電極と、前記クリーニング手段に接続されるクリーニング電極とを含むことを特徴としている。
【００３３】
このような構成によると、感光体カートリッジにおいて、主要なプロセス部材に対応する電極が、すべて一方の側壁に配置されるので、複数の電極を集中して配置することによる構成の簡略化を図ることができる。
また、請求項２４に記載の発明は、請求項２０ないし２３のいずれかに記載の発明において、一方の前記側壁には、少なくとも２つの電極間に、これら電極を前記対向方向において異なる位置に配置させるための段差が設けられていることを特徴としている。
【００３４】
このような構成によると、段差によって、リークが発生しやすい電極間に距離をとることができる。そのため、そのような電極間に生ずるリークを、装置を大型化させることなく、簡易な構成で低減することができる。
また、請求項２５に記載の発明は、請求項２０ないし２４のいずれかに記載の発明において、一方の前記側壁は、前記対向方向において、外側に配置される第１壁と、前記第１壁よりも内側に配置され、前記第１壁と平行して設けられる第２壁と、前記第１壁と前記第２壁とに連結され、前記第１壁および前記第２壁に対して直交方向に配置される第３壁とを備え、前記第２壁と前記第３壁とが連続して開口される開口部が形成されており、少なくとも１つの電極は、前記筐体の内側から前記開口部に対して前記第３壁と直交する方向に沿って差し込まれ、前記開口部から前記第２壁と直交する方向に突出するように設けられていることを特徴としている。
【００３５】
このような構成によると、電極を、筐体の内側から、第３壁と直交する方向に沿って開口部に差し込めば、第２壁と直交する方向に突出するように設けることができる。そのため、電極の簡易な装着および確実な配置を達成することができる。
また、請求項２６に記載の発明は、請求項２５に記載の発明において、前記電極は、前記開口部から突出する突出部と、前記筐体の内側に配置され、前記突出部の突出方向と直交する方向に延びる係止板とを一体的に備えており、前記筐体の内側には、前記係止板を受ける受け部と、前記係止板の前記突出部を中心とする回転を規制するために、前記係止板を係止する爪部とを備えていることを特徴としている。
【００３６】
このような構成によると、係止板を受け部で受けて、爪部でその係止板を係止すれば、電極を簡易に組み付けることができる。
また、請求項２７に記載の発明は、請求項２５または２６に記載の発明において、前記プロセス部材は、前記電極と当接する端面を有する回転軸と、前記回転軸に設けられ、前記回転軸に駆動力を入力するためのギヤとを備えており、一方の前記側壁と前記ギヤとは、前記回転軸の軸方向において所定間隔を隔てて配置され、かつ、一方の前記側壁と前記電極とは、前記回転軸の軸方向において所定間隔を隔てて配置されていることを特徴としている。
【００３７】
このような構成によると、一方の側壁に対して、ギヤおよび電極が所定間隔を隔てて配置されるので、これらギヤおよび電極の側壁に対する接触による損傷を防止することができる。
また、請求項２８に記載の発明は、請求項２５ないし２７のいずれかに記載の発明において、一方の前記側壁は、前記第２壁から前記電極の突出方向に突出し、前記開口部に対して前記感光体カートリッジの装着方向下流側の端縁に沿って延びる接点進入防止リブを備えていることを特徴としている。
【００３８】
このような構成によると、開口部の端縁に沿って、接点進入防止リブが設けられているので、感光体カートリッジが画像形成装置に装着されて、その画像形成装置に備えられる接点が電極に当接するときに、その接点を良好に案内することができ、接点が開口部と電極との間の隙間に入り込むことを防止することができる。そのため、接点と電極との確実な接続を達成することができる。
【００３９】
また、請求項２９に記載の発明は、現像剤を担持する現像剤担持体を備え、画像形成装置に対して着脱自在に装着される現像カートリッジにおいて、前記現像剤担持体に対して画像形成装置からの駆動力を伝達するための駆動力伝達部と、前記現像剤担持体に対して画像形成装置から電気的な接続をするための電極と、前記駆動力伝達部および前記電極の両方を保持する保持部とを備えていることを特徴としている。
【００４０】
このような構成によると、保持部が、電極および駆動力伝達部の両方を保持するので、両者の位置決め精度の向上を図ることができる。そのため、部品点数の低減化および装置構成の簡略化を図りつつ、現像カートリッジに対する電力および駆動力の安定した供給を達成することができる。
また、請求項３０に記載の発明は、請求項２９に記載の発明において、所定間隔を隔てて対向配置される２つの側壁を有する筐体を備え、前記駆動力伝達部、前記電極および前記保持部は、一方の前記側壁に配置されていることを特徴としている。
【００４１】
このような構成によると、一方の側壁に配置される駆動力伝達部および電極を、その一方の側壁において保持部により保持するので、装置構成の簡略化を図ることができる。
また、請求項３１に記載の発明は、筐体と、前記筐体に設けられ、現像剤を担持する現像剤担持体とを備え、画像形成装置に対して着脱自在に装着される現像カートリッジにおいて、前記現像剤担持体に対して画像形成装置からの駆動力を伝達するための駆動力伝達部と、前記現像剤担持体に対して画像形成装置から電気的な接続をするための電極とを備え、前記筐体は、所定間隔を隔てて対向配置される２つの側壁を備え、前記駆動力伝達部および前記電極は、一方の前記側壁に配置され、現像カートリッジの装着方向の中心部より下流側に設けられていることを特徴としている。
【００４２】
このような構成によると、駆動力伝達部および電極が、一方の側壁において、現像カートリッジの装着方向の中心部より下流側に設けられているので、これらを集中して配置することによる、装置の簡略化および小型化を図ることができる。
また、請求項３２に記載の発明は、筐体と、前記筐体に設けられ、現像剤を担持する現像剤担持体とを備え、画像形成装置に対して着脱自在に装着される現像カートリッジにおいて、前記現像剤担持体に対して画像形成装置からの駆動力を伝達するための駆動力伝達部と、前記現像剤担持体に対して画像形成装置から電気的な接続をするための電極とを備え、前記筐体は、所定間隔を隔てて対向配置される２つの側壁を備え、前記駆動力伝達部および前記電極は、一方の前記側壁に配置され、現像カートリッジの装着方向において、前記電極が前記駆動力伝達部に対して下流側に設けられていることを特徴としている。
【００４３】
このような構成によると、一方の側壁において、電極が、駆動力伝達部に対して現像カートリッジの装着方向の下流側に設けられているので、電極の確実な位置決めと、プロセスカートリッジに対する電力および駆動力の安定した供給を達成することができる。
また、請求項３３に記載の発明は、画像形成装置であって、請求項１ないし１９のいずれかに記載のプロセスカートリッジ、請求項２０ないし２８のいずれかに記載の感光体カートリッジ、または、請求項２９ないし３２のいずれかに記載の現像カートリッジを備えていることを特徴としている。
【００４４】
この画像形成装置では、接触不良が低減された電極を備えるプロセスカートリッジ、感光体カートリッジまたは現像カートリッジや、電力および駆動力の安定した供給を達成することのできるプロセスカートリッジ、感光体カートリッジまたは現像カートリッジを備えているので、安定した画像形成を長期にわたって確保することができる。
また、請求項３４に記載の発明は、筐体と、前記筐体に設けられ、画像形成プロセスのために用いられるプロセス部材とを備え、画像形成装置に対して着脱自在に装着されるプロセスカートリッジを備える画像形成装置において、前記プロセスカートリッジは、前記プロセス部材に対して画像形成装置からの駆動力を伝達するための駆動力伝達部と、前記プロセス部材に対して画像形成装置から電気的な接続をするための電極とを備え、前記筐体は、所定間隔を隔てて対向配置される２つの側壁を備え、前記駆動力伝達部および前記電極は、ともに一方の前記側壁に配置されており、前記電極に接触して電気的に接続される接点と、前記駆動力伝達部に対して進退自在に設けられ、前記駆動力伝達部に対して駆動力を入力するための駆動力入力手段とを備えていることを特徴としている。
【００４５】
このような構成によると、プロセスカートリッジが画像形成装置に装着されると、接点が電極に対して進出して接触し、電気的に接続され、また、駆動力入力手段が駆動力伝達部に対して進出して、駆動力を入力する。そのため、プロセスカートリッジに対する電力および駆動力の安定した供給を達成することができる。
また、請求項３５に記載の発明は、筐体と、前記筐体に設けられ、画像形成プロセスのために用いられるプロセス部材とを備え、画像形成装置に対して着脱自在に装着されるプロセスカートリッジを備える画像形成装置において、前記プロセスカートリッジは、前記プロセス部材に対して画像形成装置からの駆動力を伝達するための駆動力伝達部と、前記プロセス部材に対して画像形成装置から電気的な接続をするための電極とを備え、前記筐体は、所定間隔を隔てて対向配置される２つの側壁を備え、前記駆動力伝達部および前記電極は、ともに一方の前記側壁に配置されており、前記駆動力伝達部に対する画像形成装置からの駆動力の伝達による、前記側壁の移動を規制するための規制手段を備えていることを特徴としている。
【００４６】
このような構成によると、駆動力伝達部に画像形成装置からの駆動力が伝達されたときに、規制手段によって、その駆動力によって側壁が従動することを防止することができる。そのため、プロセスカートリッジに対する電力および駆動力の安定した供給を達成する
ことができる。
【発明の効果】
【００４７】
請求項１に記載の発明によれば、接触不良が生じやすい電極の接触不良を防止して、確実な電気的接続を、長期にわたって確保することができる。
請求項２に記載の発明によれば、確実な画像形成を達成しつつ、電極の接触不良を防止することができる。
請求項３に記載の発明によれば、クリーニング手段の最適配置を確保することができる。
【００４８】
請求項４に記載の発明によれば、複数の電極を集中して配置することによる構成の簡略化を図ることができる。
請求項５に記載の発明によれば、装置構成の簡略化を図ることができる。
請求項６に記載の発明によれば、駆動入力手段の周囲に発生するグリス、埃または削れかすなどによって、最も下流側の電極が汚染されることを防止することができる。
【００４９】
請求項７に記載の発明によれば、現像剤供給口に供給される現像剤の飛散によって、電極が汚染されることを防止することができる。
請求項８に記載の発明によれば、電極間に生ずるリークを、装置を大型化させることなく、簡易な構成で低減することができる。
請求項９に記載の発明によれば、電極の簡易な装着および確実な配置を達成することができる。
【００５０】
請求項１０に記載の発明によれば、電極を簡易に組み付けることができる。
請求項１１に記載の発明によれば、ギヤおよび電極の側壁に対する接触による損傷を防止することができる。
請求項１２に記載の発明によれば、接点と電極との確実な接続を達成することができる。
【００５１】
請求項１３に記載の発明によれば、位置決め精度の向上を図りつつ、コストの低減化を図ることができ、現像ローラおよび供給ローラを同電位に保持することができる。
請求項１４に記載の発明によれば、部品点数の低減化および装置構成の簡略化を図りつつ、プロセスカートリッジに対する電力および駆動力の安定した供給を達成することができる。
【００５２】
請求項１５に記載の発明によれば、装置構成の簡略化を図ることができる。
請求項１６に記載の発明によれば、プロセスカートリッジに対する電力および駆動力の安定した供給を達成することができる。
請求項１７に記載の発明によれば、側壁の従動を確実に防止することができる。
請求項１８に記載の発明によれば、装置の簡略化および小型化を図ることができる。
【００５３】
請求項１９に記載の発明によれば、電極の確実な位置決めと、プロセスカートリッジに対する電力および駆動力の安定した供給を達成することができる。
請求項２０に記載の発明によれば、接触不良が生じやすい電極の接触不良を防止して、確実な電気的接続を、長期にわたって確保することができる。
請求項２１に記載の発明によれば、確実な画像形成を達成しつつ、電極の接触不良を防止することができる。
【００５４】
請求項２２に記載の発明によれば、クリーニング手段の最適配置を確保することができる。
請求項２３に記載の発明によれば、複数の電極を集中して配置することによる構成の簡略化を図ることができる。
請求項２４に記載の発明によれば、電極間に生ずるリークを、装置を大型化させることなく、簡易な構成で低減することができる。
【００５５】
請求項２５に記載の発明によれば、電極の簡易な装着および確実な配置を達成することができる。
請求項２６に記載の発明によれば、電極を簡易に組み付けることができる。
請求項２７に記載の発明によれば、ギヤおよび電極の側壁に対する接触による損傷を防止することができる。
【００５６】
請求項２８に記載の発明によれば、接点と電極との確実な接続を達成することができる。
請求項２９に記載の発明によれば、部品点数の低減化および装置構成の簡略化を図りつつ、現像カートリッジに対する電力および駆動力の安定した供給を達成することができる。
【００５７】
請求項３０に記載の発明によれば、装置構成の簡略化を図ることができる。
請求項３１に記載の発明によれば、装置の簡略化および小型化を図ることができる。
請求項３２に記載の発明によれば、電極の確実な位置決めと、プロセスカートリッジに対する電力および駆動力の安定した供給を達成することができる。
請求項３３に記載の発明によれば、安定した画像形成を長期にわたって確保することができる。
【００５８】
請求項３４に記載の発明によれば、プロセスカートリッジに対する電力および駆動力の安定した供給を達成することができる。
請求項３５に記載の発明によれば、プロセスカートリッジに対する電力および駆動力の安定した供給を達成することができる。
【発明を実施するための最良の形態】
【００５９】
（１）レーザプリンタの全体構成
図１および図２は、本発明の画像形成装置としてのレーザプリンタの一実施形態を示す要部側断面図である。このレーザプリンタ１は、本体ケーシング２内に、記録媒体としての用紙３を給紙するためのフィーダ部４や、給紙された用紙３に画像を形成するための画像形成部５などを備えている。
【００６０】
この本体ケーシング２において、一方側の側壁には、後述するプロセスカートリッジ２０を着脱するための着脱開口部６が形成されており、その着脱開口部６を開閉するためのフロントカバー７が設けられている。
このフロントカバー７は、その下端部に挿通された図示しないカバー軸に回動自在に支持されており、そのカバー軸を支点として開閉させることができる。
【００６１】
また、フロントカバー７の内面には、異なった機種に用いられるプロセスカートリッジ２０の装着による故障を防止するために、異機種装着防止用の突部としての２つのリブ３５１が、幅方向において互いに対向配置されて、本体ケーシング２の内方に向けて突設されている。そして、プロセスカートリッジ２０には、後述する凹部３５２が形成されている。本体ケーシング２にプロセスカートリッジ２０を装着して、フロントカバー７を閉じると、各リブ３５１がプロセスカートリッジ２０の各凹部３５２に嵌り込み、図１に示すように、フロントカバー７によって着脱開口部６が閉鎖される。この状態から、フロントカバー７を開くと（傾倒させると）、図２に示すように、プロセスカートリッジ２０の各凹部３５２から各リブ３５１が離脱して、着脱開口部６が開放され、この着脱開口部６を介して、プロセスカートリッジ２０を本体ケーシング２に対して着脱させることができる。一方、このレーザプリンタ１と異なる機種に用いられるプロセスカートリッジを本体ケーシング２に装着して、フロントカバー７を閉じたときには、各リブ３５１がプロセスカートリッジに干渉し、フロントカバー７を完全に閉じることができないので、そのようなプロセスカートリッジの装着を防止することができる。
【００６２】
なお、以下では、このレーザプリンタ１およびプロセスカートリッジ２０において、フロントカバー７が設けられる側（プロセスカートリッジ２０の装着方向上流側）を「前側」とし、その反対側（プロセスカートリッジ２０の装着方向下流側）を「後側」とする。
フィーダ部４は、本体ケーシング２内の底部に、着脱可能に装着される給紙トレイ９と、給紙トレイ９の前端部の上方に設けられる給紙ローラ１０および分離パッド１１と、給紙ローラ１０の後側に設けられるピックアップローラ１２と、給紙ローラ１０の前側下方において対向配置されるピンチローラ１３と、給紙ローラ１０の後側上方に設けられる上下１対のレジストローラ１４とを備えている。
【００６３】
給紙トレイ９の内部には、用紙３を積層状に載置可能な用紙押圧板１５が設けられている。この用紙押圧板１５は、後端部において揺動可能に支持されることによって、前端部が上下方向に移動可能にされている。
また、給紙トレイ９の前端部には、用紙押圧板１５の前端部を上方に持ち上げるためのレバー１７が設けられている。このレバー１７は、用紙押圧板１５の前側から下側へ回り込むように断面略Ｌ字状に形成されており、その上端部が、給紙トレイ９の前端部に設けられたレバー軸１８に取り付けられ、その後端部が、用紙押圧板１５の下面の前端部に当接している。これによって、レバー軸１８に図中時計回りの回転駆動力が入力されると、レバー１７がレバー軸１８を支点として回転し、レバー１７の後端部が用紙押圧板１５の前端部を持ち上げる。
【００６４】
用紙押圧板１５の前端部が持ち上げられると、用紙押圧板１５上の最上位にある用紙３は、ピックアップローラ１２に押圧され、そのピックアップローラ１２の回転によって、給紙ローラ１０と分離パッド１１との間に向けて搬送開始される。
一方、給紙トレイ９を本体ケーシング２から離脱させると、用紙押圧板１５は、その自重によって、前端部が下方に移動し、給紙トレイ９の底面に沿った状態になる。この状態で、用紙押圧板１５上に用紙３を積層状に載置することができる。
【００６５】
ピックアップローラ１２によって給紙ローラ１０と分離パッド１１との間に向けて送り出された用紙３は、給紙ローラ１０の回転によって、給紙ローラ１０と分離パッド１１との間に挟まれたときに、確実に１枚ごとに捌かれて給紙される。給紙された用紙３は、給紙ローラ１０とピンチローラ１３との間を通り、レジストローラ１４に搬送される。
レジストローラ１４は、上側および下側の１対のローラから構成され、用紙３を、レジスト後に、画像形成部５の転写位置（後述する感光ドラム９２と転写ローラ９４との間であって、感光ドラム９２上のトナー像を用紙３に転写する位置）に搬送する。
【００６６】
画像形成部５は、スキャナ部１９、プロセスカートリッジ２０、定着部２１などを備えている。
スキャナ部１９は、本体ケーシング２内の上部に設けられ、図示しないレーザ光源、回転駆動されるポリゴンミラー２２、ｆθレンズ２３、反射鏡２４、レンズ２５および反射鏡２６などを備えている。レーザ光源から発光される画像データに基づくレーザビームは、破線で示すように、ポリゴンミラー２２で偏向されて、ｆθレンズ２３を通過した後、反射鏡２４によって光路が折り返され、さらにレンズ２５を通過した後、反射鏡２６によってさらに光路が下方に屈曲されることにより、プロセスカートリッジ２０の後述する感光ドラム９２の表面上に照射される。
【００６７】
プロセスカートリッジ２０は、スキャナ部１９の下方において、本体ケーシング２に対して着脱自在に装着されている（図２参照）。このプロセスカートリッジ２０は、図３に示すように、ドラムカートリッジ２７（図１１参照）と、ドラムカートリッジ２７に対して着脱自在に装着される現像カートリッジ２８（図４参照）とを備えている。
なお、現像カートリッジ２８は、本体ケーシング２に対してドラムカートリッジ２７と一体的に着脱させることができ、また、ドラムカートリッジ２７を本体ケーシング２に装着した状態で、現像カートリッジ２８のみを本体ケーシング２に対して着脱させることもできる。
（２）現像カートリッジの構成
図４は、図１に示すレーザプリンタの現像カートリッジの要部側断面図である。
【００６８】
現像カートリッジ２８は、図４に示すように、第１筐体としての現像側筐体２９と、その現像側筐体２９内に設けられるプロセス部材としての供給ローラ３１、現像剤担持体としての現像ローラ３２、アジテータ４６および層厚規制ブレード３３とを備えている。
現像側筐体２９は、たとえば、ポリスチレンなどの樹脂材料からなり、後側が開口されるボックス状をなし（図７参照）、下フレーム３４および上フレーム３５からなり、現像剤収容部としてのトナー収容室３０、現像室３６および第１延長部としての上側延長部３７を備えている。
【００６９】
下フレーム３４は、幅方向（第１の方向としての前後方向と、第２の方向としての上下方向との両方に直交する方向、以下同様。）に間隔を隔てて対向配置される左側壁３８（図８および図９参照）および右側壁３９（図１０参照）と、それら左側壁３８および右側壁３９の間を連結し、上下に配置される下壁４０および上壁４１と、上壁４１の前端縁に設けられる第１壁部としての上側前壁４２とを一体的に備えている。
【００７０】
下壁４０は、前後方向および幅方向に延びる板状をなし、後側から前側に向かって上方に傾斜し、現像室３６を画成するための後側下壁部４３と、その後側下壁部４３の前端縁に連続し、後述するアジテータ４６の回転軌道に沿う断面略弓形状の前側下壁部４４とを一体的に備えている。この下壁４０は、左側壁３８および右側壁３９の間に挟持されるように設けられている。
【００７１】
前側下壁部４４の最深部には、現像カートリッジ２８をドラムカートリッジ２７に位置決めするための位置決め部８４が形成されている。この位置決め部８４は、ドラムカートリッジ２７の後述する突起部１１８が当接して位置決めできるように、下方に向かって凸状に形成され、幅方向において互いに間隔を隔てて２つ設けられている。
また、後側下壁部４３と前側下壁部４４との境界には、上方に向かって断面略三角形状に突出する下側仕切部５５が幅方向に沿って形成されている。
【００７２】
図５は、図４に示す現像カートリッジの正面側から見た斜視図であり、図６は、図４に示す現像カートリッジの平面図である。
上壁４１は、図５および図６に示すように、左側壁３８および右側壁３９の対向間隔よりも幅広の平板状をなし、左側壁３８および右側壁３９の上端縁間に架設されている。この上壁４１におけるトナー収容室３０に対応する位置には、上フレーム３５が被装される平面視略矩形状の上面開口部４９（図４参照）が形成されている。
【００７３】
上壁４１の後端部には、下方に向かって突出するブレード支持部５７が幅方向に沿って形成されている。
また、上壁４１における上面開口部４９の前端部には、下壁４０の前端縁が連結されており、その連結部より前側が、さらに前方に向かって延長され、前後方向および幅方向に沿って延びる第１延長部の上壁としての上壁延長部５０とされている。この上壁延長部５０の上面は、平面形状（外観上、実質的に凹凸のない平坦形状）に形成されている。
【００７４】
上側前壁４２は、板状をなし、上壁延長部５０の前端縁から下方に向かって略直角方向に屈曲するように形成されている。この上側前壁４２は、現像側筐体２９の厚さ方向（上下方向）途中まで延び、その前面が平面形状（外観上、実質的に凹凸のない平坦形状）に形成されている。
また、この上側前壁４２の幅方向両端部には、下方に向かってさらに突出する正面視略細長矩形状の第１壁部突出部および連結部分としての突出板５１が、上側前壁４２と一体的に形成されている。各突出板５１の前面は、平面形状（外観上、実質的に凹凸のない平坦形状）に形成され、上側前壁４２の前面と面一に形成されている。これによって、各突出板５１を含む上側前壁４２は、正面視略コ字状の平面形状（外観上、実質的に凹凸のない平坦形状）として形成される。
【００７５】
また、各突出板５１には、後述する左側壁延長部５２および右側壁延長部５３が、直交方向において連結されている。
左側壁３８および右側壁３９は、上下方向に延びる板状をなし、その上端縁において上壁４１が架設され、その下方において下壁４０を挟んで、後述する現像ローラ３２の軸方向において、それぞれの内面が互いに対向するように配置されている。左側壁３８および右側壁３９は、図４に示すように、後端縁が、下壁４０の後側下壁部４３の後端縁および上壁４１の後端縁まで延び、また、前端縁が、上側前壁４２まで延び、各突出板５１に連結されている。左側壁３８および右側壁３９における前後方向途中には、前側下壁部４４が連結されており、その連結部より前方に向かって延長され、前後方向における連結部から上側前壁４２までの間が、それぞれ、１対の第１側壁としての左側壁延長部５２および右側壁延長部５３とされている。
【００７６】
なお、左側壁３８には、図９に示すように、後述するギヤ機構部４５が設けられている。また、右側壁３９には、図１０に示すように、トナー収容室３０にトナーを供給するための現像剤供給口としてのトナー供給口４７が設けられている。このトナー供給口４７は、右側壁３９におけるトナー収容室３０に対応する位置に、右側壁３９の厚さ方向を貫通する円形状に形成されている。なお、このトナー供給口４７には、トナー収容室３０からトナー供給口４７を介してトナーが漏れることを防止するためのキャップ４８が設けられている。このキャップ４８は、トナー供給口４７よりもやや大きい円形状をなし、トナー供給口４７を塞いでいる。
【００７７】
上フレーム３５は、図４および図５に示すように、略矩形平板状をなし、下フレーム３４の上面開口部４９を塞ぎ、下フレーム３４に被装するように設けられている。この上フレーム３５には、その下面に幅方向に互いに間隔を隔てて複数のリブ５４が並列配置されている。また、その下面には、下壁４０の下側仕切部５５に対向して、下方に向かって突出する上側仕切板５６が幅方向に沿って形成されている。上側仕切板５６と下側仕切部５５とは、上下方向において間隔が隔てられており、その隙間がトナー放出口５８として形 成されている。
【００７８】
そして、この現像側筐体２９では、上側仕切板５６および下側仕切部５５より後方の内部空間が現像室３６として画成され、上側仕切板５６および下側仕切部５５より前方の内部空間がトナー収容室３０として画成され、これら現像室３６およびトナー収容室３０が下フレーム３４に設けられるように形成されている。さらに、この現像側筐体２９では、トナー収容室３０から前側に延設され、上壁延長部５０、突出板５１を含む上側前壁４２、左側壁延長部５２および右側壁延長部５３により画成された上側延長部３７が、下フレーム３４に設けられるように形成されている。
【００７９】
トナー収容室３０には、現像剤として、正帯電性の非磁性１成分のトナーが収容されている。このトナーとしては、重合性単量体、たとえば、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などによって共重合させることにより得られる重合トナーが用いられている。このような重合トナーは、略球状をなし、流動性が極めて良好であり、高画質の画像形成を達成することができる。
【００８０】
なお、このトナーには、カーボンブラックなどの着色剤やワックスなどが配合されており、また、流動性を向上させるために、シリカなどの外添剤が添加されている。トナーの平均粒径は、約６〜１０μｍである。
また、このトナー収容室３０には、左側壁３８および右側壁３９において、本体ケーシング２内に設けられる光センサからなるトナーエンプティセンサ（図示せず）の光を通過させるためのトナー検知窓８５が、幅方向において対向する位置に設けられている。
【００８１】
アジテータ４６は、トナー収容室３０内に設けられている。このアジテータ４６は、トナー収容室３０内における側面視中心部に設けられ、左側壁３８および右側壁３９に回転自在に支持される回転軸５９と、その回転軸５９から径方向に延びる攪拌部材６０とを備えている。なお、回転軸５９の左側軸端部は、左側壁３８から突出するように設けられている。なお、攪拌部材６０には、その先端部に、トナー収容室３０の内側面と摺動するフィルムを設けてもよい。
【００８２】
供給ローラ３１は、現像室３６内において、前側下方に配置され、金属製の供給ローラ軸６２と、その供給ローラ軸６２の周りを被覆する、導電性の発泡材料からなるスポンジローラ６３とを備えている。なお、供給ローラ軸６２の左側軸端部は、左側壁３８から突出するように設けられている。
現像ローラ３２は、現像室３６内において、後側下方に配置され、供給ローラ３１と互いに圧接され、かつ、後側部分が現像側筐体２９から後方に部分的に露出するように設けられている。この現像ローラ３２は、金属製の現像ローラ軸６４と、その現像ローラ軸６４の周りを被覆する、導電性のゴム材料からなるゴムローラ６５が被覆されている。より具体的には、ゴムローラ６５は、カーボン微粒子などを含む導電性のウレタンゴムまたはシリコーンゴムからなり、その表面が、フッ素含有ウレタンゴムまたはシリコーンゴムにより被覆されている。なお、現像ローラ軸６４の両側軸端部は、左側壁３８および右側壁３９から突出するように設けられている。
【００８３】
また、供給ローラ３１および現像ローラ３２は、図２０に示すように、供給ローラ軸６２の右側軸端部および現像ローラ３２の右側軸端部は、共通の軸受部材８２によって、回転自在に支持されている。この軸受部材８２は、絶縁性の樹脂材料からなり、供給ローラ軸６２の右側軸端部および現像ローラ３２の右側軸端部の両方を回転自在に支持した状態
で、右側壁３９に設けられている。一方、供給ローラ軸６２の左側軸端部および現像ローラ３２の左側軸端部には、共通の導電部材としてのカラー部材８３が装着されている。このカラー部材８３は、導電性の樹脂材料からなり、供給ローラ軸６２の左側軸端部および現像ローラ３２の左側軸端部の両方を被覆し、かつ、これらと摺動自在に接続され、これらを電気的に接続して、供給ローラ３１と現像ローラ３２とを同電位に保持している。そして、カラー部材８３における現像ローラ３２の左側軸端部を被覆している部分が、後述する現像ローラ接点１７５が接触する現像電極としての現像ローラ電極７６として機能する。
【００８４】
層厚規制ブレード３３は、図４に示すように、現像室３６内に配置され、金属の板ばね材からなるブレード６６と、そのブレード６６の下端部に設けられ、絶縁性のシリコーンゴムからなる断面半円形状の圧接部６７とを備えている。この層厚規制ブレード３３は、現像ローラ３２の上方においてブレード６６の上端部がブレード支持部５７に支持されて、圧接部６７がブレード６６の弾性力によって現像ローラ３２のゴムローラ６５の表面に圧接されている。
【００８５】
図９は、図４に示す現像カートリッジの左側面であって、ギヤカバーが取り外されている状態を示す。
左側壁３８には、図９に示すように、現像ローラ３２、供給ローラ３１およびアジテータ４６に対して機械的な駆動力を入力するための駆動入力手段としてのギヤ機構部４５が設けられている。
【００８６】
ギヤ機構部４５は、左側壁３８の前後方向後部に配置される動力伝達部としての入力ギヤ６８と、その入力ギヤ６８の前側に配置され、入力ギヤ６８と噛合する中間ギヤ７０と、その中間ギヤ７０の前側に配置され、中間ギヤ７０と噛合するアジテータ駆動ギヤ６９と、入力ギヤ６８の後側斜め下方に配置され、入力ギヤ６８に噛合するギヤ部としての現像ローラ駆動ギヤ７１と、入力ギヤ６８の下方に配置され、入力ギヤ６８に噛合する供給ローラ駆動ギヤ７２とを備えている。
【００８７】
入力ギヤ６８には、その中心部に、後述する駆動力入力手段としてのカップリング部材７３（図２６参照）が相対回転不能に連結される連結孔７４が形成されている。アジテータ駆動ギヤ６９は、アジテータ４６の回転軸５９の左側軸端部に相対回転不能に設けられている。現像ローラ駆動ギヤ７１は、現像ローラ軸６４の左側軸端部に相対回転不能に設けられている。供給ローラ駆動ギヤ７２は、供給ローラ軸６２の左側軸端部に相対回転不能に設けられている。
【００８８】
また、ギヤ機構部４５には、図５および図８に示すように、保持部としてのギヤカバー７７が設けられている。このギヤカバー７７は、その内側面で、入力ギヤ６８、中間ギヤ７０、アジテータ駆動ギヤ６９、現像ローラ駆動ギヤ７１および供給ローラ駆動ギヤ７２を回転自在に保持し、かつ、これらギヤを被覆するように形成されており、左側壁３８に取り付けられている。また、このギヤカバー７７は、これらギヤの保持と同時に、現像ローラ軸６４の左側軸端部を、ギヤカバー７７からさらに幅方向外方に突出させて、挿通状態で保持している。また、このギヤカバー７７には、その前側上部に、前方に向かって突出するカバー延長部８６が一体的に設けられている。このカバー延長部８６は、現像カートリッジ２８がドラムカートリッジ２７に装着された状態で、後述するドラム側筐体９１の左側壁９６の外側に配置され、ドラム側筐体９１の左側壁９６の撓みを防止している（図１３参照）。
【００８９】
また、上壁延長部５０には、図５および図６に示すように、把持部７８と、被作用部および被係止部としての現像側ボス７９とが設けられている。
把持部７８は、上壁延長部５０の前端部に形成されている第１切欠部としての上側切欠部８０に設けられる取っ手８１を備えている。
上側切欠部８０は、上壁延長部５０の幅方向中央部において、平面視において上壁延長部５０の前端部が幅方向に沿って略矩形状に切り欠かれ、また、正面視において上側前壁４２の上端部が幅方向に沿って略矩形状に切り欠かれるように、これら上壁延長部５０および上側前壁４２を連続して切り欠くように形成されている。
【００９０】
取っ手８１は、上側切欠部８０であって、上壁延長部５０の前端部の切欠部分と上側前壁４２の上端部の切欠部分との間に設けられ、より具体的には、上側切欠部８０の幅方向両側に配置される上壁延長部５０の前端縁と上側前壁４２の上端縁との境界の間に架設されるように、上側切欠部８０の幅方向にわたって設けられている。
この取っ手８１は、杆状をなし、その断面形状が、図３に示すように、下方（現像側筐体２９の厚み方向）に突出され、より具体的には、上側前壁４２の切欠部分に向かって窪む略凹状に形成されている。また、この取っ手８１の上面は、図５および図１９に示すように、その幅方向両側に配置される上壁延長部５０の上面と面一に形成されている。
【００９１】
現像側ボス７９は、円筒状をなし、左側壁延長部５２の左側外面の後方下部および右側壁延長部５３の右側外面の後方下部から、それぞれ幅方向外方へ向かって突出するように設けられている。
さらにまた、上壁延長部５０には、図５および図６に示すように、プロセスカートリッジ２０が本体ケーシング２（図１参照）に装着されて、フロントカバー７（図１参照）が閉じられたときに、フロントカバー７に設けられた各リブ３５１が嵌り込む異機種装着防止用の凹部３５２が設けられている。
【００９２】
各凹部３５２は、フロントカバー７を閉鎖したときに各リブ３５１と互いに干渉することなく受け入れることができる位置（この実施形態では、上壁延長部５０の左端部）において、平面視において上壁延長部５０の前端部が略矩形状に切り欠かれ、また、正面視において上側前壁４２の上端部が略矩形状に切り欠かれるように、これら上壁延長部５０および上側前壁４２を連続して切り欠くことによって形成されている。これにより、凹部３５２は、その上方および前方が開放されている。
（３）ドラムカートリッジの構成
図１１は、図３に示すプロセスカートリッジのドラムカートリッジを示す要部側断面図であり、図１２は、図１１に示すドラムカートリッジの正面側から見た斜視図である。
【００９３】
ドラムカートリッジ２７は、図１１および図１２に示すように、第２筐体としてのドラム側筐体９１と、そのドラム側筐体９１内に設けられるプロセス部材としての感光体である感光ドラム９２、帯電手段であるスコロトロン型帯電器９３、転写手段である転写ローラ９４、クリーニング手段であるクリーニングブラシ９５とを備えている。
ドラム側筐体９１は、たとえば、ポリスチレンなどの樹脂材料からなり、幅方向に間隔を隔てて対向配置される左側壁９６および右側壁９７、底壁９８、第２壁部としての下側前壁９９ならびに後上壁１００から一体的に形成され、ドラム収容部１０２、現像剤収容部対向部としての現像カートリッジ収容部１０３および第２延長部としての下側延長部１０４を備えている。
【００９４】
左側壁９６および右側壁９７は、後述する感光ドラム９２の軸方向において、それぞれの内面が互いに対向するように配置されており、側面視略船首形状の後側壁部１０５と、側面視略矩形状の前側壁部１０６と、側面視略矩形状の第２側壁としての延長側壁部１０７とが、後側から前側に向かって順次連続して形成されている。
左側壁９６の後側壁部１０５は、図１４および図１７に示すように、前側壁部１０６と幅方向において面一で形成される第１壁１０８と、第１壁１０８の下方において、第１壁１０８よりも幅方向内側に配置される第２壁１０９と、第１壁１０８と第２壁１０９とを連結する第３壁１１０と、第１壁１０８の上方において、第１壁１０８よりも幅方向内側に配置される第４壁１１１と、第１壁１０８と第４壁１１１とを連結する第５壁１１２と、第２壁１０９の後方かつ第４壁１１１の下方において、第２壁１０９および第４壁１１１よりも幅方向内側に配置される第６壁１１３と、第２壁１０９および第４壁１１１と第６壁１１３とを連結する第７壁１１４とを一体的に備えている。
【００９５】
第１壁１０８は、幅方向最外側に配置され、前側壁部１０６から後側壁部１０５の上下方向中央部に延びるように形成されている。
第２壁１０９は、下方に向かって突出する側面視略直角三角形状をなし、第１壁１０８と平行に延びるように形成され、後側壁部１０５の下端部に配置されている。
第３壁１１０は、第１壁１０８の下端縁と第２壁１０９の上端縁とを連結し、これら第１壁１０８および第２壁１０９に対して直交方向に延びるように形成されている。
【００９６】
第４壁１１１は、前後方向に延びる平面視略矩形状をなし、第１壁１０８と平行に延びるように形成され、後側壁部１０５の上端部に配置されている。なお、第４壁１１１は、幅方向において第１壁１０８と第２壁１０９との間に配置されている。
第５壁１１２は、第１壁１０８の上端縁と第４壁１１１の下端縁とを連結し、これら第１壁１０８および第４壁１１１に対して直交方向に延びるように形成されている。
【００９７】
第６壁１１３は、平面視略菱形状をなし、第１壁１０８と平行に延びるように形成され、幅方向最内側において、後側壁部１０５の後端部に配置されている。
第７壁１１４は、第２壁１０９および第４壁１１１の後端縁と、第６壁１１３の前端縁とを連結し、これら第２壁１０９および第４壁１１１と第６壁１１３とに対して直交方向に延びるように形成されている。
【００９８】
なお、第３壁１１０と第５壁１１２との間には、これらの対向方向に沿って、後述するドラム駆動ギヤ１９１を露出させるためのギヤ開口部１９６が形成されている。
図１８は、図３に示すプロセスカートリッジの右側面図であり、図２２は、図１１に示すドラムカートリッジの正断面図である。
図１８および図２２に示すように、右側壁９７の後側壁部１０５は、左側壁９６の後側壁部１０５と同様に形成される、前側壁部１０６と幅方向において面一で形成される第１壁１０８と、第１壁１０８の下方において、第１壁１０８よりも幅方向内側に配置される第２壁１０９と、第１壁１０８と第２壁１０９とを連結する第３壁１１０とを一体的に備えている。
【００９９】
左側壁９６および右側壁９７の各前側壁部１０６は、図１１および図１２に示すように、現像カートリッジ２８の着脱時に、現像ローラ軸６４の軸端部を案内するためのローラ軸案内部１１５と、このローラ軸案内部１１５の後端に連続して設けられ、ローラ軸案内部１１５に案内される現像ローラ軸６４の軸端部を受け入れる規制部材としてのローラ軸受入部１１６とを備えている。
【０１００】
ローラ軸案内部１１５は、前側壁部１０６の上端縁として形成され、前側壁部１０６の前後方向途中から、前方から後方に向かって、斜め下方に延びた後、略水平方向の平坦状に延びるように形成されている。
ローラ軸受入部１１６は、ローラ軸案内部１１５の後側に連続し、ローラ軸案内部１１５の後端部よりも上方に突出した突出壁１１７に、その突出壁１１７の前端縁から側面視略矩形状に切り欠くことによって形成されており、その下端縁が、ローラ軸案内部１１５の後端縁に連続している。
【０１０１】
左側壁９６および右側壁９７の各延長側壁部１０７は、左側壁９６および右側壁９７の各前側壁部１０６と幅方向において面一で、連続して形成されている。
底壁９８は、左側壁９６および右側壁９７の下端縁を前後方向にわたって連結するように設けられ、断面略Ｖ字状に窪む後側底壁部１９３と、略平板状に形成される第２底壁としての前側底壁部１９４と、略矩形平板状に形成される第１底壁としての延長底壁部１９５とが、後側から前側に向かって順次連続して形成されている。
【０１０２】
下側前壁９９は、延長底壁部１９５の前端縁から上方に向かって直角方向に屈曲するように形成されている。この下側前壁９９は、略矩形平板状をなし、幅方向両端部が、左側壁９６および右側壁９７と、直角方向に屈曲するようにして、連続して形成されている。
この下側前壁９９は、現像カートリッジ２８がドラムカートリッジ２７に装着された状態で、図１３に示すように、上下方向において上側前壁４２と対向し、下側前壁９９の前面が、上側前壁４２の前面と面一となる平面形状（外観上、実質的に凹凸のない平坦形状）に形成されている。
【０１０３】
また、この下側前壁９９には、図１２に示すように、下側前壁９９の幅方向中央部において、その上端縁から正面視において略矩形状に切り欠かれることにより、図１３に示すように、上側切欠部８０に連続する第２切欠部としての下側切欠部１１９が形成されている。これによって、現像カートリッジ２８がドラムカートリッジ２７に装着された状態では、上側切欠部８０と下側切欠部１１９とで、正面視略矩形状の開口部が形成される。
【０１０４】
また、この下側前壁９９には、図１２に示すように、下側切欠部１１９よりも幅方向両外方であって両端部の近傍において、上側前壁４２から突出する各突出板５１を受け入れるための受入部１２０が形成されている。
各受入部１２０は、下側前壁９９の上端縁から下方に向かって、正面視において略細長矩形状で前方に向けて膨出するように、形成されている。これによって、現像カートリッジ２８がドラムカートリッジ２７に装着された状態では、図１３に示すように、各突出板５１が各受入部１２０に受け入れられる。
【０１０５】
後上壁１００は、図１１に示すように、前方から後方に向かって下方に向けてやや傾斜する板状をなし、左側壁９６および右側壁９７の各後側壁部１０５の上端縁を、前後方向にわたって連結するように設けられている。この後上壁１００は、その後端縁が、底壁９８の後側底壁部１９３の後端縁と幅方向にわたって連結されている。
また、この後上壁１００には、その前部に、幅方向に延びる平面視略矩形状のレーザ入射窓１２１が開口されている。また、後上壁１００には、その後部斜め上方に、スコロトロン型帯電器９３を支持するための帯電支持部１２２と、その後部内側方に、クリーニングブラシ９５を支持するためのブラシ支持部１２３とが、一体的に形成されている。
【０１０６】
そして、このドラム側筐体９１では、図１１および図１２に示すように、左側壁９６および右側壁９７の各後側壁部１０５と、後上壁１００と、その後上壁１００に上下方向に対向する底壁９８の後側底壁部１９３とで、ドラム収容部１０２が画成されている。これによって、ドラム収容部１０２は、ドラム側筐体９１の後部において、前方が開放される閉鎖空間として形成されている。
【０１０７】
また、左側壁９６および右側壁９７の各前側壁部１０６と、各前側壁部１０６に幅方向において連続する底壁９８の前側底壁部１９４とで、現像カートリッジ収容部１０３が形成されている。これによって、現像カートリッジ収容部１０３は、ドラム側筐体９１の前後方向途中部において、上方が開放され、前方が下側延長部１０４に連通し、後方がドラム収容部１０２に連通する空間として形成されている。
【０１０８】
また、左側壁９６および右側壁９７の延長側壁部１０７と、各延長側壁部１０７に幅方向において連続する底壁９８の延長底壁部１９５と、下側前壁９９とで、下側延長部１０４が画成されている。これによって、下側延長部１０４は、ドラム側筐体９１の後部において、現像カートリッジ収容部１０３から後側に延設され、上方が開放され、その現像カートリッジ収容部１０３に連通する空間として形成されている。
【０１０９】
感光ドラム９２は、図１１に示すように、ドラム収容部１０２内に配置されている。この感光ドラム９２は、円筒形状をなし、最表層がポリカーボネートなどからなる正帯電性の感光層により形成されるドラム本体１２４と、このドラム本体１２４の軸心において、ドラム本体１２４の長手方向に沿って延びる金属製のドラム軸１２５とを備えている。ドラム軸１２５は、図２２に示すように、ドラム側筐体９１の左側壁９６および右側壁９７に回転不能に支持されている。ドラム本体１２４の軸方向両端部には、回転支持部材１９０が相対回転不能に嵌入されており、各回転支持部材１９０は、ドラム軸１２５の周りにおいて、相対回転可能に支持されている。これによって、ドラム本体１２４がドラム軸１２５に対して回転自在に支持される。
【０１１０】
なお、ドラム軸１２５の左側軸端部は、左側壁９６の第１壁１０８から突出するように設けられており、その左側軸端部の端面は、後述するアース接点部１７１の接点が接触する感光体電極としてのアース電極１２７（図１４および図１７参照）とされている。
また、ドラム本体１２４の左側端部には、ドラム軸１２５の周りにおいて回転自在に支持されるドラム駆動ギヤ１９１が相対回転不能に連結されている。このドラム駆動ギヤ１９１は、ギヤ開口部１９６から露出するように配置されている（図１４参照）。また、ドラム本体１２４の右側端部には、右側壁９７と右側の回転支持部材１９０との間において、ドラム軸１２５の周りに、圧縮ばね１９２が配置されている。これによって、ドラム駆動ギヤ１９１に幅方向の摩擦抵抗を生じさせ、ドラム本体１２４の回転駆動安定性を確保している。
【０１１１】
スコロトロン型帯電器９３は、図１１に示すように、ドラム収容部１０２内に配置され、感光ドラム９２の後側斜め上方において、帯電支持部１２２に支持されており、感光ドラム９２と接触しないように間隔を隔てて対向配置されている。このスコロトロン型帯電器９３は、ワイヤ１２８、グリッド１２９およびワイヤクリーナ１３０を備えている。
ワイヤ１２８は、帯電支持部１２２において、左側壁９６および右側壁９７の間に張設されている。また、ワイヤ１２８の左端部には、板金からなるワイヤ電極１３１が取り付けられており、そのワイヤ電極１３１は、帯電支持部１２２において、左側壁９６の第４壁１１１の前端部に上下方向に形成されたスリットの間から幅方向外方に露出するように固定されている（図１４および図１７参照）。
【０１１２】
グリッド１２９は、幅方向に沿ってワイヤ１２８の下方を囲むように配置され、左側壁９６および右側壁９７の間に架設されている。また、グリッド１２９の左端部には、板金からなるグリッド電極１３２が取り付けられており、そのグリッド電極１３２は、帯電支持部１２２において、左側壁９６の第４壁１１１の後端部に前側下方から斜め後側上方に傾斜する方向に形成されたスリットの間から幅方向外方に露出するように固定されている（図１４および図１７参照）。
【０１１３】
ワイヤクリーナ１３０は、ワイヤ１２８を挟持した状態で、帯電支持部１２２において、幅方向に沿ってスライド自在に支持されている。このワイヤクリーナ１３０を幅方向に沿ってスライドさせることにより、ワイヤ１２８がクリーニングされる。
転写ローラ９４は、ドラム収容部１０２内に配置され、感光ドラム９２の下方に配置されている。この転写ローラ９４は、金属製の転写ローラ軸１３３と、その転写ローラ軸１３３の周りを被覆する、イオン導電性のゴム材料からなるゴムローラ１３４が被覆されている。
【０１１４】
転写ローラ軸１３３の左側軸端部には、図２３（ａ）に示すように、転写ローラ駆動ギヤ１３５が転写ローラ軸１３３に対して相対回転不能に設けられている、また、その転写ローラ駆動ギヤ１３５に対して軸方向内側には、この転写ローラ駆動ギヤ１３５と隣接して、軸受部材１３６が転写ローラ軸１３３に対して相対回転可能に設けられている。この軸受部材１３６は、底壁９８に設けられるリブからなる軸受支持部１４４に、軸方向および前後方向が位置決めされた状態で支持されている。これによって、転写ローラ軸１３３の左側軸端部は、底壁９８の軸受支持部１４４に支持される軸受部材１３６に回転自在に支持される。
【０１１５】
なお、転写ローラ軸１３３の右側軸端部も、底壁９８の軸受支持部１４４に支持される軸受部材１３６に、軸方向および前後方向が位置決めされた状態で、回転自在に支持されている（図２２参照）。
また、転写ローラ軸１３３の左側軸端部の端面には、ドラム側筐体９１に設けられる転写電極支持部１３８に支持されている転写電極１３７が当接している。これによって、転写ローラ軸１３３の軸方向は、右側の軸受部材１３６と左側の転写電極１３７とで位置決めされている。
【０１１６】
転写電極１３７は、導電性の樹脂材料からなり、略矩形板状の係止板１３９と、その係止板１３９の一方の表面の中心から、係止板１３９が延びる方向に対して直交する方向に突出する断面略矩形状の突出部１４０と、他方の表面の中心から、突出部１４０の突出方向と反対方向に円弧状に膨出する電極当接部１４１とを一体的に備えている。
転写電極支持部１３８には、左側壁９６の第２壁１０９と第３壁１１０とが連続して、正断面略Ｌ字状に切り欠かれる、正面視および側面視において略矩形状の転写電極開口部１４２（図１５参照）が形成されており、また、転写電極支持部１３８は、ドラム側筐体９１の内側において、その転写電極開口部１４２を囲むように設けられる受け部としての転写電極受け部１４３を備えている。
【０１１７】
転写電極受け部１４３には、転写電極開口部１４２を挟んで前後方向に対向配置される２つの係止リブ１４５が形成されている。各係止リブ１４５の上端部には、鉤状の爪部１４７が形成されている。
そして、転写電極１３７は、次のようにして転写電極支持部１３８に組み付けられ、支持される。すなわち、図２３（ｂ）に示すように、まず、係止板１３９を、転写電極受け部１４３に配置して、突出部１４０を、転写電極開口部１４２に対して、ドラム側筐体９１の内側から第３壁１１０と直交する方向に沿って差し込んで、その突出部１４０を、転写電極開口部１４２から第２壁１０９と直交する幅方向に突出させる。次いで、係止板１３９における前後方向に配置される両端部のうち、一方端部を、一方の係止リブ１４５の爪部１４７に係止させる。その後、図２３（ｃ）に示すように、係止板１３９を突出部１４０を中心として回転させて、他方端部を、他方の係止リブ１４５の爪部１４７に係止させる。
【０１１８】
これによって、転写電極１３７は、その突出部１４０が、転写電極開口部１４２から幅方向外方に突出され、かつ、その係止板１３９が、各係止リブ１４５の係止によって突出部１４０を中心とする回転が規制された状態で、転写電極受け部１４３に受けられ、転写電極支持部１３８に支持される。
そして、図２３（ａ）に示すように、このように支持されている転写電極１３７の電極当接部１４１に対して、転写ローラ軸３３の左側軸端部の端面が摺動自在に当接している。この状態において、転写ローラ駆動ギヤ１３５は、第２壁１０９と軸方向（幅方向）において間隔を隔てて配置される。また、転写電極１３７も、第２壁１０９と軸方向（幅方向）において間隔を隔てて配置される。
【０１１９】
クリーニングブラシ９５は、図１１に示すように、ドラム収容部１０２内に配置され、感光ドラム９２の後側側方において、ブラシ支持部１２３に支持されている。このクリーニングブラシ９５は、幅方向に沿って延びる略矩形細長状の支持板に多数のブラシ毛が植設されている。クリーニングブラシ９５は、ブラシ支持部１２３に支持された状態で、感光ドラム９２の表面にブラシ毛が幅方向に沿って接触するように、感光ドラム９２に対して前後方向に対向配置されている。また、このクリーニングブラシ９５の支持板の左側端部には、板金からなるクリーニング電極１４８が取り付けられている。このクリーニング電極１４８は、ブラシ支持部１２３において、左側壁９６の第６壁１１３の後端部に上下方向に形成されたスリットの間から幅方向外方に露出するように固定されている（図１４および図１７参照）。
【０１２０】
現像カートリッジ収容部１０３には、現像カートリッジ２８の各位置決め部８４に当接される突起部１１８と、用紙３を案内するための第２ガイド部としての後側リブ１６２とが設けられている。
突起部１１８は、図１２に示すように、前側底壁部１９４の前後方向途中において、幅方向において互いに間隔を隔てて２つ設けられている。各突起部１１８は、ドラムカートリッジ２７に装着される現像カートリッジ２８の各位置決め部８４と対向配置され、上方に向かって断面半円状に突出するように形成されている。
【０１２１】
後側リブ１６２は、図１５に示すように、前側底壁部１９４の裏面（底面）から下方に向かって突出され、その後部に、幅方向において互いに間隔を隔てて配置され、前後方向に延びる複数の第１後側リブ１６３と、その第１後側リブ１６３に対して前側に配置され、幅方向において互いに間隔（第１後側リブ１６３よりも幅広の間隔）を隔てて配置され、前後方向に延びる複数の第２後側リブ１６４とを備えている。
【０１２２】
また、この現像カートリッジ収容部１０３には、図１２に示すように、左側壁９６および右側壁９７において、現像カートリッジ２８の各トナー検知窓８５と幅方向において対向する位置に、トナーエンプティセンサ（図示せず）の光を通過させるためのトナー通過窓１０１が設けられている。
また、下側延長部１０４は、図１２に示すように、現像カートリッジ収容部１０３に装着される現像カートリッジ２８の現像ローラ３２を、感光ドラム９２に向けて押圧するための押圧部１４９と、現像カートリッジ収容部１０３に装着される現像カートリッジ２８のドラムカートリッジ２７に対する装着状態をロックするロック手段としてのロックレバー１５３と、本体ケーシング２に対してドラムカートリッジ２７を位置決めするための位置決め部としてのドラム側ボス１５０とを備えている。
【０１２３】
押圧部１４９は、下側延長部１０４における幅方向両端部にそれぞれ設けられている。
図２１は、図３に示すプロセスカートリッジにおいて、現像カートリッジをドラムカートリッジに装着する状態を示す工程図であって、（ａ）から（ｄ）の順に進行する。なお、図２１では、カバー延長部８６を省略して示している。
各押圧部１４９は、図２１に示すように、現像カートリッジ２８のドラムカートリッジ２７に対する着脱において、現像側ボス７９に係脱自在に当接する押圧部材１５１と、その押圧部材１５１を現像側ボス７９に向けて付勢する付勢手段としての圧縮ばね１５２とを備えている。
【０１２４】
押圧部材１５１は、側面視略三角形状の厚板からなり、その後端面には、前方から後方に向かって下方に傾斜する案内面１５４と、その案内面１５４の下端から前方に向かって屈曲する固定面１５５とが連続して形成されている。また、押圧部材１５１の下端面の後部からは、下方に向かって取付部１５６が延設されている。押圧部材１５１の取付部１５６の下端部は、左側壁９６および右側壁９７の延長側壁部１０７から幅方向内方に突出する固定軸１５７に、揺動自在に支持されている。
【０１２５】
圧縮ばね１５２は、その一端が延長底壁部１９５の前端部に固定され、その他端が押圧部材１５１の下端面の前部に係止されている。そのため、押圧部材１５１は、常には、図２１（ａ）に示すように、圧縮ばね１５２の付勢力により、取付部１５６が固定軸１５７に支持される下端部から斜め後方に傾斜する状態で保持されている。
ロックレバー１５３は、下側延長部１０４における幅方向左側端部であって、押圧部材１５１に対して幅方向外側に隣り合うように設けられている。このロックレバー１５３は、側面視略Ｖ字状の厚板からなり、一方の端部には、幅方向に扁平する操作部としての操作板１５８が設けられている。他方の端部には、幅方向内方に突出する係止部としての当接片１６１が形成されている。また、他方の端部には、斜め前方下側に延びる弾性を有する可撓片１５９が延設されている。Ｖ字状の屈曲部には、左側壁９６の延長側壁部１０７から幅方向内方に突出し、固定軸１５７に対して上方斜め前側に配置される支持軸１６０が挿通されている。
【０１２６】
これによって、ロックレバー１５３は、支持軸１６０によって回動自在に支持されている。また、可撓片１５９の下端部は、ドラム側筐体９１の図示しないリブに係止されている。そのため、ロックレバー１５３は、常には、可撓片１５９の弾性力により、操作板１５８の上面が、現像カートリッジ収容部１０３に装着された現像カートリッジ２８の上壁延長部５０の上面と、ほぼ面一となるように配置される（図１３および図１９参照）。
【０１２７】
ドラム側ボス１５０は、図１２および図１７に示すように、円筒状をなし、左側壁９６および右側壁９７の延長側壁部１０７において、各延長側壁部１０７の前端部かつ下端部の外面から、幅方向両外方へ向かってそれぞれ突出するように設けられている。
また、下側延長部１０４には、図１５に示すように、用紙３を感光ドラム９２に向けて搬送するための、上側のレジストローラ１４と、用紙３を案内するための第１ガイド部としての前側リブ１６５とが設けられている。
【０１２８】
上側のレジストローラ１４は、底壁９８の延長底壁部１９５の裏面（底面）において、第２後側リブ１６４の前側に、幅方向に沿って回転自在に設けられている。この上側のレジストローラ１４は、ドラムカートリッジ２７が本体ケーシング２に装着された状態で、下側のレジストローラ１４と上下方向において対向配置される（図１参照）。
前側リブ１６５は、底壁９８の延長底壁部１９５の裏面（底面）において、上側のレジストローラ１４の前側であって、下側前壁９９から切り欠かれる下側切欠部１１９との対向部分（すなわち、幅方向中央部）を含む幅方向全体にわたって設けられている。この前側リブ１６５は、たとえば、ポリアセタール樹脂などの、現像側筐体２９およびドラム側筐体９１よりも硬質の樹脂材料から、ドラム側筐体９１とは別途形成されており、用紙３との接触で磨耗したときに、交換できるようにされている。より具体的には、延長底壁部１９５における下側切欠部１１９との対向部分は、略矩形平板状に形成されており、前側リブ１６５は、その対向部分の裏面（底面）において、幅方向に互いに間隔（第２後側リブ１６４よりも幅広の間隔）を隔てて配置され、前後方向に延びるように複数形成されている。
【０１２９】
これによって、上側のレジストローラ１４は、前後方向において、前側リブ１６５と後側リブ１６２との間に配置される。
そして、このプロセスカートリッジ２０では、ドラムカートリッジ２７の現像カートリッジ収容部１０３に、現像カートリッジ２８が、次のように装着されている。
すなわち、図１７および図１８が参照されるように、現像カートリッジ２８は、まず、その現像側筐体２９の幅方向両外方に突出する現像ローラ軸６４の両端部に設けられたカラー部材８３および軸受部材８２を、ドラムカートリッジ２７のドラム側筐体９１の各ローラ軸案内部１１５に沿って案内し、その後、その現像ローラ軸６４の両端部に設けられたカラー部材８３および軸受部材８２を、各ローラ軸受入部１１６の後端縁に当接させ、各ローラ軸受入部１１６に受け入れさせる。また、これと同時に、現像カートリッジ２８の上側延長部３７の各現像側ボス７９を、ドラムカートリッジ２７の下側延長部１０４の各押圧部１４９に係止させる。
【０１３０】
なお、このようにして、現像カートリッジ２８が現像カートリッジ収容部１０３に装着された状態では、現像ローラ３２が感光ドラム９２に対して接触される。
より具体的には、まず、現像カートリッジ２８を、ドラムカートリッジ２７の現像カートリッジ収容部１０３の上方に配置し（図２１（ａ）参照）、現像ローラ軸６４の両端部に設けられたカラー部材８３および軸受部材８２を、各ローラ軸案内部１１５に沿って案内しつつ、現像カートリッジ２８の前端部を降下させ、図２１（ｂ）に示すように、現像側ボス７９を、押圧部材１５１の案内面１５４に摺擦させながら下方に移動させる。すると、押圧部材１５１は、圧縮ばね１５２の付勢力に抗して、固定軸１５７を支点として徐々に前方に揺動される。
【０１３１】
そして、現像ローラ軸６４の両端部に設けられたカラー部材８３および軸受部材８２が各ローラ軸受入部１１６に受け入れられ、現像ローラ３２が感光ドラム９２に接触すると、図２１（ｃ）に示すように、現像側ボス７９が案内面１５４と固定面１５５との境界に到達し、その現像側ボス７９がロックレバー１５３の当接片１６１に当接して、ロックレバー１５３が可撓片１５９の弾性力に抗して支持軸１６０を支点として回動され、操作板１５８が下方に揺動される。
【０１３２】
その後、現像カートリッジ２８の前端部をさらに降下させると、現像側ボス７９が押圧部材１５１とロックレバー１５３の当接片１６１との間を通過して、図２１（ｄ）に示すように、現像側ボス７９が、押圧部材１５１の固定面１５５に当接され、ロックレバー１５３の当接片１６１の下方に配置される。この状態では、押圧部材１５１が、圧縮ばね１５２の付勢力により、固定軸１５７を支点として後方に揺動されるので、固定面１５５が現像側ボス７９を後方に押圧し、それによって、現像カートリッジ２８が後方に押圧され、現像ローラ３２が感光ドラム９２に圧接される。
【０１３３】
また、現像側ボス７９が、ロックレバー１５３の当接片１６１の下方に配置されるので、当接片１６１が現像側ボス７９に上方から係止され、その現像側ボス７９が上方に離脱することがロックされる。また、ロックレバー１５３が、可撓片１５９の弾性力により、支持軸１６０を支点として回動され、操作板１５８が上方に揺動され、上記したように、操作板１５８の上面が、現像カートリッジ収容部１０３に装着された現像カートリッジ２８の上壁延長部５０の上面と、ほぼ面一となるように配置される。
【０１３４】
なお、現像カートリッジ２８を現像カートリッジ収容部１０３から離脱させる場合には、ロックレバー１５３の操作板１５８を、可撓片１５９の弾性力に抗して押し下げれば、ロックレバー１５３が支持軸１６０を支点として回動され、現像側ボス７９の上方に配置されていた当接片１６１が後方に揺動してロックが解除されるので、現像側ボス７９を、ロックレバー１５３の当接片１６１と押圧部材１５１との間から、圧縮ばね１５２の付勢力に抗して押圧部材１５１を前方に押圧しながら、上方に離脱させることができる。そのため、現像カートリッジ２８の前端部を上方に持ち上げつつ、現像ローラ軸６４の両端部に設けられたカラー部材８３および軸受部材８２を、各ローラ軸受入部１１６から離間させて、各ローラ軸案内部１１５に沿って引き抜けば、現像カートリッジ２８を現像カートリッジ収容部１０３から容易に離脱させることができる。
【０１３５】
また、現像カートリッジ２８のドラムカートリッジ２７に対する装着時には、ドラムカートリッジ２７の各突起部１１８が、現像カートリッジ２８の各位置決め部８４に当接して位置決めされ、現像カートリッジ２８が、ドラムカートリッジ２７に対して、位置決めして固定される。
そして、このようにして、現像カートリッジ２８がドラムカートリッジ２７に装着され、プロセスカートリッジ２０が構成される。
【０１３６】
このように装着された状態では、図１６に示すように、現像カートリッジ２８のトナー収容室３０と、ドラムカートリッジ２７の現像カートリッジ収容部１０３とが上下方向において対向配置される。また、現像カートリッジ２８の上側延長部３７と、ドラムカートリッジ２７の下側延長部１０４とが上下方向において対向配置される。より具体的には、上側延長部３７の上壁延長部５０と、下側延長部１０４の延長底壁部１９５とが、上下方向に間隔を隔てて対向配置される。
【０１３７】
また、現像カートリッジ２８のギヤ機構部４５と、ロックレバー１５３とが、ともに幅方向左側に配置され、前後方向において重なるように配置される。
また、このプロセスカートリッジ２０では、図１７に示すように、ドラム側筐体９１の左側壁９６に、クリーニング電極１４８、グリッド電極１３２、ワイヤ電極１３１、転写電極１３７が設けられ、また、その左側壁９６からアース電極１２７が突出するように設けられている。また、現像側筐体２９の左側壁３８に、現像ローラ電極７６が、ドラム側筐体９１の左側壁９６から突出するように設けられている。すなわち、すべての電極（クリーニング電極１４８、グリッド電極１３２、ワイヤ電極１３１、アース電極１２７、転写電極１３７および現像ローラ電極７６）が、幅方向左側に配置されている。
【０１３８】
また、ギヤ機構部４５も、現像側筐体２９の左側壁３８に設けられており、これら電極と同じ幅方向左側に配置されている。より具体的には、これらすべての電極と、ギヤ機構部４５とは、幅方向左側において、このプロセスカートリッジ２０の前後方向中心部（図１７において、点Ｃで示される。）よりも後側に集中して配置されており、さらに、すべての電極は、入力ギヤ６８に対して後側に配置されている。
【０１３９】
また、すべての電極のうち、最も後側に配置されるクリーニング電極１４８は、幅方向において最も内側に配置される第６壁１１３に設けられているので、第４壁１１１に設けられているグリッド電極１３２やワイヤ電極１３１、第２壁１０９に設けられている転写電極１３７、さらには、第１壁１０８から突出するアース電極１２７や現像ローラ電極７６に対して、幅方向において最も内側に配置される。
【０１４０】
また、クリーニング電極１４８は、図１４に示すように、ギヤ機構部４５よりも、幅方向において内側に配置されている。さらに、このクリーニング電極１４８は、図１４に示すように、このプロセスカートリッジ２０において、後述するように、感光ドラム９２と転写ローラ９４との間を通過する用紙３に対してトナー像を転写して画像を形成する画像形成領域Ｘよりも、幅方向外側に配置されている。
【０１４１】
また、このプロセスカートリッジ２０では、図１４に示すように、第１壁１０８から突出するアース電極１２７および現像ローラ電極７６と、第４壁１１１に設けられるワイヤ電極１３１およびグリッド電極１３２との間には、第５壁１１２によって区画される段差が設けられている。また、第１壁１０８から突出するアース電極１２７および現像ローラ電極７６と、第２壁１０９に設けられる転写電極１３７の間には、第３壁１１０によって区画される段差が設けられている。また、第４壁１１１に設けられるワイヤ電極１３１およびグリッド電極１３２、および、第２壁１０９に設けられる転写電極１３７と、第６壁１１３に設けられるクリーニング電極１４８との間には、第７壁１１４によって区画される段差が設けられている。これによって、クリーニング電極１４８と、転写電極１３７と、ワイヤ電極１３１およびグリッド電極１３２と、アース電極１２７および現像ローラ電極７６とは、幅方向において、順次外側に配置されるので、それぞれ異なる位置に配置される。
【０１４２】
そして、このプロセスカートリッジ２０は、図２に示すように、本体ケーシング２に装着される。プロセスカートリッジ２０は、本体ケーシング２に装着されると、図１に示すように、ドラムカートリッジ２７のドラム側ボス１５０が、本体ケーシング２に設けられている位置決め部材１６６に係合され、これによって、プロセスカートリッジ２０が本体ケーシング２に対して位置決めされる。
【０１４３】
また、本体ケーシング２には、図２４に示すように、本体ケーシング２に装着されたプロセスカートリッジ２０に対して左側方に対向配置される左フレーム１６７が設けられている。この左フレーム１６７には、クリーニング接点部１６８、グリッド接点部１６９、ワイヤ接点部１７０、アース接点部１７１、転写接点部１７２および現像ローラ接点部１７３が設けられている。これら接点部は、本体ケーシング２内に設けられる図示しない電源（高圧電源）に接続されている。
【０１４４】
クリーニング接点部１６８には、本体ケーシング２に装着されたプロセスカートリッジ２０のクリーニング電極１４８に接触するように配置されている接点が、配線を介して接続されており、クリーニング電極１４８に、電源からのクリーニングバイアスを印加する。なお、クリーニングバイアスは、約４００Ｖに設定されている。
グリッド接点部１６９には、本体ケーシング２に装着されたプロセスカートリッジ２０のグリッド電極１３２に接触するように配置されている接点が、配線を介して接続されており、グリッド電極１３２に、電源からのグリッド電圧を印加する。なお、グリッド電圧は、約９００Ｖに設定されている。
【０１４５】
ワイヤ接点部１７０には、本体ケーシング２に装着されたプロセスカートリッジ２０のワイヤ電極１３１に接触するように配置されている接点が、配線を介して接続されており、ワイヤ電極１３１に、電源からの放電電圧を印加する。なお、放電電圧は、約７０００Ｖに設定されている。
アース接点部１７１には、本体ケーシング２に装着されたプロセスカートリッジ２０のアース電極１２７に接触するように配置されている接点が、配線を介して接続されており、アース電極１２７を接地している。
【０１４６】
転写接点部１７２には、本体ケーシング２に装着されたプロセスカートリッジ２０の転写電極１３７に接触するように配置されている接点が、配線を介して接続されており、転写電極１３７に、電源からの転写バイアスを印加する。なお、転写バイアスは、順転写バイアスとして最大約−６５００Ｖが、逆転写バイアスとして約１６００Ｖが、それぞれ設定されている。
【０１４７】
現像ローラ接点部１７３には、後述する現像ローラ接点１７５が、配線を介して接続されており、現像ローラ電極７６に、電源からの現像バイアスを印加する。なお、現像バイアスは、約４００Ｖに設定されている。
また、左フレーム１６７には、入力ギヤ６８の連結孔７４に進退自在に連結されるカップリング部材７３と、そのカップリング部材７３を進退させるための揺動アーム１７４と、その揺動アーム１７４に設けられ、現像ローラ電極７６に対して進退自在に接触する規制手段としての現像ローラ接点１７５とが設けられている。
【０１４８】
揺動アーム１７４は、図２５に示すように、前後方向に沿って延びるアーム部１７６と、そのアーム部１７６の後端部に設けられるカム部１７７とを一体的に備えている。
カム部１７７には、カップリング部材７３が挿通される上下方向に延びる長孔が形成されており、その長孔の上端部の周りには、図２６に示すように、幅方向に厚く形成される退避部１７８が設けられている。また、長孔の下端部の周りには、幅方向に薄く形成される進出部１７９が設けられている。
【０１４９】
そして、この揺動アーム１７４は、その後端部の長孔にカップリング部材７３が挿通された状態で、その前端部が左フレーム１６７に回動自在に支持されている。また、この揺動アーム１７４は、リンク機構１８０によって、フロントカバー７の開閉に連動して、後端部が上下方向に揺動するように設けられている。
カップリング部材７３は、本体ケーシング２に装着されたプロセスカートリッジ２０の入力ギヤ６８の連結孔７４に、幅方向において対向配置されている。このカップリング部材７３には、本体ケーシング２内に設けられる図示しないモータからの回転駆動力が入力されている。また、このカップリング部材７３は、付勢ばね１８１（図２４参照）によって、常には、幅方向内側、つまり、連結孔７４に向かって付勢されている。
【０１５０】
現像ローラ接点１７５は、本体ケーシング２内に設けられる図示しない電源に接続されており、図２５に示すように、揺動アーム１７４のカム部１７７の下端部において、後方に向かって突出するように設けられている。
そして、プロセスカートリッジ２０の本体ケーシング２に対する着脱時において、フロントカバー７を開くと、図２５（ａ）に示すように、揺動アーム１７４は、そのフロントカバー７の開放に連動して、前端部を支点として後端部が降下して、図２６（ａ）に示すように、カップリング部材７３に退避部１７８が係合する。すると、カップリング部材７３は、付勢ばね１８１の付勢力に抗して、入力ギヤ６８の連結孔７４から退避する。また、この状態においては、図２５（ａ）に示すように、現像ローラ接点１７５は、現像ローラ電極７６から退避され、現像ローラ電極７６と、下方において間隔を隔てて離間される。
【０１５１】
また、プロセスカートリッジ２０の本体ケーシング２に対する装着後において、フロントカバー７を閉めると、図２５（ｂ）に示すように、揺動アーム１７４は、そのフロントカバー７の閉鎖に連動して、前端部を支点として後端部が上昇して、図２６（ｂ）に示すように、カップリング部材７３に進出部１７９が係合する。すると、カップリング部材７３は、付勢ばね１８１の付勢力によって、入力ギヤ６８の連結孔７４内に進出して、相対回転不能に連結される。これによって、カップリング部材７３からの回転駆動力が入力ギヤ６８に伝達される。すると、入力ギヤ６８から中間ギヤ７０を介してアジテータ駆動ギヤ６９に駆動力が伝達され、アジテータ４６が回転される。また、入力ギヤ６８から現像ローラ駆動ギヤ７１に駆動力が伝達され、現像ローラ３２が回転される。また、入力ギヤ６８から供給ローラ駆動ギヤ７２に駆動力が伝達され、供給ローラ３１が回転される。
【０１５２】
また、この状態においては、図２５（ｂ）に示すように、現像ローラ接点１７５は、現像ローラ電極７６に対して進出し、現像ローラ電極７６と幅方向において重なるように接触される。これによって、現像ローラ接点１７５から現像ローラ電極７６に、電源からの現像バイアスが印加される。
また、プロセスカートリッジ２０は、本体ケーシング２に装着された状態では、ドラム本体１２４の軸方向左側端部に連結され、ギヤ開口部１９６から露出しているドラム駆動ギヤ１９１に、本体ケーシング２内に設けられ、図示しないモータからの回転駆動力が入力されるドラムギヤが噛合して、ドラム駆動ギヤ１９１にモータからの回転駆動力が入力され、感光ドラム９２が回転される。
【０１５３】
そして、このようにして本体ケーシング２に装着されたプロセスカートリッジ２０では、図１に示すように、まず、現像カートリッジ２８のトナー収容室３０に収容されているトナーがアジテータ４６によって攪拌され、トナー放出口５８から現像室３６に向けて放出される。
トナー放出口５８から現像室３６へ放出されたトナーは、供給ローラ３１の回転により、現像ローラ３２に供給され、このとき、供給ローラ３１と、現像バイアスが印加されている現像ローラ３２との間で正に摩擦帯電される。
【０１５４】
現像ローラ３２の表面に供給されたトナーは、現像ローラ３２の回転に伴なって、層厚規制ブレード３３の圧接部６７と現像ローラ３２との間に進入し、一定厚さの薄層として現像ローラ３２の表面に担持される。
一方、スコロトロン型帯電器９３は、グリッド電圧および放電電圧の印加によりコロナ放電を発生させて、感光ドラム９２の表面を一様に正帯電させている。感光ドラム９２の表面は、感光ドラム９２の回転に伴なって、スコロトロン型帯電器９３により一様に正帯電された後、スキャナ部１９からのレーザビームの高速走査により露光され、用紙３に形成すべき画像に対応した静電潜像が形成される。
【０１５５】
さらに感光ドラム９２が回転すると、次いで、現像ローラ３２の表面に担持されかつ正帯電されているトナーが、現像ローラ３２の回転により、感光ドラム９２に対向して接触するときに、感光ドラム９２の表面に形成されている静電潜像、すなわち、一様に正帯電されている感光ドラム９２の表面のうち、レーザビームによって露光され電位が下がっている露光部分に供給される。これにより、感光ドラム９２の静電潜像は、可視像化され、感光ドラム９２の表面には、反転現像によるトナー像が担持される。
【０１５６】
その後、さらに感光ドラム９２が回転し、転写ローラ９４と対向すると、感光ドラム９２の表面に担持されたトナー像は、レジストローラ１４によって搬送されてくる用紙３が、感光ドラム９２と転写ローラ９４との間の転写位置を通過する間に、転写ローラ９４に印加されている転写バイアスによって、用紙３に転写される。トナー像が転写された用紙３は、次に述べる定着部２１に搬送される。
【０１５７】
そして、さらに感光ドラム９２が回転し、クリーニングブラシ９５と対向すると、転写後に感光ドラム９２の表面に付着する用紙３からの紙粉が、クリーニングブラシ９５に印加されているクリーニングバイアスによって吸引されながら、ブラシによって絡め取られる。なお、転写後に感光ドラム９２の表面に残存する転写残トナーは、現像ローラ３２に回収される。
【０１５８】
定着部２１は、プロセスカートリッジ２０の後側に設けられ、定着フレーム１８２と、その定着フレーム１８２内に、加熱ローラ１８３および加圧ローラ１８４とを備えている。
加熱ローラ１８３は、金属素管と、その金属素管内に設けられるハロゲンランプとを備え、図示しないモータからの駆動力の入力により回転駆動される。
【０１５９】
加圧ローラ１８４は、加熱ローラ１８３の下方において、加熱ローラ１８３を押圧するように対向配置されている。この加圧ローラ１８４は、金属製のローラ軸と、そのローラ軸の周りを被覆するゴム材料からなるローラとを備え、加熱ローラ１８３の回転駆動に従って従動される。
定着部２１では、転写位置において用紙３上に転写されたトナーを、用紙３が加熱ローラ１８３と加圧ローラ１８４との間を通過する間に熱定着させる。トナーが定着した用紙３は、本体ケーシング２の上面に向かって上下方向に延びた排紙パス１８５に搬送される。排紙パス１８５に搬送された用紙３は、その上側に設けられる排紙ローラ１８６によって、本体ケーシング２の上面に形成された排紙トレイ１８７上に排紙される。
（４）プロセスカートリッジについて
そして、このプロセスカートリッジ２０では、図１７に示すように、すべての電極（クリーニング電極１４８、グリッド電極１３２、ワイヤ電極１３１、アース電極１２７、転写電極１３７および現像ローラ電極７６）が、幅方向左側に配置されているので、電極を集中して配置することによる構成の簡略化を図ることができる。
【０１６０】
また、図１４に示すように、それらすべての電極のうち、最も後側に配置されるクリーニング電極１４８が、それ以外の電極（グリッド電極１３２、ワイヤ電極１３１、アース電極１２７、転写電極１３７および現像ローラ電極７６）に対して、幅方向において最も内側に配置されている。そのため、プロセスカートリッジ２０の着脱時には、そのクリーニング電極１４８は、本体ケーシング２の左フレーム１６７において、それ以外の電極に対応して設けられている接点（グリッド接点部１６９、ワイヤ接点部１７０、アース接点部１７１および転写接点部１７２の各接点、および、現像ローラ接点１７５）を、幅方向において所定間隔を隔てて横切るので、そのような接点と摺擦し、磨耗することを防止することができる。その結果、接触不良が生じやすい電極の接触不良を防止して、確実な電気的接続を、長期にわたって確保することができる。
【０１６１】
また、最も後側に配置されるクリーニング電極１４８は、画像形成領域Ｘよりも、幅方向外側に配置されているので、クリーニング電極１４８によって、用紙３に対する画像形成が阻害されることがなく、確実な画像形成を達成しつつ、クリーニング電極１４８の接触不良を防止することができる。
また、クリーニング電極１４８を、最も後側に配置すれば、クリーニングブラシ９５を感光ドラム９２の後方側方（すなわち、感光ドラム９２の回転方向において感光ドラム９２と転写ローラ９４との対向位置よりも下流側）に配置することができる。そのため、クリーニングブラシ９５の最適配置を確保することができる。
【０１６２】
また、プロセスカートリッジ２０では、ギヤ機構部４５も、すべての電極と同じ幅方向左側に配置されている。そのため、より一層、装置構成の簡略化を図ることができる。
さらに、ギヤ機構部４５と、すべての電極とは、幅方向左側において、このプロセスカートリッジ２０の前後方向中心部（図１７において、点Ｃで示される。）よりも後側に集中して配置されている。これによって、ギヤ機構部４５およびすべての電極を集中して配置することによる、装置の簡略化および小型化を図ることができる。
【０１６３】
また、すべての電極は、ギヤ機構部４５の入力ギヤ６８に対して後側に配置されている。これによって、すべての電極の確実な位置決めと、プロセスカートリッジ２０に対する電力および駆動力の安定した供給を達成することができる。また、すべての電極を、ギヤ機構部４５の入力ギヤ６８に対して後側に配置すれば、その入力ギヤ６８の連結孔７４に対して進退するカップリング部材７３が、これら電極と干渉することを防止することができる。そのため、これら電極のカップリング部材７３の干渉による損傷の防止を図ることができる。
【０１６４】
また、最も後側に配置されるクリーニング電極１４８は、ギヤ機構部４５に対して、幅方向内側に配置されている。そのため、ギヤ機構部４５の周囲に発生するグリス、埃または削れかすなどによって、クリーニング電極１４８が汚染されることを防止することができる。
また、このプロセスカートリッジ２０においては、図１０に示すように、現像カートリッジ２８の右側壁３９にトナー供給口４７が設けられており、すべての電極およびギヤ機構部４５が配置されている幅方向左側とは、反対側の幅方向右側にトナー供給口４７が配置されている。そのため、トナー供給口４７に供給されるトナーの飛散によって、これら電極が汚染されることを防止することができる。
【０１６５】
また、このプロセスカートリッジ２０では、図１４に示すように、クリーニング電極１４８と、転写電極１３７と、ワイヤ電極１３１およびグリッド電極１３２と、アース電極１２７および現像ローラ電極７６との間には、第３壁１１０、第５壁１１２および第７壁１１４によって画成される段差が設けられている。このような段差によって、これら電極間に距離をとることができるので、これら電極間に発生するリークを、装置を大型化させることなく、簡易な構成で低減することができる。とりわけ、このプロセスカートリッジ２０では、ワイヤ電極１３１と現像ローラ電極７６との間にリークが発生しやすいが、ワイヤ電極１３１と現像ローラ電極７６との間には、第５壁１１２によって区画される段差が設けられている。そのため、この段差によって、ワイヤ電極１３１と現像ローラ電極７６との間のリークを、簡易な構成で低減することができる。
【０１６６】
また、転写電極１３７は、図２３（ｂ）に示され、上記したように、その係止板１３９を、転写電極受け部１４３に配置して、その突出部１４０を、転写電極開口部１４２に対して、ドラム側筐体９１の内側から第３壁１１０と直交する方向に沿って差し込めば、第２壁１０９と直交する幅方向に突出するように設けることができる。そのため、転写電極１３７の簡易な装着および確実な配置を達成することができる。また、図２３（ｃ）に示され、上記したように、次いで、一方端部を、一方の係止リブ１４５の爪部１４７に係止させ、係止板１３９を突出部１４０を中心として回転させて、他方端部を、他方の係止リブ１４５の爪部１４７に係止させれば、係止板１３９が、各係止リブ１４５の係止によって突出部１４０を中心とする回転が規制された状態で、転写電極受け部１４３に受けられ、転写電極支持部１３８に支持される。そのため、転写電極１３７を簡易に組み付けることができる。
【０１６７】
そして、転写電極１３７が組み付けられると、図２３（ａ）に示すように、転写電極１３７の電極当接部１４１に対して、転写ローラ軸３３の左側軸端部の端面が摺動自在に当接し、この状態において、転写ローラ駆動ギヤ１３５は、第２壁１０９と軸方向（幅方向）において間隔を隔てて配置され、また、転写電極１３７も、第２壁１０９と軸方向（幅方向）において間隔を隔てて配置される。これによって、第２壁１０９に対して、転写ローラ駆動ギヤ１３５および転写電極１３７が所定間隔を隔てて配置されるので、これら転写ローラ駆動ギヤ１３５および転写電極１３７の第２壁１０９に対する接触による損傷を防止することができる。
【０１６８】
また、現像カートリッジ２８では、図２０に示すように、供給ローラ軸６２の右側軸端部および現像ローラ３２の右側軸端部は、共通の樹脂材料からなる軸受部材８２によって、回転自在に支持されている。また、供給ローラ軸６２の左側軸端部および現像ローラ３２の左側軸端部には、共通の導電性の樹脂材料からなるカラー部材８３が装着されており、供給ローラ３１と現像ローラ３２とを同電位に保持している。
【０１６９】
これによって、供給ローラ軸６２の右側軸端部および現像ローラ３２の右側軸端部の両方を同時に支持する軸受部材８２を、位置決め精度を高めるべく、大きく形成しても、その軸受部材８２を、廉価な絶縁材料で形成することができる。そのため、位置決め精度の向上を図りつつ、コストの低減化を図ることができる。一方、供給ローラ軸６２の左側軸端部および現像ローラ３２の左側軸端部には、導電材料からなるカラー部材８３によって接続されているので、これらを同電位に保持することができる。
【０１７０】
また、この現像カートリッジ２８では、図５に示すように、ギヤカバー７７が、ギヤ機構部４５の各種ギヤ（入力ギヤ６８、アジテータ駆動ギヤ６９、中間ギヤ７０、現像ローラ駆動ギヤ７１および供給ローラ駆動ギヤ７２）および現像ローラ軸６４の左側軸端部（つまり、現像ローラ電極７６）の両方を保持するので、両者の位置決め精度の向上を図ることができる。そのため、部品点数の低減化および装置構成の簡略化を図りつつ、現像カートリッジ２８に対する電力および駆動力の安定した供給を達成することができる。
【０１７１】
また、このギヤカバー７７もまた、各種ギヤおよび現像ローラ軸６４の左側軸端部が配置されている左側壁３８に配置されているので、より一層、装置構成の簡略化を図ることができる。
また、このレーザプリンタ１では、プロセスカートリッジ２０を装着後、フロントカバー７を閉じれば、図２５（ｂ）に示すように、揺動アーム１７４の進出部１７９がカップリング部材７３に係合して、そのカップリング部材７３が入力ギヤ６８の連結孔７４内に進出して、相対回転不能に連結される。また、これと同時に、現像ローラ接点１７５が現像ローラ電極７６に対して進出し、現像ローラ電極７６と幅方向において重なるように接触される。そのため、現像カートリッジ２８に対する電力および駆動力の安定した供給を達成することができる。
【０１７２】
また、この状態においては、現像ローラ接点１７５が、現像ローラ電極７６と幅方向において重なるように接触され、現像ローラ電極７６が現像ローラ接点１７５によって押圧されるので、カップリング部材７３から入力ギヤ６８に対して駆動力が伝達されたときに、現像ローラ接点１７５によって、その駆動力によって現像カートリッジ２８の左側壁３８が従動することを防止することができる。そのため、現像カートリッジ２８に対する電力および駆動力の安定した供給を達成することができる。
【０１７３】
とりわけ、このプロセスカートリッジ２０では、現像カートリッジ２８の現像ローラ軸６４の両端部に設けられたカラー部材８３および軸受部材８２が、ドラムカートリッジ２７の各ローラ軸受入部１１６に受け入れられているので、カップリング部材７３から入力ギヤ６８に対して駆動力が伝達されたときには、各ローラ軸受入部１１６の現像ローラ軸６４の両端部に設けられたカラー部材８３および軸受部材８２に対する嵌合によって、ドラム側筐体９１で現像側筐体２９の移動を規制して、現像カートリッジ２８の左側壁３８が従動することを、より確実に防止することができる。
【０１７４】
そして、このレーザプリンタ１では、接触不良が低減されたクリーニング電極１４８を備え、電力および駆動力の安定した供給を達成することのできるプロセスカートリッジ２０を備えているので、安定した画像形成を長期にわたって確保することができる。
また、このプロセスカートリッジ２０では、図２１に示すように、現像カートリッジ２８がドラムカートリッジ２７に装着されると、下側延長部１０４に設けられている押圧部１４９において、押圧部材１５１が、上側延長部３７に設けられている現像側ボス７９に当接し、その現像側ボス７９に当接した押圧部材１５１が、圧縮ばね１５２の付勢力によって現像側ボス７９に向けて押圧される。
【０１７５】
これによって、簡易な構成によって、現像カートリッジ２８の現像ローラ３２が感光ドラム９２に向けて確実に押圧され、現像カートリッジ２８のドラムカートリッジ２７に対する安定した装着を確保することできる。また、押圧部１４９が下側延長部１０４に設けられ、現像側ボス７９が上側延長部３７に設けられているので、プロセスカートリッジ２０をコンパクトに形成することができる。
【０１７６】
さらに、現像側ボス７９が、左側壁延長部５２の左側外面の後方下部および右側壁延長部５３の右側外面の後方下部から、それぞれ幅方向外方へ向かって突出するように設けられている。そのため、現像側ボス７９を押圧部材１５１に確実に当接させることができるので、現像カートリッジ２８の現像ローラ３２のドラムカートリッジ２７の感光ドラム９２に対するより確実な押圧を確保することができる。
【０１７７】
また、このプロセスカートリッジ２０では、現像カートリッジ２８がドラムカートリッジ２７に装着されると、下側延長部１０４に設けられるロックレバー１５３の当接片１６１が、上側延長部３７の現像側ボス７９に係止して、現像側ボス７９が上方に離脱することがロックされ、それによって、現像カートリッジ２８のドラムカートリッジ２７に対する装着状態がロックされる。そのため、現像カートリッジ２８のドラムカートリッジ２７に対する確実な装着を確保することができる。
【０１７８】
一方、現像カートリッジ２８をドラムカートリッジ２７から離脱させる場合には、ロックレバー１５３の操作板１５８を押し下げれば、当接片１６１の現像側ボス７９に対する係止を解除でき、それによって、現像カートリッジ２８をドラムカートリッジ２７から容易に離脱させることができる。そのため、簡易な構成により、現像カートリッジ２８のドラムカートリッジ２７に対する装着状態のロックおよびその解除を達成することができる。
【０１７９】
また、現像カートリッジ２８の現像側ボス７９は、押圧部材１５１によって押圧される被押圧部（被作用部）と、当接片１６１によって係止される被係止部とを兼ねるので、構成の簡略および部品点数の低減を図ることができる。なお、部品点数は、多くなるものの被作用部と被係止部とを別々に設けてもよい。
また、現像カートリッジ２８がドラムカートリッジ２７に装着された状態では、図１３および図１９に示すように、ドラムカートリッジ２７のロックレバー１５３の操作板１５８の上面が、現像カートリッジ２８の上壁延長部５０の上面と、ほぼ面一となるように配置されるので、プロセスカートリッジ２０における前端部、すなわち、上側延長部３７および下側延長部１０４の外観を、すっきりとさせることができる。
【０１８０】
また、現像カートリッジ２８がドラムカートリッジ２７に装着された状態では、図１６に示すように、現像カートリッジ２８のギヤ機構部４５と、ドラムカートリッジ２７のロックレバー１５３とが、ともに幅方向左側に配置され、前後方向において重なるように配置されているので、幅方向において、プロセスカートリッジ２０をコンパクトに形成することができる。
【０１８１】
また、ドラムカートリッジ２７には、図１５に示すように、下側延長部１０４の延長底壁部１９５の裏面（底面）に、上側のレジストローラ１４およびその上側のレジストローラ１４の前側に前側リブ１６５が設けられている。また、現像カートリッジ収容部１０３の前側底壁部１９４の裏面（底面）には、上側のレジストローラ１４の後側に後側リブ１６２が設けられている。これによって、給紙ローラ１０から給紙された用紙３は、まず、前側リブ１６５によってレジストローラ１４に案内された後、レジストローラ１４によって搬送され、その後、後側リブ１６２によって、感光ドラム９２に向けて案内される。そのため、給紙ローラ１０から給紙された用紙３を、これら前側リブ１６５、レジストローラ１４および後側リブ１６２によって、感光ドラム９２に向けて確実に搬送可能としつつも、プロセスカートリッジ２０をコンパクトに形成することができる。また、前側リブ１６５および後側リブ１６２によって、ドラムカートリッジ２７の底壁９８を補強することができる。
【０１８２】
また、このプロセスカートリッジ２０では、現像カートリッジ２８のドラムカートリッジ２７に対する装着時には、図３に示すように、ドラムカートリッジ２７の各突起部１１８が、現像カートリッジ２８の各位置決め部８４に当接して位置決めされる。これによって、簡易な構成により、現像カートリッジ２８を、ドラムカートリッジ２７に対して、簡易に位置決めして、確実に固定することができる。なお、ドラムカートリッジ２７に位置決め部８４を設け、現像カートリッジ２８に突起部１１８を設けても、同様の効果を得ることができる。
【０１８３】
さらに、このプロセスカートリッジ２０の本体ケーシング２に対する装着時において、プロセスカートリッジ２０が、本体ケーシング２に装着されると、図１に示すように、ドラムカートリッジ２７の下側延長部１０４に設けられているドラム側ボス１５０が、本体ケーシング２に設けられている位置決め部材１６６に係合され、プロセスカートリッジ２０が本体ケーシング２に対して位置決めされる。そのため、プロセスカートリッジ２０を本体ケーシング２に対して確実に位置決めすることができながら、プロセスカートリッジ２０をコンパクトに形成することができる。
【０１８４】
また、現像カートリッジ２８では、図５に示すように、上側延長部３７の前端部に形成されている上側切欠部８０に、把持部７８として、下方に突出する取っ手８１が設けられている。そのため、トナー収容室３０からすぐに把持部７８が設けられている場合と比較して、前後方向に沿って、トナー収容室３０から上側延長部３７に相当する部分、延びた部分に、把持部７８が配置される。その結果、本体ケーシング２に対する装着状態において、把持部７８の把持が容易となり、現像カートリッジ２８をコンパクトに形成しつつ、現像カートリッジ２８の本体ケーシング２に対する円滑な着脱操作を確保することができる。
【０１８５】
また、この現像カートリッジ２８では、図４に示すように、上側延長部３７が、トナー収容室３０および現像室３６が形成されている下フレーム３４に設けられているので、把持部７８の安定した把持を達成することができる。
また、上側延長部３７の上側前壁４２は、図５に示すように、上下方向に沿って配置され、その前面が平面形状に形成されているので、現像カートリッジ２８の前端部の外観を、すっきりとさせることができる。そのため、取っ手８１の識別が容易となり、現像カートリッジ２８の本体ケーシング２に対する円滑な着脱操作を確保することができる。
【０１８６】
また、上側延長部３７の上壁延長部５０は、その上面が平面形状に形成されている。そのため、上側延長部３７の外観を、より一層すっきりとさせることができる。
また、取っ手８１は、上側切欠部８０に設けられているので、上側切欠部８０に手を挿入して、その上側切欠部８０に設けられている取っ手８１を把持することができる。そのため、取っ手８１を、現像側筐体２９の厚さ方向途中（上下方向途中）において把持することができ、現像カートリッジ２８をコンパクトに形成しつつ、現像カートリッジ２８の本体ケーシング２に対する円滑な着脱操作を確保することができる。
【０１８７】
また、上側切欠部８０は、上壁延長部５０および上側前壁４２を連続して切り欠くように形成されており、取っ手８１は、それら上壁延長部５０の前端部の切欠部分と上側前壁４２の上端部の切欠部分との間に設けられている。これによって、上側前壁４２の切欠部分に手を挿入して、上壁延長部５０の切欠部分にその手をまわして、取っ手８１を後側から前側に向かって把持することができる。そのため、現像カートリッジ２８をコンパクトに形成しつつ、取っ手８１の確実な把持を達成することができる。また、上壁延長部５０の切欠部分から取っ手８１を把持して、前方に向かって容易に引っ張ることができるので、現像カートリッジ２８の本体ケーシング２に対する円滑な着脱操作を確保することができる。
【０１８８】
また、取っ手８１の上面は、図５および図１９に示すように、その幅方向両側に配置される上壁延長部５０の上面と面一に形成されているので、上側延長部３７の外観を、よりすっきりとさせることができる。
また、この取っ手８１は、杆状をなし、その断面形状が、図３に示すように、上側前壁４２の切欠部分に向かって窪む略凹状に形成されている。そのため、取っ手８１の確実な把持を達成することができる。
【０１８９】
さらに、この現像カートリッジ２８がドラムカートリッジ２７に装着された状態では、図１３および図１９に示すように、ドラムカートリッジ２７の下側前壁９９が、現像カートリッジ２８の上側前壁４２と同じく、上下方向に沿って配置され、その前面が平面形状に形成されており、これら上側前壁４２および下側前壁９９の前面が、互いに面一に配置される。そのため、プロセスカートリッジ２０の前端部の外観を、すっきりとさせることができる。
【０１９０】
しかも、下側前壁９９には、上側切欠部８０に連続する下側切欠部１１９が形成されており、これによって、図１３に示すように、上側切欠部８０と下側切欠部１１９とで、正面視略矩形状の開口部が形成される。そのため、プロセスカートリッジ２０において、上側切欠部８０と下側切欠部１１９とで開口部を形成しつつ、上側延長部３７の前端部および下側延長部１０４の前端部の外観を、すっきりとさせることができる。また、上側切欠部８０と下側切欠部１１９とで形成される開口部に手を挿入して、取っ手８１を容易に把持することができる。そのため、プロセスカートリッジ２０の本体ケーシング２に対する円滑な着脱操作を確保することができる。
【０１９１】
また、現像カートリッジ２８がドラムカートリッジ２７に装着された状態では、図１３に示すように、各突出板５１が各受入部１２０に受け入れられる。そのため、現像カートリッジ２８のドラムカートリッジ２７に対する円滑かつコンパクトな装着を確保することができる。また、プロセスカートリッジ２０の前端部の外観を、すっきりとさせることができる。
【０１９２】
また、この現像カートリッジ２８においては、上側前壁４２が、上壁延長部５０の前端縁から下方に向かって略直角方向に屈曲するように形成され、さらに、その上側前壁４２の下端縁から連続して、突出板５１が下方に向かってさらに突設され、これによって、各突出板５１を含む上側前壁４２が、図５に示すように、正面視略コ字状の平面形状（これらの前面が面一）に形成されている。
【０１９３】
そのため、たとえば、図２７に示すように、上側前壁４２および各突出板５１の前面を、被載置面としての床１９７の上に載置すれば、現像カートリッジ２８を、現像ローラ３２が上側に配置される状態で、その床１９７の上に立てることができる。そのため、現像ローラ３２の損傷を防止しつつ、現像カートリッジ２８を起立状に載置することができる。また、組み立て時において、トナーシールなどの部品を組み付けやすくすることができる。
【０１９４】
すなわち、上側前壁４２の前面が平面形状に形成されていると、その上側前壁４２を載置面として、現像カートリッジ２８を起立状に載置することができる。しかも、上側前壁４２の前面と面一の表面で突出される各突出板５１によって、上側前壁４２を載置面とする現像カートリッジ２８の載置において、その載置面の面積を増やすことができる。そのため、上側前壁４２を載置面とする現像カートリッジ２８の安定した載置を達成することができる。
【０１９５】
また、この現像カートリッジ２８においては、異機種装着防止用の凹部３５２が形成されているので、現像カートリッジ２８が、レーザプリンタ１と異なる機種に装着されることを防止することができる。また、このような異機種装着防止のための構成を凹部とすることによって、現像カートリッジ２８のサイズの大型化を防止することができる。さらには、異機種装着防止用の凹部３５２が上側延長部３７に形成されているので、トナー収容室３０の容積（トナー収容室に収容されるトナーの量）の減少を防止することができるうえに、小型化にも適している。
【０１９６】
また、上壁延長部５０の前端部が切り欠かれることによって、凹部３５２の上方が開放されているので、フロントカバー７をカバー軸を支点として閉じたときに、フロントカバー７に設けられたリブ３５１を凹部３５２にその上方から確実に嵌め込むことができる。そのため、現像カートリッジ２８をレーザプリンタ１に対して確実に装着することができる。
【０１９７】
そのうえ、上側前壁４２の上端部が切り欠かれることによって、凹部３５２の前方も開放されているので、フロントカバー７をカバー軸を支点として閉じたときに、フロントカバー７に設けられたリブ３５１を凹部３５２により確実に嵌め込むことができる。そのため、現像カートリッジ２８をレーザプリンタ１に対してより確実に装着することができる。
【０１９８】
さらには、凹部３５２が、フロントカバー７が閉じられたときに、リブ３５１が干渉することなく進入可能な位置に形成されているので、リブ３５１を凹部３５２に一層確実に嵌め込むことができる。そのため、現像カートリッジ２８をレーザプリンタ１に対してより一層確実に装着することができる。
そして、このようなプロセスカートリッジ２０を備えるレーザプリンタ１では、装置の小型化を図りつつ、現像カートリッジ２８、ドラムカートリッジ２７またはプロセスカートリッジ２０の円滑な着脱操作を確保することができる。
（５）プロセスカートリッジの他の実施形態
図２８は、プロセスカートリッジ２０の他の実施形態を示す側断面図である。なお、以下の説明で参照する各図において、上記した各部に対応する部分については同一の参照符号を付している。
【０１９９】
この図２８に示すプロセスカートリッジ２０は、現像カートリッジ２８のみを把持して、その現像カートリッジ２８をドラムカートリッジ２７に対して着脱させることができ、現像カートリッジ２８がドラムカートリッジ２７に装着された状態で、ドラムカートリッジ２７と現像カートリッジ２８とを一緒に把持して、これらを本体ケーシング２（図１参照）に対して着脱させることができるようになっている。
（５−１）現像カートリッジの構成
図２９は、図２８に示す現像カートリッジ２８の正面側（前側）左斜め上方から見た斜視図であり、図３０は、その現像カートリッジ２８の正面側右斜め下方から見た斜視図である。また、図３１は、図２８に示す現像カートリッジ２８の背面側（後側）左斜め上方から見た斜視図である。
【０２００】
現像カートリッジ２８は、図２８に示すように、プロセス部材としての供給ローラ３１、現像剤担持体としての現像ローラ３２、アジテータ４６および層厚規制ブレード３３を収容する第１筐体としての現像側筐体２９を備えている。
現像側筐体２９は、たとえば、ポリスチレンなどの樹脂材料からなり、後側が開口されるボックス状をなしている。この現像側筐体２９は、下フレーム３４および上フレーム３５からなり、現像剤収容部としてのトナー収容室３０、現像室３６および第１延長部としての上側延長部３７を備えている。
【０２０１】
下フレーム３４は、幅方向に間隔を隔てて対向配置される左側壁３８および右側壁３９（図２９または図３０参照）と、それら左側壁３８および右側壁３９の間を連結し、上下に配置される下壁４０および上壁４１と、上壁４１の前端縁に設けられる第１壁部としての上側前壁４２（図２９または図３０参照）とを一体的に備えている。
下壁４０は、前後方向および幅方向に延びる板状をなし、後側から前側に向かって上方に傾斜し、現像室３６を画成するための後側下壁部４３と、その後側下壁部４３の前端縁に連続し、アジテータ４６の回転軌道に沿う断面略弓形状の前側下壁部４４とを一体的に備えている。この下壁４０は、図２９に示す左側壁３８および右側壁３９の間に挟持されるように設けられている。
【０２０２】
後側下壁部４３の後端部には、図３１に示すように、背面視略Ｌ字状のストッパ３４１が幅方向両端に設けられている。これらストッパ３４１は、現像カートリッジ２８がドラムカートリッジ２７に装着されるときに、ドラムカートリッジ２７に設けられた各軸受支持部１４４（図３２参照）に当接し、現像カートリッジ２８のそれ以上の後方への移動を規制する。現像カートリッジ２８は、そのストッパ３４１の軸受支持部１４４への当接と、押圧部材１５１（図３２参照）による後方への押圧とによって、ドラムカートリッジ２７に対して前後方向において位置決めされる。
【０２０３】
後側下壁部４３の下面には、図３０に示すように、用紙３を案内するための複数のリブ３１１が、幅方向に互いに間隔を隔てて並列配置されている。各リブ３１１は、後側から前側に近づくにつれて、その高さが低くなるように形成されており、現像カートリッジ２８をその天面を水平にして本体ケーシング２に装着したときに、リブ３１１の用紙３との接触面が略水平に配置される。
【０２０４】
前側下壁部４４の最深部には、現像カートリッジ２８をドラムカートリッジ２７に対して位置決めするための位置決め部８４が形成されている。この位置決め部８４は、ドラムカートリッジ２７の後述する突起部１１８が当接して位置決めできるように、下方に向かって凸状に形成され、図３０に示すように、幅方向において互いに間隔を隔てて２つ設けられている。
【０２０５】
また、後側下壁部４３と前側下壁部４４との境界には、上方に向かって断面略三角形状に突出する下側仕切部５５が幅方向に沿って形成されている。
上壁４１は、図２９に示すように、左側壁３８および右側壁３９の対向間隔よりも幅広の平板状をなし、左側壁３８および右側壁３９の上端縁間に架設されている。この上壁４１におけるトナー収容室３０に対応する位置には、図２８に示すように、上フレーム３５が被装される平面視略矩形状の上面開口部４９が形成されている。
【０２０６】
上壁４１の後端部には、下方に向かって突出するブレード支持部５７が幅方向に沿って形成されている。
また、上壁４１における上面開口部４９の前端部には、下壁４０の前端縁が連結されており、上壁４１は、その連結部より前側が、さらに前方に向かって延長され、前後方向および幅方向に沿って延びる第１延長部の上壁としての上壁延長部５０とされている。この上壁延長部５０の上面は、平面形状（外観上、実質的に凹凸のない平坦形状）に形成されている。
【０２０７】
上側前壁４２は、図２９および図３０に示すように、板状をなし、上壁延長部５０の前端縁から下方に向かって略直角方向に屈曲するように形成されている。この上側前壁４２は、現像側筐体２９の厚さ方向（上下方向）途中まで延び、その前面が平面形状（外観上、実質的に凹凸のない平坦形状）に形成されている。
また、この上側前壁４２の幅方向両端部には、下方に向かってさらに突出する正面視略細長矩形状の第１壁部突出部および連結部分としての突出板５１が、上側前壁４２と一体的に形成されている。各突出板５１の前面は、平面形状（外観上、実質的に凹凸のない平坦形状）に形成され、上側前壁４２の前面と面一に形成されている。これによって、各突出板５１を含む上側前壁４２は、正面視略コ字状の平面形状（外観上、実質的に凹凸のない平坦形状）として形成される。また、各突出板５１には、後述する左側壁延長部５２および右側壁延長部５３が、直交方向において連結されている。
【０２０８】
左側壁３８および右側壁３９は、上下方向に延びる板状をなし、その上端縁において上壁４１が架設され、その下方において下壁４０を挟んで、現像ローラ３２の軸方向において、それぞれの内面が互いに対向するように配置されている。左側壁３８および右側壁３９は、それぞれの後端縁が、下壁４０の後側下壁部４３の後端縁および上壁４１の後端縁まで延び、また、それぞれの前端縁が、上側前壁４２まで延び、各突出板５１に連結されている。左側壁３８および右側壁３９における前後方向途中には、前側下壁部４４が連結されており、その連結部より前方に向かって延長され、前後方向における連結部から上側前壁４２までの間が、それぞれ、１対の第１側壁としての左側壁延長部５２および右側壁延長部５３とされている。
【０２０９】
左側壁３８には、図２９に示すように、ギヤカバー７７が設けられている。このギヤカバー７７の内側には、現像ローラ３２、供給ローラ３１およびアジテータ４６に対して機械的な駆動力を入力するための駆動入力手段としてのギヤ機構部４５が設けられている。ギヤカバー７７およびギヤ機構部４５は、図４に示す現像カートリッジ２８の場合と図２８に示す現像カートリッジの場合とで同じ構成を有しているので、ここでは、それらの構成についての説明は省略する。
【０２１０】
また、左側壁３８には、この現像カートリッジ２８が新品であるか否かを検出するための新品検出器３０１が入力ギヤ６８の前側に配置されている。新品検出器３０１は、ギヤカバー７７に形成された側面視略円弧状のレバー突出孔から幅方向外方（左側）に突出する新品検出レバー３０２を備えている。この新品検出レバー３０２は、現像カートリッジ２８が新品の状態では、レバー突出孔の一端部（前側端部）に位置し、現像カートリッジ２８が初めて使用されたときに、レバー突出孔の一端部から他端部に移動されるようになっている。したがって、新品検出器３０１は、新品検出レバー３０２の位置に基づいて、現像カートリッジ２８が新品であるか旧品（使用履歴のある品）であるかを検出することができる。
【０２１１】
右側壁３９には、図２８に示すように、トナー収容室３０にトナーを供給するための現像剤供給口としてのトナー供給口４７が設けられている。このトナー供給口４７は、右側壁３９におけるトナー収容室３０に対応する位置に、右側壁３９の厚さ方向を貫通する円形状に形成されている。なお、このトナー供給口４７には、トナー収容室３０からトナー供給口４７を介してトナーが漏れることを防止するためのキャップ４８が設けられている。このキャップ４８は、トナー供給口４７よりもやや大きい円形状をなし、トナー供給口４７を塞いでいる。
【０２１２】
また、図２９および図３０に示すように、左側壁延長部５２の左側外面の後方下部および右側壁延長部５３の右側外面の後方下部には、被作用部および被係止部としての円筒状の現像側ボス７９が、それぞれ幅方向外方へ向かって突出するように設けられている。
さらにまた、左側壁３８および右側壁３９の後端部において、現像ローラ軸６４の両側軸端部が突出するように設けられている。そして、供給ローラ軸６２の左側軸端部および現像ローラ３２の左側軸端部には、共通の導電部材としてのカラー部材８３が装着されている。このカラー部材８３は、導電性の樹脂材料からなり、供給ローラ軸６２の左側軸端部および現像ローラ３２の左側軸端部の両方を被覆し、かつ、これらと摺動自在に接続され、これらを電気的に接続して、供給ローラ３１と現像ローラ３２とを同電位に保持している。カラー部材８３における現像ローラ３２の左側軸端部を被覆している部分が、後述する現像ローラ接点１７５が接触する現像電極としての現像ローラ電極７６として機能する。
【０２１３】
上フレーム３５は、図２９に示すように、略矩形平板状をなし、図２８に示すように、下フレーム３４の上面開口部４９を塞ぎ、下フレーム３４に被装するように設けられている。この上フレーム３５には、その下面に幅方向に互いに間隔を隔てて複数のリブ５４が並列配置されている。また、その下面には、下壁４０の下側仕切部５５に対向して、下方に向かって突出する上側仕切板５６が幅方向に沿って形成されている。上側仕切板５６と下側仕切部５５とは、上下方向において間隔が隔てられており、その隙間がトナー放出口５８として形成されている。
【０２１４】
そして、この現像側筐体２９では、上側仕切板５６および下側仕切部５５より後方の内部空間が現像室３６として画成され、上側仕切板５６および下側仕切部５５より前方の内部空間がトナー収容室３０として画成され、これら現像室３６およびトナー収容室３０が下フレーム３４に設けられるように形成されている。さらに、この現像側筐体２９では、トナー収容室３０から前側に延設され、上壁延長部５０、突出板５１を含む上側前壁４２、左側壁延長部５２および右側壁延長部５３により画成された上側延長部３７が、下フレーム３４に設けられるように形成されている。
【０２１５】
また、上壁延長部５０には、図２９および図３０に示すように、現像側把持部２０１が設けられている。この現像側把持部２０１は、第１切欠部としての上側切欠部２０２と、この上側切欠部２０２に設けられる現像側取っ手２０３とを備えている。
上側切欠部２０２は、上壁延長部５０の幅方向中央部において、平面視において上壁延長部５０の前端部が幅方向に沿って略矩形状に切り欠かれ、また、正面視において上側前壁４２の上端部が幅方向に沿って略矩形状に切り欠かれるように、これら上壁延長部５０および上側前壁４２を連続して切り欠くように形成されている。この上側切欠部２０２の幅方向両端部には、切欠部側壁２０４が、上壁延長部５０および上側前壁４２に直交するように形成されている。
【０２１６】
現像側取っ手２０３は、両切欠部側壁２０４間に架設されるように、上側切欠部２０２の幅方向にわたって設けられている。この現像側取っ手２０３は、杆状をなし、その断面形状が下方（現像側筐体２９の厚み方向）に向かって窪む略凹状に形成されており、両切欠部側壁２０４の前端縁間を連結するように設けられた前壁部２０５と、この前壁部２０５の下端縁から後方へ延びる底壁部２０６と、底壁部２０６の後端縁から上方に向けて延び、前壁部２０５と前後方向に対向する後壁部２０７とを備えている。
【０２１７】
また、現像側取っ手２０３の幅方向中央部には、指掛部２０８が、前壁部２０５から後壁部２０７へ向けて膨出するように形成されている。具体的には、指掛部２０８は、前後方向に延びる鉛直面で切断したときの断面形状が略三角形状をなし、水平面で切断したときの断面形状が後側ほど幅狭になる略台形状をなす空間を有するように形成されている。
なお、供給ローラ３１、現像ローラ３２、アジテータ４６および層厚規制ブレード３３の各構成ならびにこれらを支持および駆動する構成は、図４に示す現像カートリッジ２８の場合と図２８に示す現像カートリッジ２８の場合とで同じであるから、ここでは、それらについての説明は省略する。
（５−２）ドラムカートリッジの構成
図３２は、図２８に示すドラムカートリッジ２７の正面側（前側）左斜め上方から見た斜視図であり、図３３は、そのドラムカートリッジ２７を正面側右斜め下方から見た斜視図であり、図３４は、そのドラムカートリッジ２７を背面側（後側）左斜め下方から見た斜視図である。
【０２１８】
ドラムカートリッジ２７は、図２８および図３２に示すように、第２筐体としてのドラム側筐体９１を備えている。また、ドラムカートリッジ２７は、そのドラム側筐体９１内に、プロセス部材としての感光体である感光ドラム９２と、帯電手段であるスコロトロン型帯電器９３と、転写手段である転写ローラ９４と、クリーニング手段であるクリーニングブラシ９５とを備えている。
【０２１９】
なお、感光ドラム９２、スコロトロン型帯電器９３、転写ローラ９４およびクリーニングブラシ９５の各構成ならびにこれらを支持および駆動する構成は、図３に示すドラムカートリッジ２７の場合と図２８に示すドラムカートリッジ２７の場合とで同じであるから、ここでは、それらについての説明は省略する。
ドラム側筐体９１は、たとえば、ポリスチレンなどの樹脂材料からなり、図３２に示すように、幅方向に間隔を隔てて対向配置される左側壁９６および右側壁９７、底壁９８、第２壁部としての下側前壁９９ならびに後上壁１００から一体的に形成され、ドラム収容部１０２、現像剤収容部対向部としての現像カートリッジ収容部１０３および第２延長部としての下側延長部１０４を備えている。
【０２２０】
左側壁９６および右側壁９７は、感光ドラム９２の軸方向において、それぞれの内面が互いに対向するように配置されており、側面視略船首形状の後側壁部１０５と、側面視略矩形状の前側壁部１０６と、側面視略矩形状の第２側壁としての延長側壁部１０７とが、後側から前側に向かって順次連続して形成されている。
図３５は、ドラムカートリッジ２７の左側面図である。
【０２２１】
左側壁９６の後側壁部１０５は、図３５に示すように、前側壁部１０６と幅方向において面一で形成される第１壁１０８と、第１壁１０８の下方において、第１壁１０８よりも幅方向内側に配置される第２壁１０９と、第１壁１０８と第２壁１０９とを連結する第３壁１１０と、第１壁１０８の上方において、第１壁１０８よりも幅方向内側に配置される第４壁１１１と、第１壁１０８と第４壁１１１とを連結する第５壁１１２と、第２壁１０９の後方かつ第４壁１１１の下方において、第２壁１０９および第４壁１１１よりも幅方向内側に配置される第６壁１１３と、第２壁１０９および第４壁１１１と第６壁１１３とを連結する第７壁１１４とを一体的に備えている。
【０２２２】
第１壁１０８は、幅方向最外側に配置され、前側壁部１０６から後側壁部１０５の上下方向中央部に延びるように形成されている。
第２壁１０９は、下方に向かって突出する側面視略直角三角形状をなし、第１壁１０８と平行に延びるように形成され、後側壁部１０５の下端部に配置されている。
第３壁１１０は、第１壁１０８の下端縁と第２壁１０９の上端縁とを連結し、これら第１壁１０８および第２壁１０９に対して直交方向に延びるように形成されている。
【０２２３】
第２壁１０９と第３壁１１０とに跨って、正断面略Ｌ字状に切り欠かれることによって、正面視および側面視において略矩形状の転写電極開口部１４２が形成されている。この転写電極開口部１４２には、転写電極１３７が幅方向外方に突出するように設けられている。
転写電極１３７は、導電性の樹脂材料からなり、図３４に示すように、転写電極開口部１４２から幅方向外方に突出する電極当接部２５２と、この電極当接部２５２の上端部から幅方向外方（左側）に延びる逃げ防止部２５１とを一体的に備える、断面略Ｌ字状に形成されている。そして、左側壁９６の幅方向内側には、転写電極１３７の逃げ防止部２５１に上方から当接する当接部材（図示せず）が備えられており、この当接部材の逃げ防止部２５１への当接によって、後述する転写接点２７２に転写電極１３７が当接したときに、転写電極１３７が上方へ逃げることが防止されている。
【０２２４】
また、転写電極開口部１４２の後側には、第２壁１０９から幅方向外方に突出し、転写電極開口部１４２の後端縁に沿って上下に延びる接点進入防止リブ２０９が設けられている。
第４壁１１１は、図３５に示すように、前後方向に延びる平面視略矩形状をなし、第１壁１０８と平行に延びるように形成され、後側壁部１０５の上端部に配置されている。また、第４壁１１１は、幅方向において第１壁１０８と第２壁１０９との間に配置されている。この第４壁１１１には、前端部にワイヤ電極１３１が配置され、後端部にグリッド電極１３２が配置されている。
【０２２５】
第５壁１１２は、第１壁１０８の上端縁と第４壁１１１の下端縁とを連結し、これら第１壁１０８および第４壁１１１に対して直交方向に延びるように形成されている。
第６壁１１３は、平面視略菱形状をなし、第１壁１０８と平行に延びるように形成され、幅方向最内側において、後側壁部１０５の後端部に配置されている。この第６壁１１３には、その後端部にクリーニング電極１４８が配置されている。
【０２２６】
第７壁１１４は、第２壁１０９および第４壁１１１の後端縁と、第６壁１１３の前端縁とを連結し、これら第２壁１０９および第４壁１１１と第６壁１１３とに対して直交方向に延びるように形成されている。
また、第５壁１１２の前側には、図３２に示すように、左側壁９６の後述する突出壁１１７の上端部を挟持する左挟持部２１０が形成されている。この左挟持部２１０は、第４壁１１１の前下角部から幅方向外方に延び、突出壁１１７の上端面に上方から対向する平面視略三角形状の対向板２１１と、対向板２１１の下面からそれぞれ垂下し、突出壁１１７を挟んで幅方向に対向する左挟持板２１２および右挟持板２１３とを一体的に備えている。
【０２２７】
なお、第３壁１１０と第５壁１１２との間には、これらの対向方向に沿って、ドラム駆動ギヤ１９１を露出させるためのギヤ開口部１９６が形成されている。
また、第１壁１０８から、導電性の金属からなるドラム軸１２５の左側軸端部が突出しており、その左側軸端部は、後述するアース接点２７６が接触する感光体電極としてのアース電極１２７として機能する。
【０２２８】
図３６は、ドラムカートリッジ２７の右側面図である。
右側壁９７の後側壁部１０５は、図３６に示すように、左側壁９６の後側壁部１０５と同様に形成される、前側壁部１０６と幅方向において面一で形成される第１壁１０８と、第１壁１０８の下方において、第１壁１０８よりも幅方向内側に配置される第２壁１０９と、第１壁１０８と第２壁１０９とを連結する第３壁１１０とを一体的に備えている。
【０２２９】
左側壁９６および右側壁９７の各前側壁部１０６は、図３２、図３５および図３６に示すように、現像カートリッジ２８の着脱時に、現像ローラ軸６４の軸端部を案内するためのローラ軸案内部１１５と、このローラ軸案内部１１５の後端に連続して設けられ、ローラ軸案内部１１５に案内される現像ローラ軸６４の軸端部を受け入れる規制部材としてのローラ軸受入部１１６とを備えている。
【０２３０】
ローラ軸案内部１１５は、前側壁部１０６の上端縁として形成され、前側壁部１０６の前後方向途中から、前方から後方に向かって、斜め下方に延びた後、略水平方向の平坦状に延びるように形成されている。
ローラ軸受入部１１６は、ローラ軸案内部１１５の後側に連続し、ローラ軸案内部１１５の後端部よりも上方に突出した突出壁１１７に、その突出壁１１７の前端縁から側面視略矩形状に切り欠くことによって形成されており、その下端縁が、ローラ軸案内部１１５の後端縁に連続している。
【０２３１】
左側壁９６および右側壁９７の各延長側壁部１０７は、左側壁９６および右側壁９７の各前側壁部１０６と幅方向において面一で、連続して形成されている。
底壁９８は、図３２に示すように、左側壁９６および右側壁９７の下端縁を前後方向にわたって連結するように設けられ、図２８および図３２に示すように、断面略Ｖ字状に窪む後側底壁部１９３と、略平板状に形成される第２底壁としての前側底壁部１９４と、幅方向中央部が切り欠かれた略矩形平板状に形成される第１底壁としての延長底壁部１９５とが、後側から前側に向かって順次連続して形成されている。
【０２３２】
後側底壁部１９３には、図３４に示すように、感光ドラム９２と転写ローラ９４との間を通過する用紙３（図１参照）を排出するための背面視略矩形状の排紙口２２２が形成されている。排紙口２２２は、たとえば、Ａ４サイズの用紙３が通過可能なように、その用紙３の幅よりも少し幅広に形成されている。
また、後側底壁部１９３には、排紙口２２２の上端縁から前方に延びるブラシ支持板２２３が幅方向にわたって一体的に形成されている。このブラシ支持板２２３の前端部には、図２８に示すように、クリーニングブラシ９５を支持するためのブラシ支持部１２３が幅方向にわたって設けられている。また、ブラシ支持板２２３の下面には、複数本（この実施形態では４本）の接触防止リブ２２４が、幅方向に互いに間隔を隔てて、用紙３の搬送方向（前後方向）に沿って延びるように形成されている。さらに、ブラシ支持板２２３の下面両端部には、背面視および底面視において略三角形状の接触防止部２２５が形成されている。
【０２３３】
また、ブラシ支持板２２３の下面中央部には、略矩形状のフィルム部材２２６が配置されている。このフィルム部材２２６は、ポリエチレンテレフタレートなどの樹脂材料を用いて、ピックアップローラ１２の軸方向長さよりも少し広い幅に形成され、ブラシ支持板２２３の前端縁から前方（感光ドラム９２側）へ僅かに突出するように配置されている。フィルム部材２２６は、粘着両面テープによってブラシ支持板２２３の下面中央部に貼着されており、その粘着両面テープは、フィルム部材２２６の前端縁（感光ドラム９２に近接配置される端縁）まで設けられている。すなわち、フィルム部材２２６のブラシ支持板２２３の前端縁から突出した部分にも、粘着両面テープが配置されている。
【０２３４】
また、後側底壁部１９３と前側底壁部１９４との境界部付近には、図２８に示すように、前側に向かって下方に傾斜する傾斜板部３３１が形成されている。この傾斜板部３３１と前側底壁部１９４との間には、段差が形成されており、その段差部分において、用紙３をドラムカートリッジ２７内に導き入れるための入紙口３３２が形成されている。
さらにまた、傾斜板部３３１の後端部には、図３２に示すように、幅方向において中央の所定幅の領域を挟む左右両側に、入紙口３３２から進入する用紙３の先端が感光ドラム９２の周面に当接するように案内する用紙案内フィルム３３３が貼着されている。この用紙案内フィルム３３３が設けられていることによって、入紙口３３２からドラムカートリッジ２７内に進入する用紙３は、用紙案内フィルム３３３に沿って進み、その先端が感光ドラム９２の周面に当接する。そして、用紙３の先端は、感光ドラム９２の回転につられて、感光ドラム９２と転写ローラ９４との間に導かれる。このように、用紙３が感光ドラム９２に当接した後に、感光ドラム９２と転写ローラ９４との間に導かれることにより、用紙３と感光ドラム９２との間でのリークを防止することができる。
【０２３５】
下側前壁９９は、延長底壁部１９５の前端縁から上方に向かって直角方向に屈曲するように形成されている。この下側前壁９９は、略矩形平板状をなし、幅方向両端部が、左側壁９６および右側壁９７と、直角方向に屈曲するようにして、連続して形成されている。この下側前壁９９は、現像カートリッジ２８がドラムカートリッジ２７に装着された状態で、図３６に示すように、上下方向において上側前壁４２と対向し、下側前壁９９の前面が、上側前壁４２の前面と面一となる平面形状（外観上、実質的に凹凸のない平坦形状）に形成されている。
【０２３６】
また、この下側前壁９９には、図３２に示すように、後述する下側切欠部２３５よりも幅方向両外方であって両端部の近傍において、上側前壁４２から突出する各突出板５１を受け入れるための受入部１２０が形成されている。
各受入部１２０は、下側前壁９９の上端縁から下方に向かって、正面視において略細長矩形状で前方に向けて膨出するように形成されている。これによって、現像カートリッジ２８がドラムカートリッジ２７に装着された状態では、図３７に示すように、各突出板５１が各受入部１２０に受け入れられる。
【０２３７】
後上壁１００は、図２８に示すように、前方から後方に向かって下方に向けてやや傾斜する板状をなし、左側壁９６および右側壁９７の各後側壁部１０５の上端縁を、前後方向にわたって連結するように設けられている。この後上壁１００は、その後端縁が、底壁９８の後側底壁部１９３の後端縁と幅方向にわたって連結されている。
また、この後上壁１００には、その前部に、幅方向に延びる平面視略矩形状のレーザ入射窓１２１が開口されている。また、後上壁１００には、その後部斜め上方に、スコロトロン型帯電器９３を支持するための帯電支持部１２２が形成されている。
【０２３８】
さらに、後上壁１００には、図３２に示すように、右側壁９７の突出壁１１７の上端部を挟持する右挟持部２１４が一体的に形成されている。この右挟持部２１４は、後上壁１００の右前端角部から幅方向外方にやや張り出して、前方へ延び、突出壁１１７の上端面に上方から対向する平面視略矩形状の対向板２１５と、対向板２１５の下面からそれぞれ垂下し、突出壁１１７を挟んで幅方向に対向する左挟持板２１６および右挟持板２１７とを一体的に備えている。
【０２３９】
そして、このドラム側筐体９１では、図２８および図３２に示すように、左側壁９６および右側壁９７の各後側壁部１０５と、後上壁１００と、その後上壁１００に上下方向に対向する底壁９８の後側底壁部１９３とで、ドラム収容部１０２が画成されている。これによって、ドラム収容部１０２は、ドラム側筐体９１の後部において、前方が開放される空間として形成されている。
【０２４０】
左側壁９６および右側壁９７の各前側壁部１０６と、各前側壁部１０６に幅方向において連続する底壁９８の前側底壁部１９４とで、現像カートリッジ収容部１０３が形成されている。これによって、現像カートリッジ収容部１０３は、ドラム側筐体９１の前後方向途中部において、上方が開放され、後方がドラム収容部１０２に連通する空間として形成されている。
【０２４１】
また、左側壁９６および右側壁９７の延長側壁部１０７と、各延長側壁部１０７に幅方向において連続する底壁９８の延長底壁部１９５と、下側前壁９９とで、下側延長部１０４が画成されている。
この下側延長部１０４には、ドラム側把持部２３４が設けられている。ドラム側把持部２３４は、下側切欠部２３５と、この下側切欠部２３５に設けられるドラム側取っ手２３６とを備えている。
【０２４２】
下側切欠部２３５は、下側延長部１０４の幅方向中央部において、平面視において延長底壁部１９５の前端部が幅方向に沿って略矩形状に切り欠かれ、また、正面視において下側前壁９９の上端部が幅方向に沿って略矩形状に切り欠かれるように、これら延長底壁部１９５および下側前壁９９を連続して切り欠くように形成されている。この下側切欠部２３５は、上壁延長部５０に形成された上側切欠部２０２よりも少し幅狭に形成されている。
【０２４３】
ドラム側取っ手２３６は、下側切欠部２３５の幅方向両端縁から略鉛直上方に延びる左右１対の側支持部２３７と、下側切欠部２３５の後端縁から前側に少し傾斜して上方に延びる後支持部２３８と、これら側支持部２３７および後支持部２３８の上端間に架設された平面視略矩形状の天面部２３９とを一体的に備えている。
後支持部２３８には、図３３に示すように、矩形状の開口２４０が形成されている。これによって、下側延長部１０４は、ドラム側筐体９１の後部において、現像カートリッジ収容部１０３から後側に延設され、その現像カートリッジ収容部１０３に開口２４０を介して連通し、ドラム側取っ手２３６によって区画される正面視略矩形状の開口部を有する空間として形成されている。
【０２４４】
また、天面部２３９には、後側の略半分の部分が相対的に高く、前側の略半分の部分が相対的に低くなるように段差２６１が形成されている。
また、ドラム側取っ手２３６は、図３７に示すように、現像カートリッジ２８がドラムカートリッジ２７に装着された状態で、上側切欠部２０２内に嵌り込み、天面部２３９が現像側取っ手２０３に対して微小な間隔を隔てて上下に対向配置される。そして、天面部２３９には、現像側取っ手２０３に形成されている指掛部２０８と対向する部分に、図３２に示すように、略半円形状の切欠部２４１が形成されている。
【０２４５】
現像カートリッジ収容部１０３には、現像カートリッジ２８の各位置決め部８４に当接される突起部１１８と、用紙３を案内するための第２ガイド部としての後側リブ１６２とが設けられている。
突起部１１８は、図３２に示すように、前側底壁部１９４の前後方向途中において、幅方向において互いに間隔を隔てて２つ設けられている。各突起部１１８は、ドラムカートリッジ２７に装着される現像カートリッジ２８の各位置決め部８４と対向配置され、上方に向かって断面半円状に突出するように形成されている。
【０２４６】
後側リブ１６２は、図３３に示すように、前側底壁部１９４の裏面（底面）から下方に向かって突出され、その後部に、幅方向において互いに間隔を隔てて配置され、前後方向に延びる複数の第１後側リブ１６３と、その第１後側リブ１６３に対して前側に配置され、幅方向において互いに間隔（第１後側リブ１６３よりも幅広の間隔）を隔てて配置され、前後方向に延びる複数の第２後側リブ１６４とを備えている。
【０２４７】
また、この現像カートリッジ収容部１０３には、図３２に示すように、左側壁９６および右側壁９７において、現像カートリッジ２８の各トナー検知窓８５と幅方向において対向する位置に、トナーエンプティセンサ（図示せず）の光を通過させるためのトナー通過窓１０１が設けられている。
また、下側延長部１０４は、図３２に示すように、現像カートリッジ収容部１０３に装着される現像カートリッジ２８の現像ローラ３２を、感光ドラム９２に向けて押圧するための押圧部１４９と、現像カートリッジ収容部１０３に装着される現像カートリッジ２８のドラムカートリッジ２７に対する装着状態をロックするロック手段としてのロックレバー１５３と、本体ケーシング２に対してドラムカートリッジ２７を位置決めするための位置決め部としてのドラム側ボス１５０とを備えている。押圧部１４９およびドラム側ボス１５０は、図３に示すドラムカートリッジ２７の場合と図２８に示すドラムカートリッジ２７の場合とで同じ構成を有しているので、ここでは、それらの構成についての説明は省略する。
【０２４８】
また、下側延長部１０４には、図３３に示すように、用紙３を感光ドラム９２に向けて搬送するための、上側のレジストローラ１４と、用紙３を案内するための第１ガイド部としての複数本の前側リブ１６５とが設けられている。
上側のレジストローラ１４は、底壁９８の延長底壁部１９５の下面（裏面）において、第２後側リブ１６４の前側に、幅方向に沿って回転自在に設けられている。この上側のレジストローラ１４は、ドラムカートリッジ２７が本体ケーシング２に装着された状態で、下側のレジストローラ１４と上下方向において対向配置される（図１参照）。
【０２４９】
各前側リブ１６５は、底壁９８の延長底壁部１９５の下面において、上側のレジストローラ１４の前側であって、下側前壁９９から切り欠かれる下側切欠部１１９との対向部分（すなわち、幅方向中央部）を含む幅方向全体にわたって設けられている。この前側リブ１６５は、たとえば、ポリアセタール樹脂などの、現像側筐体２９およびドラム側筐体９１よりも硬質の樹脂材料から、ドラム側筐体９１とは別途形成されており、用紙３との接触で磨耗したときに、交換できるようにされている。より具体的には、複数本の前側リブ１６５は、幅方向に互いに間隔（第２後側リブ１６４よりも幅広の間隔）を隔てて、前後方向に延びるように配置され、幅方向に延びる複数本の連結部材２２７で連結されることにより一体化されて、延長底壁部１９５の下面に取り付けられている。
【０２５０】
これによって、上側のレジストローラ１４は、前後方向において、前側リブ１６５と後側リブ１６２との間に配置される。
（５−３）プロセスカートリッジについて
図３７は、プロセスカートリッジ２０の正面側左斜め上方から見た斜視図であり、図３８は、プロセスカートリッジ２０の正面側左斜め下方から見た斜視図である。
【０２５１】
現像カートリッジ２８がドラムカートリッジ２７に装着された状態では、図３７に示すように、現像カートリッジ２８のトナー収容室３０と、ドラムカートリッジ２７の現像カートリッジ収容部１０３とが上下方向において対向配置される。また、図３７および図３８に示すように、現像カートリッジ２８の上側延長部３７と、ドラムカートリッジ２７の下側延長部１０４とが上下方向において対向配置される。より具体的には、上側延長部３７の上壁延長部５０と、下側延長部１０４の延長底壁部１９５とが、上下方向に間隔を隔てて対向配置される。
【０２５２】
そして、現像カートリッジ２８の上側前壁４２から突出する各突出板５１が、ドラムカートリッジ２７の下側前壁９９に形成されている各受入部１２０に受け入れられる。
また、ドラムカートリッジ２７のドラム側取っ手２３６が、現像カートリッジ２８の上側延長部３７に形成されている上側切欠部２０２内に嵌り込み、そのドラム側取っ手２３６の天面部２３９が、上壁延長部５０に設けられている現像側取っ手２０３に対して微小な間隔を隔てて上下に対向配置される。そして、天面部２３９に形成されている切欠部２４１が、現像側取っ手２０３に形成されている指掛部２０８と対向する。そのため、現像カートリッジ２８がドラムカートリッジ２７に装着された状態で、現像側取っ手２０３の指掛部２０８およびこれに対向するドラム側取っ手２３６の切欠部２４１以外の部分において、現像側取っ手２０３とドラム側取っ手２３６とを一緒に把持することができ、本体ケーシング２（図１参照）に対して、ドラムカートリッジ２７と現像カートリッジ２８との一体的な着脱を確実に達成することができる。言い換えれば、本体ケーシング２に対して、ドラムカートリッジ２７と現像カートリッジ２８とを一体的に装着するときに、ドラムカートリッジ２７から現像カートリッジ２８が離脱したり、本体ケーシング２からドラムカートリッジ２７と現像カートリッジ２８とを一体的に離脱させるときに、誤って、現像カートリッジ２８のみが離脱されることを防止することができる。
【０２５３】
しかも、現像カートリッジ２８の上壁延長部５０に設けられている現像側取っ手２０３に対して、ドラム側取っ手２３６の天面部２３９が対向配置されるので、容易に、その天面部２３９と現像側取っ手２０３とを一緒に把持することができる。そのため、本体ケーシング２に対するドラムカートリッジ２７と現像カートリッジ２８との一体的な着脱をより確実に達成することができる。
【０２５４】
さらに、１対の側支持部２３７と天面部２３９とによって囲まれる空間は、後支持部２３８に形成された開口２４０を介して現像カートリッジ収容部１０３に連通されているので、天面部２３９と現像側取っ手２０３とを一緒に把持するときに、指を、その１対の側支持部２３７と天面部２３９とによって囲まれる空間から、開口２４０を介して、現像カートリッジ収容部１０３に装着された現像カートリッジ２８の前側下壁部４４に当接する位置まで入れることができる。そのため、天面部２３９と現像側取っ手２０３との把持を一層容易にすることができる。その結果、本体ケーシング２に対するドラムカートリッジ２７と現像カートリッジ２８との一体的な着脱を一層確実に達成することができる。
【０２５５】
さらにまた、天面部２３９には、後側の略半分の部分が相対的に高く、前側の略半分の部分が相対的に低くなるように段差２６１が形成されているので、天面部２３９と現像側取っ手２０３とを一緒に把持するときに、その段差２６１に指を掛けることができる。そのため、天面部２３９と現像側取っ手２０３との把持をより一層容易にすることができ、本体ケーシング２に対するドラムカートリッジ２７と現像カートリッジ２８との一体的な着脱をより一層確実に達成することができる。
【０２５６】
また、このプロセスカートリッジ２０では、切欠部２４１を介して、現像側取っ手２０３の指掛部２０８に指を掛けて、現像側取っ手２０３のみを把持することができ、現像カートリッジ２８をドラムカートリッジ２７に対して着脱させることができる。
また、このドラムカートリッジ２７では、左挟持部２１０および右挟持部２１４が形成され、これら左挟持部２１０および右挟持部２１４によって、それぞれ左側壁９６および右側壁９７の突出壁１１７が挟持されている。そのため、左側壁９６および右側壁９７が幅方向に傾いたり、撓んだりすることを防止することができる。その結果、ドラムカートリッジ２７の剛性を増すことができ、ドラムカートリッジ２７（プロセスカートリッジ２０）の本体ケーシング２に対する確実な装着を達成することができる。
【０２５７】
さらに、ドラムカートリッジ２７の底壁９８の延長底壁部１９５の下面には、複数本の連結部材２２７で連結されることにより一体化された複数本の前側リブ１６５が、１対の側支持部２３７の下端間に掛け渡すように配置されている。そのため、用紙３を感光ドラム９２に向けて確実に案内することができながら、１対の側支持部２３７（ドラム側取っ手２３６）の強度（剛性）を高めることができる。
【０２５８】
さらに、排紙口２２２の上端縁から前方に延びるブラシ支持板２２３の下面に接触防止リブ２２４が設けられているので、用紙３に転写されたトナー像がブラシ支持板２２３の下面に接触することを防止でき、ブラシ支持板２２３の下面がトナーで汚れたり、用紙３に転写されたトナー像の品質が劣化したりすることを防止することができる。
また、ブラシ支持板２２３の下面両端部には、背面視および底面視において略三角形状の接触防止部２２５が形成されているので、排紙口２２２から排出される用紙３は、その幅方向両端部が接触防止部２２５に接触しつつ排紙される。そのため、用紙３の幅方向中央部がブラシ支持板２２３側に持ち上がることを防止することができ、用紙３に転写されたトナー像がブラシ支持板２２３および接触防止リブ２２４に接触することを防止することができる。その結果、ブラシ支持板２２３の下面がトナーで汚れたり、用紙３に転写されたトナー像の品質が劣化したりすることを確実に防止することができる。
【０２５９】
また、ブラシ支持板２２３の下面中央部には、略矩形状のフィルム部材２２６が配置され、このフィルム部材２２６がブラシ支持板２２３の前端縁から前方（感光ドラム９２側）へ僅かに突出するように配置されているので、フィルム部材２２６によって、クリーニングブラシ９５によって感光ドラム９２の表面から掻き取られた紙粉を受け取ることができる。そして、フィルム部材２２６のブラシ支持板２２３の前端縁から突出した部分にも、粘着両面テープが配置されているので、受け取った紙粉を粘着両面テープの粘着面に粘着させることができ、紙粉がフィルム部材２２６上から脱落することを防止することができる。
【０２６０】
また、このドラムカートリッジ２７では、転写電極開口部１４２の後端縁に沿って、接点進入防止リブ２０９が設けられているので、プロセスカートリッジ２０が本体ケーシング２に装着されて、次に述べる転写接点２７２が転写電極１３７に当接するときに、その転写接点２７２を良好に案内することができ、転写接点２７２が転写電極開口部１４２と転写電極１３７との間の隙間に入り込むことを防止することができる。そのため、転写接点２７２と転写電極１３７との確実な接続を達成することができる。
（６）レーザプリンタの左フレームの構成
図３９は、プロセスカートリッジ２０が装着されるレーザプリンタ１の左フレーム１６７の内側面図である。
【０２６１】
この図３９に示すように、左フレーム１６７の内側面（プロセスカートリッジ２０に対向する面）には、プロセスカートリッジ２０が本体ケーシング２に装着されたときに、そのプロセスカートリッジ２０の左側面に配置されたワイヤ電極１３１（図３５参照）、転写電極１３７（図３５参照）、現像ローラ電極７６（図３７参照）、グリッド電極１３２（図３５参照）およびクリーニング電極１４８（図３５参照）とそれぞれ対向する位置に配置され、それらの各電極に対してそれぞれ当接するワイヤ接点２７１、転写接点２７２、現像ローラ接点２７３、グリッド接点２７４およびクリーニング接点２７５が設けられている。
【０２６２】
ワイヤ接点２７１は、針金を平面視略コ字状に屈曲して形成され、ワイヤ接点部１７０（図２４参照）に配線を介して接続されている。
転写接点２７２は、針金を平面視略コ字状に屈曲して形成され、ワイヤ接点２７１の鉛直方向下方に配置されている。この転写接点２７２は、転写接点部１７２（図２４参照）に配線を介して接続されている。
【０２６３】
現像ローラ接点２７３は、針金を側面視略三角形状に屈曲して形成され、ワイヤ接点２７１の前側斜め下方であって、転写接点２７２の前側斜め上方に配置されている。この現像ローラ接点２７３は、現像ローラ接点部１７３（図２４参照）に配線を介して接続されている。
グリッド接点２７４は、針金を平面視略コ字状に屈曲して形成され、ワイヤ接点２７１の後側斜め下方に配置されている。このグリッド接点２７４は、グリッド接点部１６９（図２４参照）に配線を介して接続されている。
【０２６４】
クリーニング接点２７５は、針金を平面視略コ字状に屈曲して形成され、グリッド接点２７４の後側斜め下方であって、転写接点２７２の後側斜め上方に配置されている。このクリーニング接点２７５には、クリーニング接点部１６８（図２４参照）に配線を介して接続されている。
さらに、左フレーム１６７の内側面には、プロセスカートリッジ２０が本体ケーシング２に装着されたときに、アース電極１２７が当接するアース接点２７６が設けられている。このアース接点２７６は、針金を側面視略三角形状に屈曲して形成され、プロセスカートリッジ２０の左側面に配置されたアース電極１２７と対向する位置であって、ワイヤ接点２７１と転写接点２７２との間に配置されている。また、アース接点２７６は、アース接点部１７１（図２４参照）に配線を介して接続されている。
【０２６５】
なお、ワイヤ接点部１７０、転写接点部１７２、現像ローラ接点部１７３、グリッド接点部１６９、クリーニング接点部１６８およびアース接点部１７１の構成およびこれらへの印加電圧は、図４に示すプロセスカートリッジ２０の場合と図２８に示すプロセスカートリッジ２０の場合とで同じであるから、ここでは、それらについての説明を省略する。
また、左フレーム１６７の内側面において、現像ローラ接点２７３の上方近傍であって、ワイヤ接点２７１の水平方向前方に、カップリング部材７３が配置されている。
【０２６６】
さらに、左フレーム１６７の内側面には、転写接点２７２およびアース接点２７６の後方であって、グリッド接点２７４の下方に、プロセスカートリッジ２０が本体ケーシング２に装着されたときに、そのプロセスカートリッジ２０（ドラムカートリッジ２７）に設けられているドラム駆動ギヤ１９１（図３４または図３５参照）と噛合するドラムギヤ３２１が配置されている。
【０２６７】
また、左フレーム１６７の内側面には、現像ローラ接点２７３の前側であって、プロセスカートリッジ２０が本体ケーシング２に装着された状態で、ドラム側筐体９１の左側壁９６に形成されたトナー通過窓１０１（図３２参照）と幅方向に対向する位置に、現像カートリッジ２８（トナー収容室３０）内に収容されるトナーのエンプティ状態を検知するためのトナーエンプティセンサ３７１が配置されている。このトナーエンプティセンサ３７１は、発光素子および受光素子の対からなり、左フレーム１６７には、それら発光素子および受光素子のうちの一方が配置されている。
【０２６８】
さらに、トナーエンプティセンサ３７１の前側には、プロセスカートリッジ２０が装着された状態で、そのプロセスカートリッジ２０に保持されているレジストローラ１４の左側軸端部を下方に押圧するためのレジストローラ押圧ばね３７２が配置されている。このレジストローラ押圧ばね３７２は、ねじりばねからなり、左フレーム１６７から幅方向内方へ突出した軸３７３に支持されて、その一端部が次に述べる電極案内面３２２に沿って前側斜め上方に向けて延び、他端部が前側斜め下方に延びるように設けられている。
【０２６９】
また、前後方向におけるトナーエンプティセンサ３７１とレジストローラ押圧ばね３７２との間であって、これらトナーエンプティセンサ３７１およびレジストローラ押圧ばね３７２の上方に、側面視略Ｖ字状の新品検出アクチュエータ３７４が配置されている。この新品検出アクチュエータ３７４は、左フレーム１６７から幅方向内方へ突出した軸３７５に揺動可能に支持されて、図示しないばねによって、常には下端部が前方に向けて付勢されている。
【０２７０】
さらにまた、左フレーム１６７の内側面には、本体ケーシング２に対するプロセスカートリッジ２０の装着時に、アース電極１２７および現像ローラ電極７６を案内するための電極案内面３２２と、アース接点２７６の近傍に設けられ、本体ケーシング２にプロセスカートリッジ２０が装着された状態で、アース電極１２７を受け入れるアース電極受入部３２３とが形成されている。
【０２７１】
電極案内面３２２は、左フレーム１６７の前端上部からアース電極受入部３２３（ドラムギヤ３２１）に向かって、後側が下方に傾斜した傾斜面であり、その後端がアース電極受入部３２３に連続している。また、この電極案内面３２２は、側面視で、現像ローラ接点２７３およびアース接点２７６を横切るように形成されており、これら現像ローラ接点２７３およびアース接点２７６は、電極案内面３２２から上方に突出するように設けられている。
【０２７２】
そして、プロセスカートリッジ２０の装着時には、電極案内面３２２に案内されるアース電極１２７が、現像ローラ接点２７３を下方に押し下げつつ、現像ローラ接点２７３を乗り越え、さらに、アース接点２７６を下方に押し下げつつ、アース接点２７６を乗り越えて、アース電極受入部３２３に受け入れられる。アース電極受入部３２３にアース電極１２７が受け入れられると、アース接点２７６のばね性によって、アース電極１２７が後側斜め上方へと押圧される。これによって、アース電極１２７のアース電極受入部３２３からの離脱が阻止されるとともに、アース電極１２７に対してアース接点２７６が確実に当接される。
【０２７３】
また、電極案内面３２２に案内される現像ローラ電極７６は、現像ローラ接点２７３を下方に押し下げつつ、その現像ローラ接点２７３を乗り越え、プロセスカートリッジ２０の装着が完了すると（アース電極１２７がアース電極受入部３２３に受け入れられると）、現像ローラ接点２７３が前側斜め下方から当接し、現像ローラ接点２７３のばね性によって後側斜め上方へと押圧される。このように、現像ローラ接点２７３が、プロセスカートリッジ２０の装着時に現像ローラ電極７６に対して前側斜め下方から当接するように配置されていることによって、現像ローラ接点２７３を現像ローラ電極７６の上方から当接するように配置した構成に比べて、現像ローラ接点２７３とワイヤ接点２７１との間隔を広げることができ、現像ローラ接点２７３とワイヤ接点２７１との間でのリークを防止することができる。
【０２７４】
また、新品の現像カートリッジ２８（プロセスカートリッジ２０）が装着されるときには、その装着の途中で、現像カートリッジ２８に備えられている新品検出器３０１の新品検出レバー３０２（図３７参照）が新品検出アクチュエータ３７４の下端部に当接し、この新品アクチュエータ３７４の下端部が新品検出レバー３０２によって後方に向けて押圧される。これにより、新品検出アクチュエータ３７４が図中反時計回りに回動し、この新品アクチュエータ３７４の回動に基づいて、現像カートリッジ２８が新品であることが検出される。一方、新品検出器３０１の新品検出レバー３０２は、現像カートリッジが初めて使用されたときに、レバー突出孔の一端部から他端部に移動されるため、旧品の現像カートリッジ２８が装着されるときには、新品検出レバー３０２は新品検出アクチュエータ３７４に当接せず、新品検出アクチュエータ３７４は回動しない。これに基づいて、その装着された現像カートリッジ２８が旧品であることを検出することができる。
【０２７５】
また、プロセスカートリッジ２０が装着された状態では、ドラム側筐体９１の左側壁９６に形成されたトナー通過窓１０１とトナーエンプティセンサ３７１が幅方向に対向する。さらに、プロセスカートリッジ２０に保持されているレジストローラ１４の左側軸端部にレジストローラ押圧ばね３７２の下端部が当接し、このレジストローラ押圧ばね３７２によってレジストローラ３４の左側軸端部が下方に向けて押圧される。
【０２７６】
また、左フレーム１６７の内側面には、前側下端部において、この左フレーム１６７に回転可能に支持されたレバー駆動力伝達ギヤ２７７の一部が露出している。給紙トレイ９（図１参照）を本体ケーシング２に装着すると、給紙トレイ９に備えられた入力ギヤ（図示せず）がレバー駆動力伝達ギヤ２７７と噛合する。そして、レバー駆動力伝達ギヤ２７７から入力ギヤに駆動力が入力されると、その駆動力によってレバー１７（図１参照）が回転し、このレバー１７によって用紙押圧板１５の前端部が持ち上げられる。また、このときレバー駆動力伝達ギヤ２７７が入力ギヤに対して給紙トレイ９を装着方向へ付勢する力を与えることにより、給紙トレイ９は、レバー駆動力伝達ギヤ２７７と後述するトレイロック片２８３との協働によって、本体ケーシング２からの離脱が規制される。
（７）レーザプリンタの右フレームの構成
図４０は、プロセスカートリッジ２０が装着されるレーザプリンタ１の右フレームの内側面図である。
【０２７７】
本体ケーシング２には、本体ケーシング２に装着されたプロセスカートリッジ２０に対して右側方に対向配置される右フレーム２８１が設けられている。
この右フレーム２８１の内側面には、本体ケーシング２に対するプロセスカートリッジ２０の装着時に、ドラム軸１２５および現像ローラ軸６４の各右側軸端部を案内するための軸案内面３６１と、本体ケーシング２にプロセスカートリッジ２０が装着された状態で、ドラム軸１２５の右側軸端部７を受け入れるドラム軸受入部３６２とが形成されている。
【０２７８】
軸案内面３６１およびドラム軸受入部３６２は、本体ケーシング２の幅方向において、それぞれ左フレーム１６７の電極案内面３２２およびアース電極受入部３２３と対象に対向するように形成されている。すなわち、軸案内面３６１は、右フレーム２８１の前端上部からドラム軸受入部３６２に向かって、後側が下方に傾斜した傾斜面に形成され、その後端がドラム軸受入部３６２に連続している。
【０２７９】
そして、プロセスカートリッジ２０の装着時には、アース電極１２７（ドラム軸１２５の左側軸端部）および現像ローラ電極７６（現像ローラ軸６４の左側軸端部）が左フレーム１６７の電極案内面３２２に案内される一方で、ドラム軸１２５および現像ローラ軸６４の各右側軸端部が軸案内面３６１に案内される。そして、アース電極１２７がアース電極受入部３２３に受け入れられるのと同時に、ドラム軸１２５の右側軸端部がドラム軸受入部３６２に受け入れられる。
【０２８０】
また、右フレーム２８１の内側面には、現像ローラ接点２７３の前側であって、プロセスカートリッジ２０が本体ケーシング２に装着された状態で、ドラム側筐体９１の右側壁９７に形成されたトナー通過窓１０１（図３２参照）と幅方向に対向する位置に、トナーエンプティセンサ３７１を構成する発光素子および受光素子のうち、左フレーム１６７に配置された素子と異なる素子が配置されている。
【０２８１】
さらに、トナーエンプティセンサ３７１の前側には、プロセスカートリッジ２０が装着された状態で、そのプロセスカートリッジ２０に保持されているレジストローラ１４の右側軸端部を下方に押圧するためのレジストローラ押圧ばね３８１が配置されている。このレジストローラ押圧ばね３８１は、ねじりばねからなり、右フレーム２８１から幅方向内方へ突出した軸３８２に支持されて、その一端部が軸案内面３６１に沿って前側斜め上方に向けて延び、他端部が前側斜め下方に延びるように設けられている。
【０２８２】
プロセスカートリッジ２０が装着された状態では、ドラム側筐体９１の右側壁９７に形成されたトナー通過窓１０１とトナーエンプティセンサ３７１が幅方向に対向する。さらに、プロセスカートリッジ２０に保持されているレジストローラ１４の右側軸端部にレジストローラ押圧ばね３８１の下端部が当接し、このレジストローラ押圧ばね３８１によってレジストローラ３４の右側軸端部が下方に向けて押圧される。
【０２８３】
また、右フレーム２８１の内側面には、前側下端部に、幅方向外側に向けて窪んだ凹部２８２が形成されており、その凹部２８２内には、給紙トレイ９（図１参照）の離脱を防止するためのロック機構としてのトレイロック片２８３が備えられている。
トレイロック片２８３は、前後方向に延び、先端部が凹部２８２外に向かうように湾曲した湾曲アーム２８４と、この湾曲アーム２８４の先端部に設けられた当接部２８５とを備えている。湾曲アーム２８４の基端部は、凹部２８２内において上下方向に延びる軸２８６に揺動自在に取り付けられている。また、湾曲アーム２８４には、図示しないばねが接続されており、このばねによって、常には、当接部２８５が凹部２８２外に突出する方向に弾性付勢されている。
【０２８４】
給紙トレイ９が本体ケーシング２に装着されるときには、給紙トレイ９の右側面から膨出するロック片係止部（図示せず）がトレイロック片２８３の当接部２８５に当接し、トレイロック片２８３は、そのロック片係止部の移動に伴って、図示しないばねの付勢力に抗して、当接部２８５が凹部２８２内に退避する方向に押圧される。そして、ロック片係止部が当接部２８５を乗り越えると、トレイロック片２８３は、図示しないばねの付勢力によって、当接部２８５が凹部２８２から突出する方向に復帰し、当接部２８５がロック片係止部の前側から係止される。これによって、本体ケーシング２からの給紙トレイ９の所望しない離脱を防止することができる。
【０２８５】
また、右フレーム２８１の内側面には、給紙トレイ９が本体ケーシング２に装着されたときに、給紙トレイ９の右側面に形成されたアース接続孔（図示せず）に嵌り込む押圧板アース接点２８７が突出して設けられている。
さらに、右フレーム２８１には、その上端部の前後方向中央部に、プロセスカートリッジ２０や定着部２１からの発熱を本体ケーシング２の外部に放熱するためのファン２８８が配置されている。このファン２８８は、右フレーム２８１を幅方向内側と幅方向外側とを連通するように配置されている。
（８）カップリング部材を進退させるための機構の他の実施形態
図４１は、カップリング部材７３の他の実施形態を示す側面図であって、その進退動作を説明するために、（ａ）は、カップリング部材７３の進出状態を示し、（ｂ）は、カップリング部材７３の退避状態を示す。
【０２８６】
左フレーム１６７には、入力ギヤ６８の連結孔７４（図３７参照）に進退自在に連結されるカップリング部材７３と、そのカップリング部材７３を進退させるためのアーム２９１とが設けられている。
アーム２９１は、前後方向に沿って延びるアーム部２９２と、そのアーム部２９２の後端部に設けられるカム部２９３とを一体的に備えている。
【０２８７】
カム部２９３には、カップリング部材７３が挿通される前後方向に延びる長孔が形成されており、その長孔の後端部の周りには、幅方向に厚く形成される退避部２９４が設けられている。また、長孔の前端部の周りには、幅方向に薄く形成される進出部２９５が設けられている。
そして、このアーム２９１は、その後端部の長孔にカップリング部材７３が挿通された状態で、左フレーム１６７に沿って前後方向に移動可能に支持されている。また、このアーム２９１は、フロントカバー７の開閉に連動して、前後方向に移動するように設けられている。
【０２８８】
カップリング部材７３は、本体ケーシング２に装着されたプロセスカートリッジ２０の入力ギヤ６８の連結孔７４に、幅方向において対向配置されている。このカップリング部材７３には、本体ケーシング２内に設けられるモータ（図示せず）からの回転駆動力が入力されている。また、このカップリング部材７３は、付勢ばね（図示せず）によって、常には、幅方向内側、つまり、連結孔７４に向かって付勢されている。
【０２８９】
そして、プロセスカートリッジ２０の本体ケーシング２に対する着脱時において、フロントカバー７を開くと、アーム２９１は、そのフロントカバー７の開放に連動して、前方に移動し、図４１（ｂ）に示すように、カップリング部材７３に退避部２９４が係合する。すると、カップリング部材７３は、付勢ばねの付勢力に抗して、入力ギヤ６８の連結孔７４から退避する。
【０２９０】
また、プロセスカートリッジ２０の本体ケーシング２に対する装着後において、フロントカバー７を閉めると、アーム２９１は、そのフロントカバー７の閉鎖に連動して、後方に移動し、図４１（ａ）に示すように、カップリング部材７３に進出部２９５が係合する。すると、カップリング部材７３は、付勢ばねの付勢力によって、入力ギヤ６８の連結孔７４内に進出して、相対回転不能に連結される。これによって、カップリング部材７３からの駆動力が入力ギヤ６８に伝達され、この入力ギヤ６８に伝達される駆動力によって、供給ローラ３１、現像ローラ３２およびアジテータ４６が回転される。
（９）プロセスカートリッジの各部の寸法関係
図４２ないし図４７は、それぞれ図２８に示すドラムカートリッジ２７の各部の寸法を示す平面図、背面図、正面図、左側面図、底面図および断面図である。なお、図４２は、図３２においてドラムカートリッジ２７を上方から見たときの図に対応し、図４３は、図３４においてドラムカートリッジ２７をその背面側から見たときの図に対応し、図４４は、図３３においてドラムカートリッジ２７をその正面側から見たときの図に対応し、図４５は、図３５と対応し、図４６は、図３４においてドラムカートリッジ２７をその裏面側から見たときの図に対応し、図４７は、図２８において現像カートリッジ２８を取り除いた図に対応している。
【０２９１】
図２８に示すドラムカートリッジ２７の各部の具体的な寸法関係は、図４２ないし図４７と下記の表１、表２、表３および表４とによって示すとおりである。なお、図４２ないし図４７の各図では、各部に参照符号を付していないが、図４２ないし図４７に示す各部とそれぞれ対応する図に示す各部との対応関係を明確にするため、下記の表１ないし表４では、図４２ないし図４７の各図とそれぞれ対応する図において各部材に付された参照符号を用いている。
【０２９２】
【表１】
2006072285.tif 000003
【０２９３】
【表２】
2006072285.tif 000004
【０２９４】
【表３】
2006072285.tif 000005
【０２９５】
【表４】
2006072285.tif 000006
【０２９６】
上記の表１ないし表４に示す数値の単位は、角度を除き、ミリメートル（ｍｍ）である。
なお、このようにドラム軸１２５（アース電極１２７）を基準位置として寸法を規定しているのは、本体ケーシング２内におけるドラム軸１２５の位置が正規の位置からずれると、アース電極１２７とアース接点２７６との接触不良を生じるおそれがあるからである。
【０２９７】
図４８ないし図５２は、それぞれ図２８に示す現像カートリッジの各部の寸法を示す平面図、背面図、左側面図、底面図および断面図である。なお、図４８は、図２９において現像カートリッジ２８を上方から見たときの図に対応し、図４９は、図３１において現像カートリッジ２８をその背面側から見たときの図に対応し、図５０は、図２９において現像カートリッジ２８をその左側から見たときの図に対応し、図５１は、図３０において現像カートリッジ２８をその裏面側から見たときの図に対応し、図５２は、図２８においてドラムカートリッジ２７を取り除いた図に対応している。
【０２９８】
図２８に示す現像カートリッジ２８の各部の具体的な寸法関係は、図４８ないし図５２と下記の表５、表６、表７および表８とによって示すとおりである。なお、図４８ないし図５２の各図では、各部に参照符号を付していないが、図４８ないし図５２に示す各部とそれぞれ対応する図に示す各部との対応関係を明確にするため、下記の表５ないし表８では、図４８ないし図５２の各図とそれぞれ対応する図において各部材に付された参照符号を用いている。
【０２９９】
【表５】
2006072285.tif 000007
【０３００】
【表６】
2006072285.tif 000008
【０３０１】
【表７】
2006072285.tif 000009
【０３０２】
【表８】
2006072285.tif 000010
【０３０３】
上記の表５ないし表８に示す数値の単位は、角度を除き、ミリメートル（ｍｍ）である。
なお、このように入力ギヤ６８を基準位置として寸法を規定しているのは、本体ケーシング２内における入力ギヤ６８の位置が正規の位置からずれると、カップリング部材７３と入力ギヤ６８との結合不良を生じるおそれがあるからである。
【０３０４】
この寸法関係から明らかなように、現像側筐体２９の現像室３６の位置（現像側筐体２９において現像室３６が形成されている位置）における厚み（Ｔ２０＋Ｔ２３）が、トナー収容室３０の位置（現像側筐体２９においてトナー収容室３０が形成されている位置）における厚み（Ｔ２１＋Ｔ２２）よりも小さく形成されている。現像カートリッジ２８は、現像室３６の設けられている側が本体ケーシング２内の奥側に配置されるように、本体ケーシング２に対して装着されるので、現像側筐体２９の現像室３６の位置における厚みがトナー収容室３０の位置における厚みよりも小さく形成されていることによって、現像カートリッジ２８の本体ケーシング２に対する着脱をスムーズに行うことができる。
【０３０５】
また、トナー収容室３０の位置における厚みが、位置決め部８４を基準に規定されている。そのため、現像カートリッジ２８を本体ケーシング２に対して着脱させるときに、位置決め部８４が邪魔になることを防止することができる。その結果、現像カートリッジ２８のよりスムーズな着脱を達成することができる。
さらにまた、現像側筐体２９の現像室３６の位置における厚みが、現像側筐体２９の後側下壁部４３の下面に配置されたリブ３１１を基準に規定されている。そのため、現像カートリッジ２８を本体ケーシング２に対して着脱させるときに、リブ３１１が邪魔になることを防止することができる。その結果、現像カートリッジ２８のよりスムーズな着脱を達成することができる。
【０３０６】
しかも、リブ３１１は、相対的に小さな厚みを有する現像室３６側（後側）から相対的に大きな厚みを有するトナー収容室３０側に近づくにつれて、その高さが低くなり、現像カートリッジ２８をその天面を水平にして本体ケーシング２に装着したときに、リブ３１１の用紙３との接触面が略水平に配置されるように形成されている。そのため、用紙３を良好に案内することができる。
【０３０７】
なお、上記の各実施形態における各構成要素については、必要に応じて、それらを組み合わせて実施可能であることは言うまでもない。
【図面の簡単な説明】
【０３０８】
【図１】本発明の画像形成装置としてのレーザプリンタの一実施形態を示す要部側断面図であって、フロントカバーを閉じた状態を示す。
【図２】図１に示すレーザプリンタの要部側断面図であって、フロントカバーを開いた状態を示す。
【図３】図１に示すレーザプリンタのプロセスカートリッジの要部側断面図である。
【図４】図１に示すレーザプリンタの現像カートリッジの要部側断面図である。
【図５】図４に示す現像カートリッジの正面側から見た斜視図である。
【図６】図４に示す現像カートリッジの平面図である。
【図７】図４に示す現像カートリッジの背面側から見た斜視図である。
【図８】図４に示す現像カートリッジの左側面であって、ギヤカバーが取り付けられている状態を示す。
【図９】図４に示す現像カートリッジの左側面であって、ギヤカバーが取り外されている状態を示す。
【図１０】図４に示す現像カートリッジの右側面である。
【図１１】図３に示すプロセスカートリッジのドラムカートリッジを示す要部側断面図である。
【図１２】図１１に示すドラムカートリッジの正面側から見た斜視図である。
【図１３】図３に示すプロセスカートリッジの正面側から見た斜視図である。
【図１４】図３に示すプロセスカートリッジの背面側から見た斜視図である。
【図１５】図３に示すプロセスカートリッジの底面側から見た斜視図である。
【図１６】図３に示すプロセスカートリッジの平面図である。
【図１７】図３に示すプロセスカートリッジの左側面図である。
【図１８】図３に示すプロセスカートリッジの右側面図である。
【図１９】図３に示すプロセスカートリッジの正面図である。
【図２０】図４に示す現像ローラおよび供給ローラを前側やや斜め上方から見た平面図である。
【図２１】図３に示すプロセスカートリッジにおいて、現像カートリッジをドラムカートリッジに装着する状態を示す工程図であって、（ａ）は、現像側ボスが押圧部材の上方に位置している状態、（ｂ）は、現像側ボスが押圧部材の案内面に当接している状態、（ｃ）は、現像側ボスが押圧部材の案内面と固定面との境界に当接している状態、（ｄ）は、現像側ボスが押圧部材の固定面に当接している状態を示す。
【図２２】図１１に示すドラムカートリッジの正断面図である。
【図２３】図１１に示すドラムカートリッジの転写ローラの左側端部であって、（ａ）は平断面図を、（ｂ）は転写電極の組み付けの途中状態の斜視図を、（ｃ）は転写電極の組み付けの終了状態の斜視図を、それぞれ示す。
【図２４】図１に示すレーザプリンタであって、プロセスカートリッジが装着された状態の要部平面図を示す。
【図２５】プロセスカートリッジの装着時において、カップリング部材の進退動作を説明するための側面図であって、（ａ）は、カップリング部材の退避状態を示し、（ｂ）は、カップリング部材の進出状態を示す。
【図２６】プロセスカートリッジの装着時において、カップリング部材の進退動作を説明するための要部正面図であって、（ａ）は、カップリング部材の退避状態を示し、（ｂ）は、カップリング部材の進出状態を示す。
【図２７】図４に示す現像カートリッジを、床に起立するように載置した状態を示す要部側断面図である。
【図２８】プロセスカートリッジの他の実施形態（ドラムカートリッジにドラム側取っ手が設けられた態様）を示す側断面図である。
【図２９】図２８に示す現像カートリッジの正面側左斜め上方から見た斜視図である。
【図３０】図２８に示す現像カートリッジの正面側右斜め下方から見た斜視図である。
【図３１】図２８に示す現像カートリッジの背面側左斜め上方から見た斜視図である。
【図３２】図２８に示すドラムカートリッジの正面側左斜め上方から見た斜視図である。
【図３３】図２８に示すドラムカートリッジを正面側右斜め下方から見た斜視図である。
【図３４】図２８に示すドラムカートリッジを背面側左斜め下方から見た斜視図である。
【図３５】図２８に示すドラムカートリッジの左側面図である。
【図３６】図２８に示すドラムカートリッジの右側面図である。
【図３７】図２８に示すプロセスカートリッジの正面側左斜め上方から見た斜視図である。
【図３８】図２８に示すプロセスカートリッジの正面側左斜め下方から見た斜視図である。
【図３９】図１に示すレーザプリンタの左フレームの内側面図である。
【図４０】図１に示すレーザプリンタの右フレームの内側面図である。
【図４１】カップリング部材の他の実施形態を示す側面図であって、（ａ）は、カップリング部材の進出状態を示し、（ｂ）は、カップリング部材の退避状態を示す。
【図４２】図２８に示すドラムカートリッジの各部の寸法を示す平面図である。
【図４３】図２８に示すドラムカートリッジの各部の寸法を示す背面図である。
【図４４】図２８に示すドラムカートリッジの各部の寸法を示す正面図である。
【図４５】図２８に示すドラムカートリッジの各部の寸法を示す左側面図である。
【図４６】図２８に示すドラムカートリッジの各部の寸法を示す底面図である。
【図４７】図２８に示すドラムカートリッジの各部の寸法を示す断面図（図４２に示すＡ−Ａ切断線で切断したときの断面図）である。
【図４８】図２８に示す現像カートリッジの各部の寸法を示す平面図である。
【図４９】図２８に示す現像カートリッジの各部の寸法を示す背面図である。
【図５０】図２８に示す現像カートリッジの各部の寸法を示す左側面図である。
【図５１】図２８に示す現像カートリッジの各部の寸法を示す底面図である。
【図５２】図２８に示す現像カートリッジの各部の寸法を示す断面図（図４８に示すＢ−Ｂ切断線で切断したときの断面図）である。
【符号の説明】
【０３０９】
１      レーザプリンタ
３      用紙
２０    プロセスカートリッジ
２９    現像側筐体
３０    トナー収容室
３１    供給ローラ
３２    現像ローラ
３３    層厚規制ブレード
３８    左側壁
３９    右側壁
４５    ギヤ機構部
４６    アジテータ
４７    トナー供給口
６８    入力ギヤ
７６    現像ローラ電極
７７    ギヤカバー
８２    軸受部材
８３    カラー部材
９１    ドラム側筐体
９２    感光ドラム
９３    スコロトロン型帯電器
９４    転写ローラ
９５    クリーニングブラシ
９６    左側壁
９７    右側壁
１０８  第１壁
１０９  第２壁
１１０  第３壁
１１２  第５壁
１１４  第７壁
１２７  アース電極
１３１  ワイヤ電極
１３２  グリッド電極
１３３  転写ローラ軸
１３５  転写ローラ駆動ギヤ
１３７  転写電極
１３９  係止板
１４０  突出部
１４２  転写電極開口部
１４３  転写電極受け部
１４７  爪部
１４８  クリーニング電極
１７５  現像ローラ接点
２０９  接点進入防止リブ
【図１】
2006072285.tif 000011
【図２】
2006072285.tif 000012
【図３】
2006072285.tif 000013
【図４】
2006072285.tif 000014
【図５】
2006072285.tif 000015
【図６】
2006072285.tif 000016
【図７】
2006072285.tif 000017
【図８】
2006072285.tif 000018
【図９】
2006072285.tif 000019
【図１０】
2006072285.tif 000020
【図１１】
2006072285.tif 000021
【図１２】
2006072285.tif 000022
【図１３】
2006072285.tif 000023
【図１４】
2006072285.tif 000024
【図１５】
2006072285.tif 000025
【図１６】
2006072285.tif 000026
【図１７】
2006072285.tif 000027
【図１８】
2006072285.tif 000028
【図１９】
2006072285.tif 000029
【図２０】
2006072285.tif 000030
【図２１】
2006072285.tif 000031
【図２２】
2006072285.tif 000032
【図２３】
2006072285.tif 000033
【図２４】
2006072285.tif 000034
【図２５】
2006072285.tif 000035
【図２６】
2006072285.tif 000036
【図２７】
2006072285.tif 000037
【図２８】
2006072285.tif 000038
【図２９】
2006072285.tif 000039
【図３０】
2006072285.tif 000040
【図３１】
2006072285.tif 000041
【図３２】
2006072285.tif 000042
【図３３】
2006072285.tif 000043
【図３４】
2006072285.tif 000044
【図３５】
2006072285.tif 000045
【図３６】
2006072285.tif 000046
【図３７】
2006072285.tif 000047
【図３８】
2006072285.tif 000048
【図３９】
2006072285.tif 000049
【図４０】
2006072285.tif 000050
【図４１】
2006072285.tif 000051
【図４２】
2006072285.tif 000052
【図４３】
2006072285.tif 000053
【図４４】
2006072285.tif 000054
【図４５】
2006072285.tif 000055
【図４６】
2006072285.tif 000056
【図４７】
2006072285.tif 000057
【図４８】
2006072285.tif 000058
【図４９】
2006072285.tif 000059
【図５０】
2006072285.tif 000060
【図５１】
2006072285.tif 000061
【図５２】
2006072285.tif 000062